(57)【要約】      （修正有）【課題】複数の局及び中央エンティティを含む、無線ダイレクトリンクオペレーション方法及びデバイスを提供する。【解決手段】ダイレクトリンク局はアクセスポイント（ＡＰ）からビーコンを周期的に受信する。ダイレクトリンク局は、続くターゲットビーコン送信時間（ＴＢＴＴ）が同期ＴＢＴＴ（ＳＴＢＴＴ）であることを示すダイレクトリンク同期メッセージをＡＰから受信する。ダイレクトリンク局は、ＳＴＢＴＴの間にダイレクトリンクチャネルをサイレントにする。ダイレクトリンク局は、ダイレクトリンクの一次チャネル上でキャリア感知多重アクセス（ＣＳＭＡ）を実行して、すべてのダイレクトリンクチャネルに対するアクセスを得る。接続性マッピングプロシージャは、ネットワーク内のデバイスの接続性、サービス、または機能に関するマッピングを確立する。【選択図】図１８
2015111877.tif 000002
【特許請求の範囲】
【請求項１】
複数の局および中央エンティティを含む無線通信ネットワークにおける無線ダイレクトリンクオペレーションに関する方法であって、複数の異なる無線アクセス技術が前記ネットワークにおいて展開され、および前記中央エンティティが前記ネットワークにおける無線通信を調整および管理し、前記方法は、
ダイレクトリンク局がチャネルの第１のセット上でアクセスポイント（ＡＰ）からビーコンメッセージを周期的に受信するステップであって、前記ダイレクトリンク局はチャネルの第２のセット上でピアダイレクトリンク局と通信するダイレクトリンクを有し、前記ビーコンメッセージはターゲットビーコン送信時間（ＴＢＴＴ）に基づいて第１のチャネル上で受信され、前記チャネルの第１のセットおよび前記チャネルの第２のセットはそれぞれ少なくとも１つのチャネルを備える、ステップと、
前記ダイレクトリンク局が前記チャネルの第１のセットのうちの少なくとも１つの上で前記ＡＰからダイレクトリンク同期メッセージを受信するステップであって、前記ダイレクトリンク同期メッセージは後続のＴＢＴＴが同期ＴＢＴＴ（ＳＴＢＴＴ）であることを示し、前記ダイレクトリンク局は前記ＳＴＢＴＴの間に前記チャネルの第２のセットをサイレントにする、ステップと、
前記ダイレクトリンク局が、前記ＳＴＢＴＴの間にまたは前記ＳＴＢＴＴに続いて、前記ダイレクトリンクに関する制御メッセージを受信するステップと
を備えることを特徴とする方法。
【請求項２】
前記ダイレクトリンク局は、前記ＳＴＢＴＴに先行して、前記ダイレクトリンク上で前記ピアダイレクトリンク局に対するすべての送信を終えることを特徴とする請求項１に記載の方法。
【請求項３】
前記ダイレクトリンク局は、前記ピアダイレクトリンク局に対する送信または前記送信に対する肯定応答を前記ＳＴＢＴＴに先行して完了できない限り、前記送信を前記ダイレクトリンク上で開始しないことを特徴とする請求項１に記載の方法。
【請求項４】
前記制御メッセージは、前記ダイレクトリンクに関するチャネルを切り替えること、または新たなチャネルを前記ダイレクトリンクに追加することに関することを特徴とする請求項１に記載の方法。
【請求項５】
前記ダイレクトリンク同期メッセージは、前記第１のチャネル上で、配信トラフィックインジケーションメッセージ（ＤＴＩＭ）と共に、または前記ＤＴＩＭの直後に受信されることを特徴とする請求項１に記載の方法。
【請求項６】
複数の局および中央エンティティを含む無線通信ネットワークにおける無線ダイレクトリンクオペレーションに関する方法であって、複数の異なる無線アクセス技術が前記ネットワークにおいて展開され、前記中央エンティティが前記ネットワークにおける無線通信を調整および管理し、前記方法は、
ダイレクトリンク局がピアダイレクトリンク局とのダイレクトリンクをセットアップするステップであって、チャネルの第１のセットが前記ダイレクトリンクに対して割り当てられ、チャネルの第２のセットが前記中央エンティティに対するリンクに対して割り当てられる、ステップと、
前記ダイレクトリンク局が前記ダイレクトリンクの一次チャネル上で搬送波感知多重アクセス（ＣＳＭＡ）を実行するステップと、
送信機会が、前記ダイレクトリンクの前記一次チャネル上で実行された前記ＣＳＭＡを介して取得されることを条件に、前記ダイレクトリンク局がパケットをチャネルの前記第１のセット上で前記ピアダイレクトリンク局に送信するステップと
を備えることを特徴とする方法。
【請求項７】
前記ダイレクトリンク局が、無線周波数（ＲＦ）を前記チャネルの第２のセットに切り替えて、ターゲットビーコン送信時間（ＴＢＴＴ）に従って、アクセスポイント（ＡＰ）からビーコンメッセージを周期的に受信するステップ
をさらに備えることを特徴とする請求項６に記載の方法。
【請求項８】
前記ダイレクトリンク局は、前記ピアダイレクトリンク局に対する送信または前記送信に対する肯定応答を前記ＴＢＴＴに先行して完了できない限り、前記送信を前記ダイレクトリンク上で開始しないことを特徴とする請求項７に記載の方法。
【請求項９】
前記ダイレクトリンク局が前記ビーコンメッセージにおいてトラフィックインジケーションを受信するステップと、
前記トラフィックインジケーションが、前記ＡＰが前記ダイレクトリンク局に関するデータを有することを示すことを条件に、前記ダイレクトリンク局がポーリングメッセージを前記チャネルの第２のセット上で前記ＡＰに送信するステップと、
前記ダイレクトリンク局が前記チャネルの第２のセット上で前記ＡＰから前記データを受信するステップと
をさらに備えることを特徴とする請求項７に記載の方法。
【請求項１０】
前記ダイレクトリンク局がダイレクトリンク中断リクエストを前記チャネルの第１のセット上で前記ピアダイレクトリンク局に送信するステップと、
前記ダイレクトリンク局が前記チャネルの第１のセット上で前記ピアダイレクトリンク局からダイレクトリンク中断確認メッセージを受信するステップと、
前記ダイレクトリンク局が無線周波数（ＲＦ）を前記チャネルの第２のセットに切り替え、およびメッセージを前記チャネルの第２のセット上でアクセスポイント（ＡＰ）に送信するステップと、
前記ダイレクトリンク局が前記ＲＦを前記チャネルの第１のセットに切り替えるステップと
をさらに備えることを特徴とする請求項６に記載の方法。
【請求項１１】
複数の局および中央エンティティを含む無線通信ネットワークにおける無線ダイレクトリンクオペレーションに関する方法であって、複数の異なる無線アクセス技術が前記ネットワークにおいて展開され、前記中央エンティティが前記ネットワークにおける無線通信を調整および管理し、前記方法は、
局が接続性クエリアナウンスメッセージを受信するステップと、
前記局が接続性クエリメッセージを前記ネットワークにおいてブロードキャストするステップと、
前記局が他の局および前記中央エンティティから接続性クエリレスポンスメッセージを受信するステップであって、前記接続性クエリレスポンスメッセージは前記接続性クエリメッセージに関して測定された前記他の局および前記中央エンティティにおけるそれぞれの測定結果を含む、ステップと、
前記局が前記他の局および前記中央エンティティからの前記接続性クエリレスポンスメッセージに関する測定を実行するステップと、
前記局が、前記接続性クエリレスポンスメッセージに含まれた前記測定結果および前記局によって生成された前記測定結果を含むレポートを生成するステップと、
前記局が、マッピングを更新するために、前記レポートを前記中央エンティティに送信するステップと
を備えることを特徴とする方法。
【請求項１２】
前記局が前記中央エンティティから前記マッピングを受信するステップであって、前記マッピングは前記ネットワークにおける前記局および前記中央エンティティの間の無線リンクを特徴付ける情報収集を備える、ステップ
をさらに備えることを特徴とする請求項１１に記載の方法。
【請求項１３】
前記マッピングは前記局の機能および／または前記局によって提供されるサービスに関する情報を含むことを特徴とする請求項１２に記載の方法。
【請求項１４】
前記マッピングは前記局のアタッチメントにおいて、周期的またはオンデマンドのいずれかで更新されることを特徴とする請求項１１に記載の方法。
【請求項１５】
複数の局および中央エンティティを含む無線通信ネットワークにおける無線ダイレクトリンクオペレーションに関する方法であって、複数の異なる無線アクセス技術が前記ネットワークにおいて展開され、前記中央エンティティが前記ネットワークにおける無線通信を調整および管理し、前記方法は、
ダイレクトリンク局がピアダイレクトリンク局とのダイレクトリンクをセットアップするステップであって、チャネルの第１のセットが前記ダイレクトリンクに対して割り当てられ、チャネルの第２のセットが前記中央エンティティに対するリンクに対して割り当てられる、ステップと、
前記ダイレクトリンク局が前記中央エンティティに対する接続性をモニタするステップと、
前記ダイレクトリンク局が前記中央エンティティに対する接続性を失ったことを条件に、前記ダイレクトリンク局が前記中央エンティティに対する前記リンクのための中継器として動作することを前記ピアダイレクトリンク局に要求するステップと
を備えることを特徴とする方法。
【請求項１６】
前記ダイレクトリンク局が前記中央エンティティに対する前記リンクのための中継器として動作するためのリクエストを前記ピアダイレクトリンク局から受信するステップと、
前記ダイレクトリンク局がキープアライブメッセージを前記中央エンティティに送信して、前記ダイレクトリンク局が前記ピアダイレクトリンク局のための中継器として動作することを示すステップと、
前記ダイレクトリンク局がアクセスポイント（ＡＰ）から受信されたメッセージを、前記ダイレクトリンク上で前記ピアダイレクトリンク局に転送するステップと
をさらに備えることを特徴とする請求項１５に記載の方法。
【請求項１７】
前記ダイレクトリンク局が前記中央エンティティに対する接続性を再獲得することを条件に、前記ダイレクトリンク局が中継を終了するためのリクエストを前記ピアダイレクトリンク局に送信するステップ
をさらに備えることを特徴とする請求項１５に記載の方法。
【請求項１８】
複数の局および中央エンティティを含む無線通信ネットワークにおける無線ダイレクトリンクオペレーションに関する無線通信デバイスであって、複数の異なる無線アクセス技術が前記ネットワークにおいて展開され、前記中央エンティティが前記ネットワークにおける無線通信を調整および管理する、無線通信デバイスは、
ピアダイレクトリンク局とのダイレクトリンクをセットアップするように構成されたプロセッサであって、チャネルの第１のセットが前記ダイレクトリンクに対して割り当てられ、チャネルの第２のセットが前記中央エンティティに対するリンクに対して割り当てられた、プロセッサを備え、
前記プロセッサは、前記ダイレクトリンクの一次チャネル上でキャリア感知多重アクセス（ＣＳＭＡ）を実行し、送信機会が前記ダイレクトリンクの前記一次チャネル上で実行された前記ＣＳＭＡを経由して取得されることを条件に、パケットを前記チャネルの第１のセット上で前記ピアダイレクトリンク局に送信するようにさらに構成された
ことを特徴とする無線通信デバイス。
【請求項１９】
前記プロセッサは、無線周波数（ＲＦ）をチャネルの前記第２のセットに切り替えて、ターゲットビーコン送信時間（ＴＢＴＴ）に従って、アクセスポイント（ＡＰ）からビーコンメッセージを周期的に受信し、および前記ピアダイレクトリンク局に対する送信または前記送信に対する肯定応答を前記ＴＢＴＴに先立って完了できない限り、前記送信を前記ダイレクトリンク上で開始しないように構成されたことを特徴とする請求項１８に記載の無線通信デバイス。
【請求項２０】
前記プロセッサは、ビーコンメッセージにおいてトラフィックインジケーションを受信し、前記トラフィックインジケーションが、前記ＡＰが前記ダイレクトリンク局に関するデータを有することを示すことを条件に、ポーリングメッセージを前記チャネルの第２のセット上でアクセスポイント（ＡＰ）に送信し、および前記チャネルの第２のセット上で前記ＡＰから前記データを受信するように構成されたことを特徴とする請求項１８に記載の無線通信デバイス。
【発明の詳細な説明】
【技術分野】
【０００１】
本発明は無線通信に関する。
【背景技術】
【０００２】
本出願は、２０１０年１１月１６日に出願した米国仮特許出願第６１／４１４，１２５号、２０１１年１月３日に出願した米国仮特許出願第６１／４２９，２６９号、２０１１年２月３日に出願した米国仮特許出願第６１／４３９，２４１号、２０１１年２月３日に出願した米国仮特許出願第６１／４３９，２５１号、および２０１１年３月２２日に出願した米国仮特許出願第６１／４６６，２３５号の利益を主張するものであり、それらの内容が参照により本明細書に組み込まれる。
【０００３】
家庭内またはオフィス内の無線通信環境は、通常、多くの独立して開発された無線アクセス技術および無線アクセス標準を備える。これらの技術は、当初、対象のアプリケーションに対して設計され、およびこれらのアプリケーションに対して比較的良好に実行する。通常の家庭もしくはオフィス環境において、コンテンツ（例えば、ウェブ、ビデオなど）へのアクセスは、住居の所有者のＩＰバックホール接続を通じてブロードバンドモデムに提供される。この接続は、一般に、デジタル加入者ライン（ＤＳＬ）、ケーブル、衛星リンクなどを介して実装される。モバイルサービスは、セルラネットワークを通じて、家庭もしくはオフィス内に位置するマクロセルもしくはフェムトセルのいずれかを通じて提供される。無線ローカルエリアネットワーク（ＷＬＡＮ）アクセスポイント（ＡＰ）は、８０２．１１ベースのＷｉＦｉ技術を使用するなど、コンピュータ、ラップトップ、プリンタ間のデータ接続性を提供する。
【０００４】
カメラ、ＰＣ、キーボード、マウス、モバイル電話、無線ヘッドセットなどのデバイス間の接続を可能にするために、ポイントツーポイントリンクもまた利用可能である（たとえば、Ｂｌｕｅｔｏｏｔｈ（登録商標）技術）。これらのリンクは、一般に、低帯域幅であり、および特定の目的を果たす。一部の高スループットポイントツーポイントリンクは、家庭またはオフィスにおいて利用可能である。そのような高速リンクの例は、ビデオ配信ケーブル交換（すなわち、テレビに対するセットトップボックスの接続）に関する。現在、これらの高スループットポイントツーポイントリンクは、基本的に固定であり、すなわち、これらを所与の時点における環境またはリンクに関与するデバイスの機能に基づいて動的に構成することができない。
【０００５】
８０２．１１標準は、フレームがＡＰを通過しないように、ある局（ＳＴＡ）から別の局への双方向リンクを可能にするダイレクトリンク機能をサポートする。ダイレクトリンクがセットアップされると、２つのＳＴＡ間のすべてのフレームは直接交換される。このダイレクトリンクは、トラフィックがＡＰを通じてルーティングされる必要がないため、無線媒体を効率的に使用するための手段を提供する。
【０００６】
図１は、ダイレクトリンクセットアップに関する例示的なハンドシェークプロセスを示す。ＳＴＡ２とフレームを交換することを意図するＳＴＡ１は、まず、その機能を含むリクエストフレームをＡＰに送信する（１２）。ＡＰは、ＳＴＡ２がＡＰによって管理された基本サービスセット（ＢＳＳ）においてＡＰとアソシエーションされることをチェックした後で、このリクエストをＳＴＡ２に転送する（１４）。ＳＴＡ２がダイレクトリンクリクエストをアクセプトする場合、ＳＴＡ２は、レスポンスをＡＰに送信し（１６）、ＡＰは、次いで、レスポンスをＳＴＡ１に転送する（１８）。これに続いて、ダイレクトリンクは確立され、およびＳＴＡ１とＳＴＡ２間で交換されるすべてのフレームは、これらの２つの局間でダイレクトに送信される。これらの局は、ＢＳＳにおける他のデバイスと、媒体を求めて競合し続ける（キャリア感知多重アクセス（ＣＳＭＡ）を使用して）。
【０００７】
８０２．１１ｚ標準は、８０２．１１ＤＬＳに対する拡張を開発した。８０２．１１ｚは、トンネリングされたＤＬＳ（ＴＤＬＳ）を定義する。８０２．１１ｚの主な目的は、ＡＰ独立ＤＬＳを提供することであった。図２は、ＩＥＥＥ８０２．１１ｚにおけるダイレクトリンクセットアップに関する例示的なプロセスを示す。ＳＴＡ１はＡＰを介してダイレクトリンクリクエストをＳＴＡ２に送信し（２２）、およびＳＴＡ２はＡＰを介してレスポンスをＳＴＡ１に送信する（２４）。ＤＬＳシグナリングフレームは、データフレームにおいてカプセル化され、その結果、それらは、ＡＰを介して透過的に転送される。これは、ＴＤＬＳ特徴のうちのいずれかがＡＰ内で実装されることを必要としない、簡素化された双方向ハンドシェークをもたらす。
【０００８】
通常のＤＬＳのように、８０２．１１ｚによって定義されるＴＤＬＳにおいては、ダイレクトリンクに関与するＳＴＡは、正規のＢＳＳトラフィックと同一の周波数帯域を利用し、およびそれらは、ＣＳＭＡを通じてこのトラフィックと競合する。ＤＬＳ／ＴＤＬＳのトラフィックと通常のＢＳＳトラフィックとの間の差は、ＤＬＳ／ＴＤＬＳ内で、フレームは、ＡＰを通過せずに２つのＳＴＡ間で直接的に交換されることである。
【０００９】
帯域幅要件が増大し続けるにつれて、８０２．１１に関して使用される産業科学医療（ＩＳＭ）用無線帯域外部の周波数帯域を利用する技術がますます普及してきている。ＷＬＡＮ通信に関して使用されることが予測される２つの潜在的な新たな非認可帯域は、テレビジョン（ＴＶ）ホワイトスペース（ＴＶＷＳ）非認可帯域および６０ＧＨｚ非認可帯域である。
【００１０】
米国では、５４ＭＨｚから８０６ＭＨｚまでのスペクトルの４０８ＭＨｚがＴＶに対して割り振られている。現在、そのスペクトルの１０８ＭＨｚは、オークションを通じた商用オペレーションに対して、および公安用途に対して再開発されている。この主要な無線スペクトルの残りの３００ＭＨｚは、依然として無線用ＴＶオペレーション専用である。しかし、米国の至るところで、その３００ＭＨｚリソースの一部は未使用のままである。未使用スペクトルの量および正確な周波数は、場所によって異なる。スペクトルのこれらの未使用部分は、ＴＶＷＳと呼ばれる。連邦通信委員会（ＦＣＣ）は、これらの未使用のＴＶＷＳ周波数を、様々な非認可使用に関して解放することを検討している。最大都市圏の外部に位置するＴＶ局はより少数であるため、占有されていないＴＶＷＳスペクトルの大部分は、ＤＳＬまたはケーブルなど、他の広帯域オプションによって十分にサービス提供されていない傾向がある人口密度の低い地域または郊外地域において利用可能である。それぞれの利用可能なＴＶチャネルは、広帯域接続性のために使用することができる６ＭＨｚのスペクトル容量を提供する。これらの周波数における信号の長距離伝搬に起因して、ＴＶＷＳははるかに大きなカバレッジエリアを有することになる。例えば、ＴＶＷＳにおいて動作しているＷＬＡＮ−ＡＰは、数平方マイルのエリアに対するカバレッジを提供することができる。対照的に、８０２．１１ｂ／ｇ／ｎなど、現在動作している無線機器は、１５０平方フィート（１３．９４平方メートル）の平均カバレッジエリアを有する。ＩＥＥＥ８０２．１９．１を含む、いくつかの標準化団体は、ＴＶＷＳにおけるＷＬＡＮおよび他のデバイスのオペレーションに関する標準を現在開発している。
【００１１】
近年、ＦＣＣは、５７〜６４ＧＨｚ間のライセンスフリーオペレーションについて、７ＧＨｚのチャネル化されていないスペクトル（un-channelized spectrum）を割り振った。これは、ＷｉＦｉおよびその他のライセンスフリー用途について２〜６ＧＨｚ間に割り振られた０．５ＧＨｚ未満のスペクトルに匹敵する。６０ＧＨｚ周波数帯域に割り振られたスペクトルは、マルチギガビット無線周波数リンクを有することを可能にする。ライセンスフリー６０ＧＨｚ無線は、それらを従来の２．４ＧＨｚまたは５ＧＨｚのライセンスフリー無線とはかなり異なるものにする一意の特性を有する。特に、この技術は、マルチメディアストリーミング、迅速なアップロード／ダウンロード、および無線ドッキングステーションなど、非常に高いデータ速度を必要とする、低移動度の屋内用途に非常に役立つ。ＩＥＥＥ８０２．１１ａｄグループは、６０ＧＨｚ無線をサポートするための新たな物理層（ＰＨＹ）および媒体アクセス制御（ＭＡＣ）を指定するために、現在の８０２．１１標準に対する変更提案を提出した。
【００１２】
８０２．１１ネットワークは、周期的なビーコンを採用して、ネットワークにおけるすべてのデバイスを時間同期する。ビーコンフレームは、ネットワークの可用性をブロードキャストする情報要素を含む。ビーコンフレームに含まれたパラメータのうちのいくつかは、ビーコン間隔、タイムスタンプ、ネットワーク識別（ＩＤ）、サポートされる速度などである。これらのビーコンは、８０２．１１におけるフレーム構造をおおまかに定義する（すなわち、データ送信は、２つの連続するビーコンフレーム間の時間間隔の間に発生する）。
【００１３】
８０２．１１タスクグループａｄ（ＴＧａｄ）は、８０２．１１に関する新たなフレーム構造を定義した。図３は、８０２．１１ａｄにおけるフレーム構造（ビーコン間隔構造）を示す。ビーコン間隔は、ビーコン時間（ＢＴ）、アソシエーションビームフォーミングトレーニング（Ａ−ＢＦＴ：association beamforming training）、アナウンス時間（ＡＴ：announcement time）、およびデータ転送時間（ＤＴＴ）に分割される。ＢＴは、その間に１つまたは複数のミリ波ビーコンフレームが送信されるアクセス期間である。Ａ−ＢＦＴは、その間にパーソナルＢＳＳコントロールポイント（ＰＣＰ）またはＡＰによってビームフォーミングトレーニングが実行されるアクセス期間である。ＡＴは、その間にＰＣＰまたはＡＰが非ＭＡＣサービスデータユニット（ＭＳＤＵ）を配信し、およびＳＴＡに対するアクセス機会を提供して非ＭＳＤＵを戻す、リクエスト／レスポンスベースの管理アクセス期間である。ＤＴＴは、その間にＳＴＡ間でフレーム交換が実行されるアクセス期間である。ＤＴＴは、競合ベースの期間（ＣＢＰ）およびサービス期間（ＳＰ）を備える。
【発明の概要】
【課題を解決するための手段】
【００１４】
無線ダイレクトリンクオペレーションに関する方法およびデバイスが開示される。動的スペクトル管理（ＤＳＭ）システムは、複数の局および中央エンティティを含む。複数の異なる無線アクセス技術がＤＳＭシステムにおいて展開されており、中央エンティティはネットワークにおける無線通信を調整および管理する。ダイレクトリンク局は、単一の無線または複数の無線を有してもよい。
【００１５】
ダイレクトリンク局は、チャネルの第１のセット上でアクセスポイント（ＡＰ）からビーコンを周期的に受信し、およびチャネルの第２のセット上にダイレクトリンクを有する。ダイレクトリンク局は、続くターゲットビーコン送信時間（ＴＢＴＴ）が同期ＴＢＴＴ（ＳＴＢＴＴ）であることを示すダイレクトリンク同期メッセージをＡＰから受信してもよい。ダイレクトリンク局はＳＴＢＴＴの間にダイレクトリンクチャネルをサイレントにする（silences)。ダイレクトリンク局は、ＳＴＢＴＴの間にまたはＳＴＢＴＴの後で、ダイレクトリンクに関する制御メッセージを受信してもよい。ダイレクトリンク局は、ピアダイレクトリンク局への送信またはその送信に対する肯定応答をＳＴＢＴＴに先行して完了することができない限り、その送信をダイレクトリンク上で開始しなくてもよい。
【００１６】
ダイレクトリンク局は、ダイレクトリンクの一次チャネル上でキャリア感知多重アクセス（ＣＳＭＡ）を実行し、および一次チャネルＣＳＭＡを介してすべてのダイレクトリンクチャネルに対するアクセスを得てもよい。ダイレクトリンク局は、無線周波数（ＲＦ）をＤＳＭチャネルに切り替えて、ＴＢＴＴに従って、ＡＰからビーコンメッセージを周期的に受信してもよい。ダイレクトリンク局は、ピアダイレクトリンク局への送信またはその送信に対する肯定応答をＴＢＴＴに先立って完了できない限り、その送信をダイレクトリンク上で開始しなくてもよい。
【００１７】
ダイレクトリンク局は、ビーコンメッセージにおいてトラフィックインジケーションを受信し、トラフィックインジケーションが、ＡＰがダイレクトリンク局に対するユニキャストデータ、マルチキャストデータ、またはブロードキャストデータを有することを示す場合に、ポーリングメッセージをＤＳＭチャネル上でＡＰに送信し、およびＡＰからデータをチャネルの第２のセット上で受信してもよい。ダイレクトリンク局がＡＰに送信するためのデータを有する場合、ダイレクトリンク局は、チャネルを切り替える前に、ダイレクトリンク中断リクエストをピアダイレクトリンク局に送信してもよい。
【００１８】
接続性マッピングプロシージャが実行されて、ネットワークにおけるデバイスの接続性、サービス、または機能に関するマッピングを確立してもよい。接続性クエリアナウンスメッセージをデバイスに送信する中央エンティティによって、このプロシージャが開始されてもよい。ダイレクトリンク局は接続性クエリメッセージをブロードキャストし、その結果、他の局はそのメッセージを測定し、およびその測定結果をダイレクトリンク局にレポートしてもよい。また、接続性マッピングを更新するために、ダイレクトリンク局は、他の局からのレスポンスメッセージを測定し、およびそれ自体の測定結果および他の局の測定結果を含むレポートを中央エンティティに送信する。
【００１９】
ＤＳＭリンク障害の場合、ダイレクトリンク局は、中央エンティティに対するＤＳＭリンクに関する中継器として動作することを、ピアダイレクトリンク局に要求することができる。次いで、ピア局は、キープアライブメッセージを中央エンティティに送信して、ダイレクトリンク局が中継器として動作することを示し、およびＡＰから受信されたメッセージをダイレクトリンク上でピアダイレクトリンク局に転送する。
【図面の簡単な説明】
【００２０】
添付の図面と共に例として与えられる、以下の説明からより詳細な理解が得られよう。
【図１】ダイレクトリンクセットアップについての例示的なハンドシェークプロセスを示す図である。
【図２】ＩＥＥＥ８０２．１１ｚにおけるダイレクトリンクセットアップについての例示的なプロセスを示す図である。
【図３】８０２．１１ａｄのフレーム構造を示す図である。
【図４Ａ】１つまたは複数の開示される実施形態を実装することができる例示的な通信システムのシステム図である。
【図４Ｂ】図４Ａにおいて例示された通信システム内で使用することができる例示的な無線送受信ユニット（ＷＴＲＵ）のシステム図である。
【図４Ｃ】図４Ａにおいて例示された通信システム内で使用することができる例示的な無線アクセスネットワークおよび例示的なコアネットワークの系統図である。
【図５】ＤＳＭシステムの例示的なアーキテクチャを示す図である。
【図６】ＴＶＷＳにおける２つのデバイス間でダイレクトリンクを確立するための例示的なシグナリングフローを示す図である。
【図７】別個の無線によるクライアントデバイス間のダイレクトリンク上の例示的な送受信を示す図である。
【図８】ＳＴＢＴＴおよびダイレクトリンク同期メッセージの例示的な送信を示す図である。
【図９Ａ】６０ＧＨｚ上のダイレクトリンクセットアップについての例示的なシグナリングフローを示す図である。
【図９Ｂ】６０ＧＨｚ上のダイレクトリンクセットアップに関する例示的なシグナリングフローを示す図である。
【図１０】競合ベースの期間（ＣＢＰ）を有するフレームフォーマットを示す図である。
【図１１】サービス期間（ＳＰ）のみを有するデータ伝送時間（ＤＴＴ）を有する例示的なフレームフォーマットを示す図である。
【図１２】クライアントにおいて単一の無線を使用する例示的なダイレクトリンクセットアップを示す図である。
【図１３】２つのアクティブなダイレクトリンク（高帯域幅ダイレクトリンク１および低帯域幅ダイレクトリンク２）についての制御されたアクセス期間（ＣＡＰ）の例示的な使用を示す図である。
【図１４】ＣＡＰを開始するためのポーリングメッセージを送信することによってダイレクトリンクをセットアップするための例示的なプロセスを示す図である。
【図１５】ダイレクトリンク送信機会（ＴＸＯＰ）の間にピギーバックされた肯定応答（ＡＣＫ）の例示的な送信を示す図である。
【図１６】チャネル共有をアグリゲートする例示的なメッセージフローを示す図である。
【図１７】ダイレクトリンクおよびＤＳＭリンクが両方とも一次チャネルを使用して媒体を確保する例示的なＤＳＭリンクならびにダイレクトリンクオペレーションを示す図である。
【図１８】一次チャネル上でＣＳＭＡを実施する、ＤＳＭリンク上およびダイレクトリンク上の例示的な送信を示す図である。
【図１９】別個の一次チャネルを使用するＤＳＭリンク上およびダイレクトリンク上の例示的な送信を示す図である。
【図２０】ＤＳＭエンジンを含む例示的なＤＳＭシステムアーキテクチャを示す図である。
【図２１】モードＩを使用するダイレクトリンクの例示的なオペレーションを示す図である。
【図２２】モードＩＩを使用するダイレクトリンクの例示的なオペレーションを示す図である。
【図２３】モードＩＩダイレクトリンク内の例示的な時間多重オペレーションを示す図である。
【図２４（Ａ）】ＴＢＴＴにおけるＳＴＡの例示的なオペレーションを示す図である。
【図２４（Ｂ）】ＴＢＴＴにおけるＳＴＡの例示的なオペレーションを示す図である。
【図２５】ＤＳＭリンク上のＡＰからＳＴＡへのユニキャストフレームの例示的な送信を示す図である。
【図２６】ＤＳＭチャネル上のユニキャスト送信の後でダイレクトリンクを再確立する例示的なシグナリングフローを示す図である。
【図２７】ＤＳＭチャネル上のユニキャスト送信の後でダイレクトリンクを再確立する例示的なシグナリングフローを示す図である。
【図２８】局の間でハンドシェークを使用するダイレクトリンク再確立についての例示的なシグナリングフローを示す図である。
【図２９】ＤＳＭリンク上のＡＰからダイレクトリンクＳＴＡへのブロードキャストフレーム／マルチキャストフレームの例示的な送信を示す図である。
【図３０】ＡＰに対するダイレクトリンクＳＴＡ送信に関する例示的なハンドシェークを示す図である。
【図３１】スペースリンクの例を示す図である。
【図３２】端末間ダイレクトリンク管理に関する、中央ノードおよび複数の端末デバイスを含む例示的なネットワークアキテクチャを示す図である。
【図３３】端末アソシエーション（terminal association）の後の接続性情報収集についての例示的なシグナリングフローを示す図である。
【図３４】周期的な接続性情報更新についての例示的なシグナリングフローを示す図である。
【図３５】例示的なオンデマンド接続性情報収集を示す図である。
【図３６】接続性および機能マッピングを使用したダイレクトリンクセットアップに関する例示的なシグナリングフローを示す図である。
【図３７】接続性チェックについてのプロセスの例示的なフローチャートである。
【図３８Ａ】例示的なダイレクトリンクモニタリングプロシージャを示す図である。
【図３８Ｂ】例示的なダイレクトリンクモニタリングプロシージャを示す図である。
【図３９Ａ】一実施形態によるダイレクトリンクセットアップまたはダイレクトリンク活性化のプロシージャの例示的なフローチャートである。
【図３９Ｂ】一実施形態によるダイレクトリンクセットアップまたはダイレクトリンク活性化のプロシージャの例示的なフローチャートである。
【図３９Ｃ】一実施形態によるダイレクトリンクセットアップまたはダイレクトリンク活性化のプロシージャの例示的なフローチャートである。
【図４０Ａ】別の実施形態によるダイレクトリンクセットアップまたはダイレクトリンク活性化のプロシージャの例示的なフローチャートである。
【図４０Ｂ】別の実施形態によるダイレクトリンクセットアップまたはダイレクトリンク活性化のプロシージャの例示的なフローチャートである。
【図４０Ｃ】別の実施形態によるダイレクトリンクセットアップまたはダイレクトリンク活性化のプロシージャの例示的なフローチャートである。
【図４０Ｄ】別の実施形態によるダイレクトリンクセットアップまたはダイレクトリンク活性化のプロシージャの例示的なフローチャートである。
【図４１】ダイレクトリンクセットアップについての例示的なメッセージ交換を示す図である。
【図４２】ダイレクトリンクセットアップについてのダイレクトリンク局とＤＳＭエンジンとの間の例示的なシグナリングフローを示す図である。
【図４３】ダイレクトリンク再構成決定を行うプロセスの例示的なフローチャートである。
【図４４】ダイレクトリンクチャネルセット再構成についての例示的なプロセスのフローチャートである。
【図４５Ａ】ＳＴＡによって開始されるダイレクトリンクチャネルセット再構成についての例示的なプロセスのフローチャートである。
【図４５Ｂ】ＳＴＡによって開始されるダイレクトリンクチャネルセット再構成についての例示的なプロセスのフローチャートである。
【図４６】例示的なチャネル切替えメッセージを示す図である。
【図４７】例示的なアグリゲートされたクワイエットエレメント（quiet element）を示す図である。
【図４８Ａ】ＤＳＭリンクメンテナンスについての例示的なプロセスのフローチャートである。
【図４８Ｂ】ＤＳＭリンクメンテナンスについての例示的なプロセスのフローチャートである。
【図４９Ａ】ＤＳＭリンク障害についての例示的なプロセスのフローチャートである。
【図４９Ｂ】ＤＳＭリンク障害についての例示的なプロセスのフローチャートである。
【図４９Ｃ】ＤＳＭリンク障害についての例示的なプロセスのフローチャートである。
【図５０】スキャニング例を示す図である。
【図５１】ダイレクトリンク管理エンティティ（ＤＬＭＥ）ならびにＡＰおよび帯域幅割振制御（ＢＡＣ）に対するインターフェースを含むＤＳＭエンジンの例示的な構造を示す図である。
【発明を実施するための形態】
【００２１】
図４Ａは、１つまたは複数の開示された実施形態を実装することができる例示的な通信システム１００を示す図である。通信システム１００は、音声、データ、ビデオ、メッセージング、ブロードキャストなどのコンテンツを複数の無線ユーザに提供する多元接続システムであってもよい。通信システム１００は、複数の無線ユーザが、無線帯域を含むシステムリソースの共有を通じて、そのようなコンテンツにアクセスすることを可能にしてもよい。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を採用してもよい。
【００２２】
図１Ａに示すように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆電話交換網（ＰＳＴＮ）１０８、インターネット１１０、およびその他のネットワーク１１２を含んでもよいが、開示される実施形態は、任意の数のＷＴＲＵ、基地局、ネットワーク、および／またはネットワーク要素を企図する点を理解されよう。ＷＴＲＵ１０２ａ、１０２ｂ、１０２ｃ、１０２ｄのそれぞれは、無線環境で動作および／または通信するように構成された任意のタイプのデバイスであってもよい。例として、ＷＴＲＵ１０２ａ、１０２ｂ、１０２ｃ、１０２ｄは、無線信号を送信および／または受信するように構成されてもよく、およびユーザ装置（ＵＥ）、移動局、固定加入者ユニットまたは移動加入者ユニット、ページャ、セルラ電話、携帯情報端末（ＰＤＡ）、スマートフォン、ラップトップ、ノートブック、パーソナルコンピュータ、無線センサ、家庭用電化製品などを含んでもよい。
【００２３】
通信システム１００はまた、基地局１１４ａおよび基地局１１４ｂを含んでもよい。基地局１１４ａ、１１４ｂのそれぞれは、ＷＴＲＵ１０２ａ、１０２ｂ、１０２ｃ、１０２ｄのうちの少なくとも１つと無線でインターフェース接続して、コアネットワーク１０６、インターネット１１０、および／もしくはネットワーク１１２など、１つまたは複数の通信ネットワークへのアクセスを円滑にするように構成された任意のタイプのデバイスであってもよい。例として、基地局１１４ａ、１１４ｂは、ベーストランシーバ局（ＢＴＳ）、ＮｏｄｅＢ、ｅＮｏｄｅＢ、ホームＮｏｄｅＢ、ホームｅＮｏｄｅＢ、サイトコントローラ、アクセスポイント（ＡＰ）および無線ルータなどであってもよい。基地局１１４ａ、１１４ｂは、それぞれ、単一の要素として示されているが、基地局１１４ａ、１１４ｂは、任意の数の相互接続された基地局および／またはネットワーク要素を含んでもよいことが理解されよう。
【００２４】
基地局１１４ａは、基地局コントローラ（ＢＳＣ）、無線ネットワークコントローラ（ＲＮＣ）、中継ノードなど、他の基地局および／またはネットワーク要素（図示せず）を含むことも可能なＲＡＮ１０４の一部であってもよい。基地局１１４ａおよび／または基地局１１４ｂは、セル（図示せず）と呼ばれる場合もある特定の地理的領域内で無線信号を送受信するように構成されてもよい。セルはさらにセルセクタ分割されてもよい。例えば、基地局１１４ａに関連するセルは３つのセクタに分割されてもよい。したがって、一実施形態では、基地局１１４ａは、３つのトランシーバを、すなわち、セルのそれぞれのセクタごとに１つずつ含んでもよい。別の実施形態では、基地局１１４ａは、多入出力（ＭＩＭＯ）技術を採用してもよく、したがって、セルのそれぞれのセクタに対して複数のトランシーバを利用してもよい。
【００２５】
基地局１１４ａ、１１４ｂは、任意の適切な無線通信リンク（例えば、無線周波数（ＲＦ）、マイクロ波、赤外線（ＩＲ）、紫外線（ＵＶ）、可視光線など）であってもよいエアインターフェース１１６上でＷＴＲＵ１０２ａ、１０２ｂ、１０２ｃ、１０２ｄのうちの１つまたは複数と通信してもよい。エアインターフェース１１６は、任意の適切な無線アクセス技術（ＲＡＴ）を使用して確立されてもよい。
【００２６】
より詳細には、上述したように、通信システム１００は、多元接続システムであってよく、およびＣＤＭＡ、ＴＤＭＡ、ＦＤＭＡ、ＯＦＤＭＡ、ＳＣ−ＦＤＭＡなど、１つまたは複数のチャネルアクセス方式を採用してもよい。例えば、ＲＡＮ１０４における基地局１１４ａおよびＷＴＲＵ１０２ａ、１０２ｂ、１０２ｃは、広帯域ＣＤＭＡ（ＷＣＤＭＡ（登録商標））を使用してエアインターフェース１１６を確立することが可能なユニバーサル移動通信システム（ＵＭＴＳ）地上無線アクセス（ＵＴＲＡ）などの無線技術を実装してもよい。ＷＣＤＭＡは、高速パケットアクセス（ＨＳＰＡ）および／または発展型ＨＳＰＡ（ＨＳＰＡ＋）などの通信プロトコルを含んでもよい。ＨＳＰＡは、高速ダウンリンクパケットアクセス（ＨＳＤＰＡ）および／または高速アップリンクパケットアクセス（ＨＳＵＰＡ）を含んでもよい。
【００２７】
別の実施形態では、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）を使用して、エアインターフェース１１６を確立することが可能な発展型ＵＭＴＳ地上無線アクセス（Ｅ−ＵＴＲＡ）などの無線技術を実装してもよい。
【００２８】
その他の実施形態では、基地局１１４ａおよびＷＴＲＵ１０２ａ、１０２ｂ、１０２ｃは、ＩＥＥＥ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００１Ｘ、ＣＤＭＡ２０００ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ：登録商標）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ）などの無線技術を実装してもよい。
【００２９】
図４Ａにおける基地局１１４ｂは、無線ルータ、ホームＮｏｄｅＢ、ホームｅＮｏｄｅＢ、またはアクセスポイントであってよく、例えば、事業所、住居、車両、キャンパスなど、局所的領域内の無線接続性を円滑にする任意の適切なＲＡＴを利用してもよい。一実施形態では、基地局１１４ｂおよびＷＴＲＵ１０２ｃ、１０２ｄは、ＩＥＥＥ８０２．１１などの無線技術を実装して、無線ローカルエリアネットワーク（ＷＬＡＮ）を確立してもよい。別の実施形態では、基地局１１４ｂおよびＷＴＲＵ１０２ｃ、１０２ｄは、ＩＥＥＥ８０２．１５などの無線技術を実装して、無線パーソナルエリアネットワーク（ＷＰＡＮ）を確立してもよい。さらに別の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立してもよい。図１Ａに示すように、基地局１１４ｂは、インターネット１１０に対する直接接続を有してもよい。したがって、基地局１１４ｂは、コアネットワーク１０６を介してインターネット１１０にアクセスすることが必要でない場合がある。
【００３０】
ＲＡＮ１０４は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された任意のタイプのネットワークとすることができる、コアネットワーク１０６と通信してもよい。例えば、コアネットワーク１０６は、呼制御、課金サービス、モバイルロケーションベースのサービス、プリペイド電話、インターネット接続性、ビデオ配信などを提供してもよく、および／またはユーザ認証などのハイレベルのセキュリティ機能を実行してもよい。図１Ａに示されないが、ＲＡＮ１０４および／またはコアネットワーク１０６は、ＲＡＮ１０４と同一のＲＡＴまたは異なるＲＡＴを用いる他のＲＡＮと直接的または間接的に通信してもよいことが理解されよう。例えば、Ｅ−ＵＴＲＡ無線技術を利用することが可能である、ＲＡＮ１０４に接続されていることに加えて、コアネットワーク１０６はまた、ＧＳＭ無線技術を採用する別のＲＡＮ（図示せず）と通信してもよい。
【００３１】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして動作してもよい。ＰＳＴＮ１０８は、基本電話サービス（ＰＯＴＳ）を提供する回路交換電話ネットワークを含んでもよい。インターネット１１０は、ＴＣＰ／ＩＰインターネットプロトコル群における伝送制御プロトコル（ＴＣＰ）、ユーザデータグラムプロトコル（ＵＤＰ）、およびインターネットプロトコル（ＩＰ）など、共通の通信プロトコルを使用する相互接続されたコンピュータネットワークおよびデバイスのグローバルシステムを含んでもよい。ネットワーク１１２は、他のサービスプロバイダによって所有および／もしくは操作される有線通信ネットワークまたは無線通信ネットワークを含んでもよい。例えば、ネットワーク１１２は、ＲＡＮ１０４と同一のＲＡＴまたは異なるＲＡＴを採用することができる、１つまたは複数のＲＡＮに接続された別のコアネットワークを含んでもよい。
【００３２】
通信システム１００におけるＷＴＲＵ１０２ａ、１０２ｂ、１０２ｃ、１０２ｄのうちのいくつかまたはすべては、マルチモード機能を含んでもよく、すなわち、ＷＴＲＵ１０２ａ、１０２ｂ、１０２ｃ、１０２ｄは、異なる無線リンク上で異なる無線ネットワークと通信するために複数のトランシーバを含んでもよい。例えば、図１Ａに示すＷＴＲＵ１０２ｃは、セルラベースの無線技術を採用することができる基地局１１４ａと、かつＩＥＥＥ８０２無線技術を採用することができる基地局１１４ｂと通信するように構成されてもよい。
【００３３】
図４Ｂは、例示的なＷＴＲＵ１０２を示すシステム図である。図１Ｂに示すように、ＷＴＲＵ１０２は、プロセッサ１１８、トランシーバ１２０、送受信要素１２２、スピーカ／マイクロフォン１２４、キーパッド１２６、ディスプレイ／タッチパッド１２８、着脱不能メモリ１３０、着脱可能メモリ１３２、電源１３４、全地球測位システム（ＧＰＳ）チップセット１３６、およびその他の周辺機器１３８を含んでもよい。ＷＴＲＵ１０２は、一実施形態との整合を維持しながら、前述の要素のいずれかのサブコンビネーションを含んでもよいことが理解されよう。
【００３４】
プロセッサ１１８は、汎用プロセッサ、専用プロセッサ、従来型のプロセッサ、デジタルシグナルプロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意のその他のタイプの集積回路（ＩＣ）、状態機械などであってもよい。プロセッサ１１８は、信号符号化、データ処理、電力制御、入出力処理、および／またはＷＴＲＵ１０２が無線環境で動作することを可能にする任意のその他の機能性を実行してもよい。プロセッサ１１８は送受信要素１２２に結合可能なトランシーバ１２０に結合されてもよい。図１Ｂはプロセッサ１１８およびトランシーバ１２０を別個の構成要素として示しているが、プロセッサ１１８およびトランシーバ１２０は、電子パッケージ内または電子チップ内に統合されてもよいことが理解されよう。
【００３５】
送受信要素１２２は、エアインターフェース１１６上で、基地局（例えば、基地局１１４ａ）に信号を送信するように、または基地局（例えば、基地局１１４ａ）から信号を受信するように構成されてもよい。例えば、一実施形態では、送受信要素１２２は、ＲＦ信号を送信および／または受信するように構成されたアンテナであってもよい。別の実施形態では、送受信要素１２２は、例えば、ＩＲ信号、ＵＶ信号、または可視光信号を送信おおび／または受信するように構成されたエミッタ／ディテクタであってもよい。さらに別の実施形態では、送受信要素１２２は、ＲＦ信号および光信号の両方を送信および／または受信するように構成されてもよい。送受信要素１２２は、無線信号の任意の組合せを送信および／または受信するように構成されてもよいことが理解されよう。
【００３６】
加えて、送受信要素１２２は図１Ｂにおいて単一の要素として示されているが、ＷＴＲＵ１０２は、任意の数の送受信要素１２２を含んでもよい。より詳細には、ＷＴＲＵ１０２は、ＭＩＭＯ技術を採用してもよい。したがって、一実施形態では、ＷＴＲＵ１０２は、エアインターフェース１１６上で無線信号を送信および受信する２つ以上の送受信要素１２２（例えば、複数のアンテナ）を含んでもよい。
【００３７】
トランシーバ１２０は、送受信要素１２２によって送信されるべき信号を変調し、および送受信要素１２２によって受信された信号を復調するように構成されてもよい。上述したように、ＷＴＲＵ１０２は、マルチモード機能を有してもよい。したがって、トランシーバ１２０は、ＷＴＲＵ１０２が、例えば、ＵＴＲＡおよびＩＥＥＥ８０２．１１など、複数のＲＡＴを介して通信することを可能にする複数のトランシーバを含んでもよい。
【００３８】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）に結合されてもよく、ならびにこれらからユーザ入力データを受信してもよい。プロセッサ１１８は、ユーザデータをスピーカ／マイクロフォン１２４、キーパッド１２６、および／またはディスプレイ／タッチパッド１２８に出力してもよい。加えて、プロセッサ１１８は、着脱不能メモリ１３０および／または着脱可能メモリ１３２など、任意のタイプの適切なメモリからの情報にアクセスすること、ならびにそれらにデータを記憶してもよい。着脱不能メモリ１３０は、ランダムアクセスメモリ（ＲＡＭ）、リードオンリメモリ（ＲＯＭ）、ハードディスク、または任意のその他のタイプのメモリ記憶デバイスを含んでもよい。着脱可能メモリ１３２は、加入者識別モジュール（ＳＩＭ）カード、メモリスティック、セキュアデジタル（ＳＤ）メモリカードなどを含んでもよい。その他の実施形態では、プロセッサ１１８は、サーバまたはホームコンピュータ上（図示せず）など、ＷＴＲＵ１０２上に物理的に配置されていないメモリからの情報にアクセスしてもよく、およびそれらにデータを記憶してもよい。
【００３９】
プロセッサ１１８は、電源１３４から電力を受信することができ、ＷＴＲＵ１０２におけるその他の構成要素に対して電力を分散するように、かつ／または他の構成要素に対する電力を制御するように構成されてもよい。電源１３４は、ＷＴＲＵ１０２に電力供給するための任意の適切なデバイスであってもよい。例えば、電源１３４は、（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）１つまたは複数の乾電池、太陽電池、燃料電池などを含んでもよい。
【００４０】
プロセッサ１１８はまた、ＷＴＲＵ１０２の現在の位置に関する位置情報（例えば、経度および緯度）を提供するように構成することが可能なＧＰＳチップセット１３６に結合されてもよい。ＧＰＳチップセット１３６からの情報に加えて、またはその代わりに、ＷＴＲＵ１０２は、エアインターフェース１１６上で基地局（例えば、基地局１１４ａ、１１４ｂ）から位置情報を受信してもよく、および／または２つ以上の隣接基地局から受信されている信号のタイミングに基づいて、その位置を判定してもよい。ＷＴＲＵ１０２は、ある実施形態との整合を維持しながら、任意の適切な位置判定方法によって、位置情報を獲得してもよいことが理解されよう。
【００４１】
プロセッサ１１８は、追加の特徴、機能性、および／または有線接続性もしくは無線接続性を提供する、１つまたは複数のソフトウェアモジュールおよび／もしくはハードウェアモジュールを含むことが可能なその他の周辺機器１３８にさらに結合されてもよい。例えば、周辺機器１３８は、加速度計、電子コンパス、衛星トランシーバ、（写真用またはビデオ用の）デジタルカメラ、ユニバーサルシリアルバス（ＵＳＢ）ポート、振動デバイス、テレビジョントランシーバ、ハンズフリーヘッドセット、Ｂｌｕｅｔｏｏｔｈ（登録商標）モジュール、周波数変調（ＦＭ）無線ユニット、デジタル音楽プレイヤ、メディアプレイヤ、ビデオゲームプレイヤモジュールおよびインターネットブラウザなどを含んでもよい。
【００４２】
図４Ｃは、一実施形態に準じたＲＡＮ１０４およびコアネットワーク１０６を示すシステム図である。上述したように、ＲＡＮ１０４は、ＵＴＲＡ無線技術を採用して、エアインターフェース１１６上でＷＴＲＵ１０２ａ、１０２ｂ、１０２ｃと通信してもよい。ＲＡＮ１０４はまた、コアネットワーク１０６と通信してもよい。図１Ｃに示すように、ＲＡＮ１０４は、それぞれがエアインターフェース１１６上でＷＴＲＵ１０２ａ、１０２ｂ、１０２ｃと通信する１つまたは複数のトランシーバを含むことが可能な、ＮｏｄｅＢ１４０ａ、１４０ｂ、１４０ｃを含んでもよい。ＮｏｄｅＢ１４０ａ、１４０ｂ、１４０ｃは、それぞれ、ＲＡＮ１０４内の特定のセル（図示せず）と関連付けられてもよい。ＲＡＮ１０４は、ＲＮＣ１４２ａ、１４２ｂを含んでもよい。ＲＡＮ１０４は、一実施形態との整合を維持しながら、任意の数のＮｏｄｅＢおよびＲＮＣを含んでもよいことが理解されよう。
【００４３】
図１Ｃに示すように、ＮｏｄｅＢ１４０ａ、１４０ｂは、ＲＮＣ１４２ａと通信してもよい。加えて、ＮｏｄｅＢ１４０ｃは、ＲＮＣ１４２ｂと通信してもよい。ＮｏｄｅＢ１４０ａ、１４０ｂ、１４０ｃは、Ｉｕｂインターフェースを介してそれぞれのＲＮＣ１４２ａ、１４２ｂと通信してもよい。ＲＮＣ１４２ａ、１４２ｂは、Ｉｕｒインターフェースを介して互いに通信してもよい。ＲＮＣ１４２ａ、１４２ｂのそれぞれは、それが接続されるそれぞれのＮｏｄｅＢ１４０ａ、１４０ｂ、１４０ｃを制御するように構成されてもよい。加えて、ＲＮＣ１４２ａ、１４２ｂのそれぞれは、アウターループ電力制御、負荷制御、アドミッション制御、パケットスケジューリング、ハンドオーバ制御、マクロダイバーシティ、セキュリティ機能、データ暗号化など、他の機能性を実行またはサポートするように構成されてもよい。
【００４４】
図１Ｃに示すコアネットワーク１０６は、メディアゲートウェイ（ＭＧＷ）１４４、モバイルスイッチングセンタ（ＭＳＣ）１４６、パケットアクセス制御ノード（ＳＧＳＮ）１４８、および／またはパケットゲートウェイノード（ＧＧＳＮ）１５０を含んでもよい。前述の要素のそれぞれはコアネットワーク１０６の一部として示されているが、これらの要素のうちのいずれか１つは、コアネットワークオペレータ以外のエンティティによって所有および／または操作されてもよいことが理解されよう。
【００４５】
ＲＡＮ１０４におけるＲＮＣ１４２ａは、ＩｕＣＳインターフェースを介してコアネットワーク１０６におけるＭＳＣ１４６に接続されてもよい。ＭＳＣ１４６は、ＭＧＷ１４４に接続されてもよい。ＭＳＣ１４６およびＭＧＷ１４４は、ＷＴＲＵ１０２ａ、１０２ｂ、１０２ｃにＰＳＴＮ１０８などの回線交換ネットワークへのアクセスを提供して、ＷＴＲＵ１０２ａ、１０２ｂ、１０２ｃと従来の陸線通信デバイスとの間の通信を円滑にしてもよい。
【００４６】
ＲＡＮ１０４におけるＲＮＣ１４２ａは、ＩｕＰＳインターフェースを介してコアネットワーク１０６におけるＳＧＳＮ１４８に接続されてもよい。ＳＧＳＮ１４８は、ＧＧＳＮ１５０に接続されてもよい。ＳＧＳＮ１４８およびＧＧＳＮ１５０は、ＷＴＲＵ１０２ａ、１０２ｂ、１０２ｃにインターネット１１０などのパケット交換ネットワークへのアクセスを提供して、ＷＴＲＵ１０２ａ、１０２ｂ、１０２ｃとＩＰ可能なデバイスとの間の通信を円滑にしてもよい。
【００４７】
上述したように、コアネットワーク１０６は、他のサービスプロバイダによって所有および／もしくは操作される、その他の有線ネットワークまたは無線ネットワークを含むことができるネットワーク１１２に接続されてもよい。
【００４８】
従来のＩＥＥＥ８０２．１１ベースのダイレクトリンクオペレーションは、ＡＰによって調整されず、およびダイレクトリンクは、そのＡＰリンクによって使用される周波数またはチャネルと異なる周波数上またはチャネル上で動作しない。ダイレクトリンクは、中央エンティティによるリンクの管理から甚大な利益を享受する場合がある。中央管理は、ダイレクトリンクに関して、より良好なピア検出を可能にする場合がある。それはダイレクトリンク上のスループットを改善し、ならびに干渉および不要な競合を効果的に回避することができるスケジューリングおよび管理機構を可能にすることによって、複数のダイレクトリンクの共存を可能にする場合がある。局は、多くの場合、電力またはセンシング機能の点で制約を受け、および中央エンティティによって支援されていることから利益を享受する場合がある。ダイレクトリンクデバイスは、ＴＶＷＳおよび６０ＧＨｚで利用可能な新たな非認可スペクトルを使用する場合がある。このスペクトルを利用するために、干渉緩和および適切なチャネルの選択（ＴＶＷＳ帯域において）に対し、ならびに（６０ＧＨｚ内で利用するための）それぞれのデバイスの無線の適切な構成に対し、中央管理されたダイレクトリンクが必要とされる場合がある。ダイレクトリンクが８０２．１１ベースのリンクとは別個の無線を使用する場合、中央管理エンティティがリンクを管理するために、ＳＴＡにおけるリンクの同期が必要とされる。共通無線が使用される場合、ダイレクトリンクトラフィックに関する高スループットを保証するとともに、同一のローカルエリアにおける複数のダイレクトリンクを可能にするために、帯域幅が効果的に管理される必要がある。
【００４９】
これらの実施形態は、以下で、一例として、ＩＥＥＥ８０２．１１を参照して説明されるが、本実施形態は、任意の無線技術に適用可能である点に留意するべきである。本実施形態は、ＴＶＷＳチャネルまたはその他の特定のチャネルを参照して説明される場合があるが、本実施形態はその他のチャネルに拡張してもよい点に留意するべきである。
【００５０】
以下で、用語「チャネル」および「物理チャネル」は、交換可能に使用され、特定のオペレーション帯域内の帯域幅の区分を指す。以下で、用語「ＤＳＭクライアント」、「クライアント」、「局」、「デバイス」、および「端末」は、交換可能に使用され、別のエンティティとポイントツーポイント（ダイレクトリンク）通信が可能なエンティティを表す。用語「局」および「クライアント」は、ＷＴＲＵまたはＵＥであってもよい非ＡＰデバイスを表すために使用される。用語「ダイレクトリンク活性化」および「ダイレクトリンクセットアップ」は、交換可能に使用され、用語「ダイレクトリンク非活性化」および「ダイレクトリンクティアダウン（teardown）」は、交換可能に使用される。用語「中央エンティティ」は、ローカルネットワークにおける通信を制御するエンティティ（すなわち、ＤＳＭシステム）を表す。中央エンティティは、８０２．１１ネットワークのＡＰ、ホーム発展型ＮｏｄｅＢ（ＨｅＮＢ）、ホームＮｏｄｅＢ（ＨＮＢ）、またはＤＳＭエンジンなどであってもよい。中央エンティティは、１つのコンポーネントまたは複数のコンポーネントを含んでもよい。用語「ＤＳＭエンジン」は、ローカルエリアにおける無線通信を調整および管理する機能を有するエンティティを表し、ＡＰ機能性、ＨｅＮＢ機能性、またはＨＮＢ機能性を含んでもよい。用語「ＤＬＭＥ」は、ダイレクトリンクオペレーションを制御するエンティティ（ソフトウェアエンティティ）を表すために使用される。用語「ＤＬＭＥ」は、任意の場所、例えば、ＡＰ（ＨｅＮＢ、ＨＮＢなど）、ＤＳＭエンジン（ＤＬＭＥサーバ）、または外部エンティティ（例えば、ＡＰに接続されたパーソナルコンピュータ）に配置されてもよい。以下で、用語「制御チャネル」は、制御シグナリングを伝送するために使用することができる論理チャネルを指す。
【００５１】
無線通信環境において、複数の異なる無線技術が展開されてもよい。一実施形態に準じて、スペクトルを効率的に管理し、および無線アクセス技術を通して潜在的な相乗効果を活用するために中央エンティティが提供されてもよい（すなわち、別のオペレーションを支援するために１つの技術が使用される）。以下で、そのようなシステムは、ＤＳＭシステムと呼ばれる。
【００５２】
図５は、ＤＳＭシステムの例示的なアーキテクチャを示す。ＤＳＭシステムは、家庭またはオフィスなどのローカルエリアにおいて動作してもよい。ＤＳＭシステムは、ＤＳＭエンジン５１０およびＤＳＭクライアント５２０を備える。ＤＳＭエンジン５１０は、ローカルエリアにおいて無線通信を調整および管理する中央エンティティである。ＤＳＭクライアント５２０は、ＤＳＭエンジン５１０以外のローカルネットワークにおいて動作している無線デバイスである。
【００５３】
ＤＳＭエンジン５１０は、複数のＤＳＭクライアント５２０からの送信を制御および調整する。ＤＳＭエンジン５１０とＤＳＭクライアント５２０との間の通信は、ＤＳＭリンクを通じてである。ＤＳＭエンジン５１０は、８０２．１１ＡＰの機能性、ならびにＤＳＭクライアント送信を最適化するための追加の機能性（例えば、センシング、調整など）を有してもよい。ＤＳＭエンジン５１０は、別個のエンティティであってもよく、またはＡＰ上で動作してもよい。
【００５４】
ＤＳＭエンジン５１０は、ダイレクトリンクによって使用される帯域幅を管理してもよい。ＤＳＭエンジン５１０は、ピア検出、複数のダイレクトリンクの管理、およびダイレクトリンク上で送信されたトラフィックのサービス品質（ＱｏＳ）管理を調整する中央管理エンティティとしてサービスする。
【００５５】
ＤＳＭエンジン５１０およびＤＳＭクライアント５２０は、非認可帯域（例えば、２．４ＧＨｚおよび５ＧＨｚのＩＳＭ帯域、ＴＶＷＳ帯域、ならびに６０ＧＨｚ帯域など）において動作してもよい。ＤＳＭエンジン５１０は、認可帯域上および非認可帯域上、ならびに任意のダイレクトリンク（ＤＳＭクライアント５２０間のポイントツーポイントリンク）上で帯域幅をアグリゲートしてもよい。ＤＳＭエンジン５１０は、無線広域ネットワーク（ＷＷＡＮ）またはワイヤラインリンクを通じて、セルラネットワーク５３０、ＴＶＷＳデータベース５４０、およびＩＰネットワーク５５０など、外部ネットワークに相互接続されてもよい。
【００５６】
ＤＳＭエンジン５１０がＴＶＷＳデータベースに対するアクセスを有し、ジオロケーション（geo-location）機能を有する場合、ＤＳＭエンジン５１０は、ＦＣＣのＳｅｃｏｎｄ  Ｍｅｍｏｒａｎｄｕｍ  Ｏｐｉｎｉｏｎ  ａｎｄ  Ｏｒｄｅｒ（ＦＣＣ  １０−１７４）において定義されたモードＩＩデバイスとして、ＴＶＷＳ帯域において動作してもよい。ＤＳＭエンジン５１０は、ＤＳＭシステムが、ＴＶＷＳデータベースが許可するよりもより大きなチャネルのサブセットにおいて動作することを可能にするセンシングオンリーモードで動作してもよい。
【００５７】
デバイス（ＤＳＭクライアント５２０）は、単一の無線を有してもよい。この場合、ダイレクトリンク上で通信するデバイスは、ＤＳＭリンク上で同一の物理チャネルを使用してもよい。あるいは、デバイスは、複数の無線を有してもよい。この場合、ダイレクトリンクを使用して通信するデバイスは、そのダイレクトリンクに関して使用される別個の無線を通じてそれを行ってもよい。
【００５８】
デバイスは、複数の無線上で同時に送信および受信してもよく、ＤＳＭリンク上およびダイレクトリンク上の同時送信を可能にする。別個の無線は、ダイレクトリンク通信専用であってもよく、または他の目的（例えば、センシング）用に同様に使用されてもよい。この場合、中央管理エンティティ（ＤＳＭエンジン５１０）は、ネットワーク干渉を引き起こさずに、この無線の活性化および複数のダイレクトリンク上の通信を調整してもよい。
【００５９】
ＤＳＭエンジン５１０は、ＤＳＬまたはケーブルなどの固定アクセスリンクを有してもよい。ＤＳＭクライアント５２０は、非認可ＩＳＭ帯域上またはＴＶＷＳ帯域上などで、ＤＳＭリンクを介してＡＰに通信してもよい。ＤＳＭエンジン５１０の管理の下で、あるＤＳＭクライアント５２０は、同一のもしくは異なる周波数帯域上でダイレクトリンク通信をセットアップしてもよい。例えば、ダイレクトリンクはＴＶＷＳ周波数上でセットアップされてもよい。
【００６０】
デバイス間で高トラフィックが予想されるときに（例えば、ビデオストリーミング、ゲームなど）、ＤＳＭリンク（例えば、ＩＳＭ帯域）におけるトラフィックをオフロードする（offload）ためにダイレクトリンクが使用されてもよい。一定のトラフィック（例えば、低遅延、重大なトラフィックなど）を、利用可能なＴＶＷＳチャネル、６０ＧＨｚチャネルなどに選択的にオフロードするためにダイレクトリンクが使用されてもよい。無線ケーブル交換技術が、ＩＳＭ帯域における既存の家庭／オフィスのネットワークオペレーションに対して追加の干渉または輻輳を引き起こさずに、家庭またはオフィスに存在することを可能にするために、ダイレクトリンクが使用されてもよい。ＡＰを通じてトラフィックをルーティングさせる必要なしに、デバイス間の高速ダウンロードを提供する手段としてダイレクトリンクが使用されてもよい。利用可能なチャネル上で使用することができる送信電力が、ＴＶＷＳデータベースによって課される制約またはポリシーにより制限されているとき、ごく近接する２つのデバイス間の通信を可能にして、ＴＶＷＳ上で動作するために、ダイレクトリンクが使用されてもよい。それぞれのケースにおいて、ＤＳＭエンジン５１０は、ダイレクトリンクに対して帯域幅管理を提供する（例えば、ＴＶＷＳデータベースにクエリを行い、および複数のダイレクトリンクが存在し得るＴＶＷＳ帯域幅管理を提供することによって）。
【００６１】
図６は、ＴＶＷＳにおける２つのデバイス間でダイレクトリンクを確立する例示的なシグナリングフローを示す。ＩＳＭ周波数帯域上のＤＳＭ／ＡＰに関連するデバイス１およびデバイス２は、それらが提供するダイレクトリンクサービスのリストを含むデバイスサービスアナウンスメッセージを、ＩＳＭ周波数帯域上でＡＰに送信する（６０２）。ＤＳＭ／ＡＰは、ネットワークにおいて利用可能なサービスのリストをコンパイルし、およびそのリストをＷＬＡＮにおけるデバイスのすべてに（例えば、周期的に）ブロードキャストする（６０４）。
【００６２】
サービスブロードキャストに基づいて、デバイス１は、デバイス２とのダイレクトリンクをセットアップして、デバイス２によって提供されるサービス（例えば、ビデオストリーミング）に対するアクセスを取得することを望む。デバイス１は、ダイレクトリンクセットアップリクエストをＤＳＭ／ＡＰに送信する（６０６）。ＤＳＭ／ＡＰは、ＴＶＷＳデータベースに問合せを送信して、現在、何のインカムベントもないチャネル、および要求されているダイレクトリンクサービスに使用可能なチャネルを判定する（６０８）。ＴＶＷＳデータベースは、問合せレスポンスをＤＳＭ／ＡＰに送信する（６１０）。ＤＳＭ／ＡＰは、そのダイレクトリンクに対して使用されるべきＴＶＷＳ周波数の割振りを実行する（６１２）。その他の進行中のダイレクトリンクがアクティブである場合、ＤＳＭ／ＡＰは、干渉が適切に管理されることを保証にするような方法で、周波数の割振りを保証する。
【００６３】
ＤＳＭ／ＡＰは、ダイレクトリンクインジケーションメッセージをデバイス２に送信して、デバイス１によるダイレクトリンクに関するリクエスト、およびダイレクトリンクが発生し得るＴＶＷＳ周波数を通知する（６１４）。これはまた、デバイス２からＡＰへの肯定応答を含んでもよい。ＤＳＭ／ＡＰは、ダイレクトリンクレスポンスメッセージをデバイス１に送信して、ＤＳＭ／ＡＰによって特定のＴＶＷＳ周波数上でダイレクトリンクが確立されていることを示す（６１６）。デバイス１とデバイス２との間の直接通信が、ＤＳＭ／ＡＰによって選択されたＴＶＷＳ周波数上で発生してもよい（６１８）。
【００６４】
クライアントが複数の無線を有する実施形態が以下で説明される。特定の無線アクセス技術（ＲＡＴ）上で通信するために無線のそれぞれが使用されてもよい。例えば、ＤＳＭリンクは、第１のＲＡＴ（例えば、ＬＴＥ）上の無線１を使用して、クライアントデバイスと通信してもよく、それによりクライアントデバイス間のポイントツーポイント通信をセットアップおよび制御するために、ＤＳＭリンクが使用され、およびクライアントデバイス間の任意のポイントツーポイント通信が、第２のＲＡＴ上で無線２（例えば、ＴＶＷＳ上で８０２．１１、６０ＧＨｚ上で８０２．１１、ＬＴＥ時分割複信（ＴＤＤ）など）を使用してダイレクトリンクを通じるようにしてもよい。２つのリンクは独立して動作する場合があるため、例えば、そのアクションがいつ発生するかのインジケーションを提供することによって、ダイレクトリンク上のアクション（例えば、ダイレクトリンクの修正）を同期するためにＤＳＭリンクが使用されてもよい。
【００６５】
ダイレクトリンクのＤＳＭリンクとの競合を回避するために、ダイレクトリンクはＤＳＭリンクチャネルとは異なる物理チャネル上に割り振られてもよい。この場合、ダイレクトリンク上で通信するために、クライアントデバイスにより別個の無線が使用されてもよく、それにより、ダイレクトリンク上の送信および受信が、ＤＳＭリンク上の送信および受信とは非同期で同時に発生することを可能にする。
【００６６】
図７は、別個の無線によるクライアントデバイス間のダイレクトリンク上の例示的な送信および受信を示す。図７では、チャネル１乃至４がＤＳＭリンクに割り当てられ、チャネル５乃至８がダイレクトリンクに割り当てられている。ＤＳＭリンクチャネルおよびダイレクトリンクチャネルは同一の帯域（例えば、ＴＶＷＳ）に配置されてもよい。あるいは、ダイレクトリンクチャネルは、別個の帯域（例えば、６０ＧＨｚ）に配置されてもよく、およびチャネル帯域幅は全く異なってもよい。ＡＰは、ダイレクトリンク上で通信する第２の無線を有してもよく、または有さなくてもよい。図７では、ＤＳＭリンクおよびダイレクトリンクに対しそれぞれ４つのチャネルが割り当てられている。任意の数のチャネルがＤＳＭリンクまたはダイレクトリンクに割り当てられてもよいことに留意すべきである。
【００６７】
図７においては、ダイレクトリンクが可能なクライアントＡおよびクライアントＢは、２つの別個の無線（無線中間周波数（ＩＦ）１および無線ＩＦ２）に対するサポートを有する。２つの別個の無線を有するクライアントは、１つの無線上で送信しながら、別の無線上で同時に受信してもよい。ＡＰ（ＤＳＭ）は、単一の無線をサポートしてもよく、およびダイレクトリンクが可能でない場合がある。ＡＰおよびクライアントは、単一の無線によって扱われる４つのチャネルの任意のサブセット上で同時に送信および受信しなくてもよい。
【００６８】
ＤＳＭリンクを構成するチャネルは、一次チャネルＣＳＭＡスキームを利用してもよい。一次ＣＳＭＡスキームにより、デバイスは、一次チャネルと呼ばれる、チャネルのうちの１つの上でＣＳＭＡを実行することによって、ＤＳＭリンクのすべてのチャネルに対するアクセスを取得する。一次チャネルがＤＳＭエンジンによって指定され、およびＤＳＭリンク上の制御チャネルを通じてクライアントに通信されてもよい。ダイレクトリンクまたは、ダイレクトリンクに関与するデバイスが一次チャネルＣＳＭＡを通じて媒体にアクセスすることができるように、一次チャネルＣＳＭＡスキームを利用してもよい。これは、ピアデバイスの複数のセットが、同一セットのチャネル（図７では４つのチャネル）上で通信するのを可能にする。
【００６９】
ダイレクトリンクチャネルがダイレクトリンクトラフィックに対して割り振られているため、ＤＳＭエンジンが（ＡＰからの制御メッセージを通じて）ダイレクトリンクのそれぞれのＱｏＳを制御し、およびチャネルの初期のセット上のダイレクトリンクの数がＱｏＳしきい値を超えるときに、チャネルの新たなセットを割り振ることは容易である。ダイレクトリンクは、いかなるビーコンも含まなくてもよく、およびダイレクトリンクに関するすべての情報が、ＤＳＭリンクを通じてＡＰによって送信されてもよい。
【００７０】
ＤＳＭエンジンがＤＳＭリンク上でダイレクトリンクに関する制御情報を送信することを試みているときに、ＤＳＭリンクとダイレクトリンクとの間の同期が問題になる場合がある。例えば、ＤＳＭは、ダイレクトリンクチャネル上でサイレント期間をスタートさせること（例えば、これらのチャネル上でいくつかのスペクトルセンシングを開始すること）を望む場合がある。これは、ＤＳＭリンクを使用してクライアントに送信されるＭＡＣ層制御メッセージを通じて行われてもよい。この場合、クライアントは無線でパケットを送信する過程にある場合があるため、実際のサイレント期間が効力を発する（すなわち、ダイレクトリンクにおけるクライアントがサイレントにされている）正確な時間は知られていない場合がある。加えて、サイレント期間の発生により、既に送信されているパケットに関する肯定応答（ＡＣＫ）を送信することができない状況は、サイレント期間の終了時においてどのパケットが依然として認識されるべきかをトラッキングする余分なオーバヘッドを必要とするため、回避されるべきである。
【００７１】
別の例では、ＤＳＭエンジンは、ダイレクトリンクにおいて使用されるチャネルを変更することを望む場合がある。これは、ＤＳＭリンクを使用してクライアントに送信されたＭＡＣ層制御メッセージを通じて行われてもよい。この場合、制御メッセージは、ダイレクトリンクが一時的に非アクティブである時点、または事前に定義された状態にある時点で送信される必要がある。そうでない場合、どのクライアントがチャネル切替え制御メッセージを受信するかに応じて、クライアントのうちの１つは、誤った物理チャネルを使用して、他のクライアントによって送信されたフレームを確認し、結果として、不要な再送信を発生させる場合がある。
【００７２】
一実施形態では、同期のためにダイレクトリンク同期メッセージが送信されてもよい。同期問題のうちのいずれかを解決するために、ダイレクトリンク同期メッセージが使用されてもよい。ＤＳＭリンクが８０２．１１に依存する場合、同期が発生するターゲットビーコン送信時間（ＴＢＴＴ）に先行する任意の時間において、ダイレクトリンク同期メッセージがＤＳＭリンク上で送信されてもよく、当該ＴＢＴＴは同期ＴＢＴＴ（ＳＴＢＴＴ）と呼ばれる。ＳＴＢＴＴに先行して、ＡＰは、ダイレクトリンクに関与するクライアントにダイレクトリンク同期メッセージを送信して、そのダイレクトリンクがＳＴＢＴＴの間にサイレントにされるべきであることを示してもよい。この、ＳＴＢＴＴの間にダイレクトリンクをサイレントにすることは、ＳＴＢＴＴのビーコンの間にまたはＳＴＢＴＴのビーコンの直後に、ＡＰがダイレクトリンクに関するメッセージを送信するのを可能にする。
【００７３】
図８は、ＳＴＢＴＴおよびダイレクトリンク同期メッセージの例示的な送信を示す。図８では、ＤＳＭリンクトラフィックおよびダイレクトリンクトラフィックは、ＰＨＹチャネル上のトラフィックプロファイルの観点で示される。簡単にするために、図８はアグリゲートされたチャネルを示していない。図８に示すように、ＴＢＴＴ８０２の間、ＡＰは、ダイレクトリンクに関与する局を含めて、すべての局がリスンおよび受信するビーコンを送信する。ＤＳＭリンクおよびダイレクトリンクは異なる物理（かつ、非干渉）チャネル上で発生するため、ダイレクトリンク上の通常のＴＢＴＴタイミングは無視されてもよく、この場合、トラフィックが中断なしに継続する。これらの局はＤＳＭリンクチャネル上のそれらの通信に基づいてビーコンを受信する。ダイレクトリンク同期メッセージ８０６がＳＴＢＴＴ８０４に先行して受信され、そこでは次のＴＢＴＴ８０４をＳＴＢＴＴとしてアナウンスする。この場合、これらの局は、ダイレクトリンク同期メッセージ８０６を受信すると（ＤＳＭリンクのタイミングに基づいて）、ＳＴＢＴＴ８０４に先行してダイレクトリンク上のすべての送信が終了することを保証する。これらの局は、送信をＳＴＢＴＴ８０４の開始に先行して完了することができない限り、その送信をダイレクトリンク上で開始させなくてもよい。その送信が認識される必要がある場合、送信局がこの肯定応答を受信できない限り、その送信をダイレクトリンク上でスタートさせることはできない。ＡＰは、ＳＴＢＴＴ８０４を使用して、チャネル切替えメッセージ８０８をダイレクトリンクに関与する局に送信してもよい。ダイレクトリンクがＤＳＭリンクと同期されることを必要とする、そのダイレクトリンクに関するいかなるメッセージ（例えば、新たな物理チャネルの追加、ダイレクトリンクとＤＳＭリンクとの間のチャネルのスワップなど）は、ＳＴＢＴＴ８０４時にまたはＳＴＢＴＴ８０４の直後に送信されてもよい。
【００７４】
それがいつ効力を発することになるかについて（例えば、ｋ個のＴＢＴＴ内で）、進歩した警告を提供するために、ダイレクトリンク同期メッセージ８０６が使用されてもよい。ダイレクトリンク同期メッセージ８０６が両方の局に対して連続的に送信されてもよい。あるいは、ダイレクトリンク同期メッセージ８０６が単一の局（例えば、クライアントＡ）に送信されてもよく、および局（クライアントＡ）は、そのメッセージをダイレクトリンク上で他の局（例えば、クライアントＢ）に転送してもよい。
【００７５】
ＤＳＭリンク上で電力節約モードを実装する局の場合、ダイレクトリンク同期メッセージ８０６が配信トラフィックインジケーションメッセージ（ＤＴＩＭ）と共に送信されてもよい。この実施形態においては、ＤＳＭリンクおよびダイレクトリンクは別個の無線を使用して実装されるため、ＳＴＡはダイレクトリンク上でアクティブに送信していると同時に、そのＳＴＡはＤＳＭリンクに関して電力節約モードであってもよい点に留意されたい。この場合、ＡＰは、ＤＴＩＭと共にダイレクトリンク同期メッセージを送信してもよい。ＤＴＩＭと共にダイレクトリンク同期メッセージの受信をすると、これらの局は、次のビーコンの受信後までに電力節約モードを無効にすること（ＴＢＴＴにおいて発生するように）、または次のＴＢＴＴまでに電力節約モードに戻ることのいずれかを行ってもよい。あるいは、ＡＰは、ＤＴＩＭビーコンの直後に、ダイレクトリンク同期メッセージを送信してもよい。
【００７６】
６０ＧＨｚ帯域を介して実装されるダイレクトリンクの場合、主な課題は、従来の６０ＧＨｚシステムとのダイレクトリンクの共存（８０２．１１ａｄ標準を実装する）、ならびに、ＤＳＭリンクおよびダイレクトリンクスキームを６０ＧＨｚ  ＭＡＣと整合させることである。ダイレクトリンクトラフィックに関して６０ＧＨｚ  ＭＡＣ標準におけるサービス期間（ＳＰ）が使用されてもよい。このようにして、ＤＳＭは、ＤＳＭシステムにおいてアクティブな６０ＧＨｚダイレクトリンクの数、およびこれらのダイレクトリンクのそれぞれのＱｏＳ要件に基づいて、適切な長さまたは適切な数のサービス期間を割り振ってもよい。
【００７７】
２つの局が６０ＧＨｚ周波数上でダイレクトリンクをセットアップすることが必要とされるとき、ＤＳＭエンジンは、新たなＰＢＳＳのパーソナル基本サービスセット（ＰＢＳＳ）制御ポイント（ＰＣＰ）となる局のうちの１つを選択してもよい。この局は、以下、指定局と呼ばれてもよい。ＰＢＳＳは、ダイレクトリンクを満たすためにＤＳＭエンジンによって作成される。転送するためのより大きなコンテンツを有するＳＴＡは、新たなＰＢＳＳに関するＰＣＰとして選択されてもよい。あるいは、最もビジーでないＳＴＡは、他のＳＴＡを管理するための時間をより多く有するため、ＰＣＰとして選択されてもよい。
【００７８】
ＤＳＭエンジンは、ダイレクトリンク確立フェーズの間に、リンクバジェット要件（例えば、初期ＱｏＳ要件に基づく）を、新たに選択されたＰＣＰに転送してもよい。この確立は、ＤＳＭリンク上で送信されたメッセージを通じて達成されてもよい。リンクバジェット要件に基づいて、ＰＣＰは、８０２．１１ａｄで定義された、拡張されたスケジュール要素を作成してもよい。
【００７９】
スケジュールを送信するのに先行して、指定局が近傍において別のＰＣＰの存在を検出した場合（ＤＳＭシステムの一部ではない）、その指定局は、アクティブなＰＣＰになるためにハンドオーバを要求してもよい。指定局は、ダイレクトリンクのトラフィック、ならびに既に存在するＰＢＳＳのトラフィックを管理してもよい。
【００８０】
あるいは、指定局は、チャネル上で、および同一の方向で動作している別のネットワークの存在をＤＳＭエンジンに通知してもよい。ＤＳＭエンジンは、次いで、ダイレクトリンクを、フリーであると観測された新たな６０ＧＨｚチャネルに切り替えてもよい。指定局が、ダイレクトリンク、ならびにＤＳＭシステムの一部ではないＰＢＳＳの両方を管理するために必要とされるリソースを有していない場合、これが選択されてもよい。
【００８１】
図９Ａおよび９Ｂは、６０ＧＨｚ上のダイレクトリンクセットアップに関する例示的なシグナリングフローを示す。ＡＰはダイレクトリンクセットアップメッセージを指定局に送信する（９０２）。指定局は６０ＧＨｚ無線をオンにする（９０４）。指定局が、周波数のスキャニングの間にレガシーＰＣＰを発見した場合（９０６）、指定局は、ハンドオーバリクエストをレガシーＰＣＰに送信してもよい（９０８）。レガシーＰＣＰはハンドオーバレスポンスにより応答する（９１０）。次いで、指定局はＰＣＰになる（９１２）。指定局は、ダイレクトリンクセットアップレスポンスをＡＰに送信する（９１４）。ＡＰは、ダイレクトリンクセットアップメッセージを局Ｂ（すなわち、指定されていない局）に送信する（９１６）。局Ｂは６０ＧＨｚ無線をオンにする（９１８）。局ＢはダイレクトリンクセットアップレスポンスをＡＰに送信する（９２０）。局Ｂはジョインリクエストを指定局に送信し（９２２）、指定局はジョインレスポンスにより応答する（９２４）。ＡＰは、ダイレクトリンクスケジューリング情報を指定局に送信する（９２６）。指定局は、拡張されたスケジュール要素を局Ｂに送信する（９２８）。次いで、指定局と局Ｂとの間でダイレクトリンクトラフィックが交換される（９３０）。
【００８２】
ＤＳＭエンジンがダイレクトリンクを終了することを決定すると（９３２）、ＡＰは、ダイレクトリンク終了リクエストを指定局および局Ｂに送信する（９３４、９３６）。局Ｂは６０ＧＨｚ無線をオフにする（９３８）。指定局は、ハンドオーバリクエストをレガシーＰＣＰに送信し（９４０）、レガシーＰＣＰは指定局に応答する（９４２）。次いで、指定局は６０ＧＨｚ無線をオフにする（９４４）。
【００８３】
リンクが確立されると、指定局／ＰＣＰは、ダイレクトリンクに関するサービス期間を作成してもよい。あるいは、競合ベースの期間（ＣＢＰ）を割り振ってもよい。ＡＰが６０ＧＨｚの能力がある場合、ＣＢＰは、ＤＳＭリンクを使用する代わりに、メッセージを局に送信するために、ＡＰによって使用されてもよい。あるいは、指定局がＰＣＰハンドオーバをトリガすることが可能であり、およびレガシー独立ＢＳＳ（ＩＢＳＳ）のＰＣＰになったと推定して、ＣＢＰが使用されてレガシー６０ＧＨｚ局の共存を可能にしてもよい（ＤＳＭシステムにアタッチされていない）。
【００８４】
ＤＳＭネットワークは、単一のＤＳＭエンティティによって管理された複数の６０ＧＨｚダイレクトリンクを有してもよい。この場合、それぞれの６０ＧＨｚダイレクトリンクは、別個のＰＢＳＳとして動作してもよい（すなわち、ダイレクトリンクＳＴＡのそれぞれのペアは、個々のＰＢＳＳを管理する１つのＰＣＰを有することになる）。これらの６０ＧＨｚダイレクトリンクは、異なるチャネル上でまたは同一のチャネル上で動作してもよい。その他の利用可能なチャネルが存在しない場合、これらのダイレクトリンクはチャネルを共有してもよい。この場合、異なるＰＣＰが互いに干渉しないように、それらのＰＣＰはスケジューリングを調整してもよい。
【００８５】
６０ＧＨｚダイレクトリンクにおいては、同期が適用されて、スループットを改善してもよい。一実施形態では、アップリンク／ダウンリンクのトラフィック比率に従って、長いビーコン間隔が適応的に調整される適応ビーコニング（adaptive beaconing）が採用されてもよい。ダイレクトリンク通信においては、トラフィックは非対称的であることが一般的である（例えば、高解像度（ＨＤ）ディスプレイに対するトラフィックがセットトップボックス（ＳＴＢ）に対するトラフィックよりもはるかに高い場合のＳＴＢとＨＤディスプレイとの間のデータトラフィック）。初期同期の後で、より高いトラフィックを有するノードは、他のノードに送信し、次いで、そのノードが肯定応答（ＡＣＫ）またはブロックＡＣＫを送るのを待機してもよい。特殊イベント（例えば、チャネル切替え、中継リクエスト／レスポンスおよび測定報告など、一部の管理メッセージまたは制御メッセージ）の場合、特殊制御パケットがデータまたはＡＣＫパケットに添付されてもよい。これは、結果として、ビーコンを正規の形で送信し、特殊イベントに対応してもよいということである。特殊イベントの後で、ノードは緩い同期モードに戻ってもよい。送信されているＡＣＫが存在しない場合、アップリンク方向のトラフィックに関して、特殊な時間間隔が確保されてもよく、または、分散された調整機能（ＤＣＦ：distributed coordinated function）の場合、メッセージはより高い優先度で（すなわち、より短いフレーム間スペース（ＩＦＳ）で）送信されてもよい。
【００８６】
これが、８０２．１１ａｄに存在するフレーム構造に適用されてもよい。フレームの時間間隔は、トラフィック比率に応じて、増加または削減してもよい。制御情報に関して非常に小さなＣＢＰが存在し、Ｐ２Ｐネットワーク内のいずれかのデバイスがチャネルにアクセスして、何らかのメッセージを送信することができる場合、そのネットワークに関する制御情報および管理情報を送信するために、この時間間隔が使用されてもよい。図１０は、ＣＢＰ１００２による、例示的なフレームフォーマットを示す。データ伝送時間（ＤＴＴ）は、ＣＢＰ１００２、およびサービス期間（ＳＰ）１００４を含む。ＳＰ１００４は、ダウンリンク用およびアップリンク用に２つのタイムスロットに分割されてもよい。ダウンリンクトラフィック用のタイムスロット１００６は、アップリンクトラフィック用のタイムスロット１００８よりもより長くてもよい。
【００８７】
あるいは、ＤＴＴは、ＳＰのみを備えてもよい。図１１は、ＳＰのみを有するＤＴＴを含む、例示的なフレームフォーマットを示す。ＤＴＴは、ダウンリンク用およびアップリンク用に２つのタイムスロットを備えてもよい。ダウンリンクトラフィック用のタイムスロット１１０２は、アップリンクトラフィック用のタイムスロット１１０４よりもより長くてもよい。ビーコン間隔は、アップリンクトラフィックに対するダウンリンクの比率に基づいてもよい。特殊イベントにおいては、ネットワークは、正規のビーコニングおよびフレーム構造に切り替わり、およびそのイベントに対処した後に、切り替わって元に戻ってもよい。
【００８８】
あるいは、ＤＴＴは、ＣＢＰ、および非常に小さなＳＰを備えてもよい。ＣＢＰにおいては、ダウンリンクトラフィックは、アップリンクトラフィックよりも短いＩＦＳを有してもよい。このようにして、ダウンリンクトラフィックは、アップリンクトラフィックよりも高い優先度を取得してもよい。フレームにおける小さなスケジュールされた期間が存在してもよい。２つのタイムスロットを有する、このスケジュールされた期間は、送信するための均等の機会をデバイスに提供してもよい。任意の特殊イベントの場合、デバイスは正規のビーコンモードに切り替わってもよい。
【００８９】
あるいは、正規のビーコン間隔または調整されたビーコン間隔なしに、データフレームが交換される非ビーコンモードが採用されてもよい。例えば、ダウンリンクデータは正規のタイムスロットに事前に割り当てられてもよく、およびアップリンクＡＣＫパケットは正規のタイムスロットに事前に割り当てられてもよい。特殊イベントが存在することを条件に（例えば、検出、チャネル切替え、およびモード切替えなど）、ビーコンが送信されてもよい。
【００９０】
デバイスが削減された機能を有する（例えば、１つの無線のみを有する）場合、または利用可能なＴＶＷＳチャネルの数が限定されている場合、ダイレクトリンクに関して単一の無線アプローチが使用されてもよい。この実施形態では、ダイレクトリンクおよびＤＳＭリンクは、同一のアグリゲートされた物理チャネルを共有する。したがって、ＤＳＭリンクおよびダイレクトリンクは、所与の時点において同一のリソースを競合する。同時の送信および受信を回避する要件は、結果として、所与の時点で同一のチャネルがダイレクトリンクまたはＤＳＭリンクのいずれかに割り振られる。
【００９１】
一実施形態では、ＤＳＭリンクおよびダイレクトリンクは、単一の無線アクセス技術上で単一の無線を使用してもよい。ＤＳＭリンクは、ダイレクトリンク通信に関してチャネルを使用することができる期間を提供およびシグナリングすることによって、ＤＳＭリンクが使用されてダイレクトリンク通信を制御してもよい。ＤＳＭエンジンまたはＡＰは、それぞれのリンクに対して異なる期間を提供することによって、複数のダイレクトリンクを管理してもよい。これらの期間のサイズは、ダイレクトリンクに転送されるトラフィックの量に関連してもよい。ＤＳＭエンジンまたはＡＰは、クライアントデバイスがそれらのダイレクトリンクを使用できる期間について、クライアントデバイスに通知してもよい。８０２．１１に依存するシステムにおいては、制御されたアクセス位相を使用して、リソースが完全に共有されてもよい。図１２は、クライアントにおいて単一の無線を使用する、例示的なダイレクトリンクセットアップを示す。クライアントＡおよびクライアントＢは、それらの間にアクティブなダイレクトリンクを有する。クライアントＡおよびＢはまた、ＡＰを通じて、他のデバイスとの通信も維持し、ならびにＡＰによって送信されたブロードキャストメッセージおよびＤＳＭ制御メッセージをリスンする。別個の局によって行われた送信のそれぞれは、すべての（例えば、図１２に例示された４つの）アグリゲートされたチャネルを占有してもよいが、図１２で示すようにチャネル上で時間多重されてもよい（すなわち、クライアントＡからクライアントＢへのＴＸ１、クライアントＢからＡＰへのＴＸ２、およびＡＰからクライアントへのＴＸ３が時間多重される）。
【００９２】
例えば、高帯域、または、ＳＴＢからディスプレイ装置へのビデオのストリーミングなど、リアルタイムのデータトラフィックに関してダイレクトリンクが使用されるとき、ダイレクトリンクに関するＱｏＳを保証するために、優先度がダイレクトリンクに与えられてもよい。ダイレクトリンクとＤＳＭリンクとの間のチャネル共有のコンテキストにおいてこれを可能にするために、ダイレクトリンク上のトラフィックに関して、競合のない期間が使用されてもよい。
【００９３】
８０２．１１において、制御されたアクセス位相（ＣＡＰ）が、ハイブリッドコーディネータ（ＨＣ：hybrid coordinator）を通じて、ＡＰによって開始および制御される。ダイレクトリンクのこの実装形態の場合、ＣＡＰの間に発生する場合があるシグナリング、ならびにＣＡＰの終了は、ダイレクトリンクに関してＣＡＰを使用するように適合されてもよい。ＣＡＰがＡＰ／ＨＣによって完全に管理される８０２．１１と異なり、局は、ＣＡＰの間にＡＰによる最低の干渉を伴って互いに送信することを可能にしてもよい。
【００９４】
ダイレクトリンクに関するＣＡＰは、ＡＰの制御下にある２つの局間のダイレクトリンクの存在に基づいて（ＤＳＭエンジンの制御下で）、そのＡＰによって開始されてもよい。すなわち、ＤＳＭエンジンは、アクティブなダイレクトリンクに関するＣＡＰを開始するようにＡＰに周期的に命令してもよい。特定のダイレクトリンクに関連するＣＡＰの間、ダイレクトリンクに関与していないすべての局は、ＣＡＰの終了まで、アグリゲートされたチャネルを使用することが制限される。これは、ＣＡＰの間に、ダイレクトリンクに関与するデバイス間の競合のない通信を可能にし、およびダイレクトリンクの間に、ＣＳＭＡオーバヘッドの大部分も排除する。
【００９５】
図１３は、２つのアクティブなダイレクトリンク（高帯域幅ダイレクトリンク１および低帯域幅ダイレクトリンク２）に関するＣＡＰの例示的な使用を示す。アグリゲートされたチャネルの使用は、ＤＳＭリンクと、アクティブなダイレクトリンクのそれぞれに関するＣＡＰとの間の時間に分割される。図１３では、チャネル上のデータ送信に関して利用可能な時間周期が、ダイレクトリンク１、ダイレクトリンク２、およびＤＳＭリンクに対して分割される。ＤＳＭエンジンは、例えば、それぞれのトラフィックニーズに基づいて、ＤＳＭリンクおよび（１つまたは複数の）ダイレクトリンクに関する相対的な時間量を制御してもよく、およびＡＰは、それぞれのＣＡＰをスタート、維持、および終了するために必要なシグナリングを実行してもよい。
【００９６】
ダイレクトリンクに関与する２つの局のうちの１つに送信されたポーリングメッセージの送信を通じて、ＣＡＰはＡＰによって開始されてもよい。ポーリングメッセージを受信した局は、代理局と呼ばれる。図１４は、ＣＡＰを開始するためのポーリングメッセージを送信することによって、ダイレクトリンクをセットアップする例示的なプロセスを示す。ＡＰは、より短い待機時間（すなわち、プライオリティフレーム間スペーシング（ＰＩＦＳ：priority inter-frame spacing）により、ＣＳＭＡ方式を使用して媒体にアクセスすることによって、ポーリングメッセージ１４０２を送信してもよい。プライマリーＣＳＭＡスキーム（すなわち、一次チャネル上のＣＳＭＡスキーム）に基づいて、ＡＰがポーリングメッセージ１４０２を送信するための媒体に対するアクセスを取得する前に、ＡＰはすべてのアグリゲートされたチャネルがＰＩＦＳに対してサイレントであることをチェックする。それぞれの局がポーリングメッセージ１４０２を受信して、次の送信機会（ＴＸＯＰ）の存続期間についてそのネットワーク割振りベクトル（ＮＡＶ）を設定することを保証するために、そのメッセージをすべてのチャネル上で繰り返してもよい。ポーリングメッセージ１４０２は確認されていないメッセージであるため、すべての４つのチャネル上でそのメッセージを送信することは、ＴＸＯＰのスタートを知るためのロバスト性を保証することになる。
【００９７】
ポーリングメッセージ１４０２は、ダイレクトリンクにおける２つのデバイスのうちの１つにアドレス指定されてもよいが、送信のためにＣＡＰを使用することになるダイレクトリンクを一意に識別する識別子を含んでもよい。この識別子は、ダイレクトリンクが２つの局の間で最初に開始されたとき、この識別子がそれらの局に対して利用可能となってもよい。ポーリングメッセージ１４０２は、ダイレクトリンクに関するＴＸＯＰ１４０４を開始する。ダイレクトリンクＴＸＯＰ１４０４の間、ダイレクトリンク局間で一連のデータ送信および肯定応答が発生してもよい。ポーリングメッセージ１４０２は、ＤＳＭエンジンによって決定されるような、ＴＸＯＰ１４０４の予測される存続期間を含んでもよい。ポーリングメッセージ１４０２を受信すると、すべての局はそのＮＡＶをＴＸＯＰ１４０４の予測される存続期間に設定する。これは、ダイレクトリンクに関与しない局によるＴＸＯＰ１４０４内の何らかの潜在的な競合を防止する。
【００９８】
ＴＸＯＰ１４０４の間、ダイレクトリンクに関与しないいずれの局は、電力節約のためにスリープモードに移動してもよい。加えて、ＡＰはこの時間の間に送信していないことになり、および局は帯域外干渉を無視することができるほどＡＰから十分離れている場合があるため、センシングがＡＰによって行われてもよい。いずれかの非アクティブチャネル（すなわち、ダイレクトリンクに関して使用されているチャネル以外のいずれかのチャネル）上でセンシングを実行するために、ポーリングメッセージ１４０２が送信されるとすぐに、ＡＰはサイレント期間スタートメッセージを送信してもよい。これはセンシング時間のより効率的な使用を可能にするが、なぜならば、ＡＰはＴＸＯＰ１４０４の間に送信しないことになるため、センシングの間の帯域外干渉に制限されないためである。
【００９９】
ＴＸＯＰ１４０４の間、ダイクトリンクに関与する局は、ＡＰを通じてではなく、互いに直接的に通信してもよい。ＴＸＯＰ１４０４が割り当てられているアクセスカテゴリー（ＡＣ）において複数のフレームがペンディングになっている場合、複数フレームがＴＸＯＰ１４０４で送信されてもよい。
【０１００】
局がその送信キューに、まさに送信された１つと同一のＡＣの追加のフレームを有し、そのフレームおよびそのフレームに関する何らかの予測される肯定応答を送信する存続期間が残りの媒体占有タイマ値（medium occupancy timer value）未満である場合、局は先行するフレーム交換シーケンスの完了後に、ＳＩＦＳにおいてそのフレームの送信を開始してもよい。存続期間／ＩＤフィールドを設定することによって、複数フレーム送信を使用する意図が局によって示されてもよい。
【０１０１】
ダイレクトリンクトラフィックは、ポーリングメッセージ１４０２を受信した代理局から開始されてもよい。ＴＸＯＰをダイレクトリンクの代理局に割り振るためのポーリングメッセージ１４０２に続いて、代理局は、ダイレクトリンクに関する任意のペンディングフレーム送信を、ダイレクトリンクに関与する非代理局に送信してもよい。非代理局は、肯定応答により応答してもよい。肯定応答は、データフレームにピギーバックされてもよい。データトラフィックがダイレクトリンクの両方向に送信される双方向ダイレクトリンクの場合、ピギーバックされた肯定応答が使用されてもよい。
【０１０２】
図１５は、ダイレクトリンクＴＸＯＰの間にピギーバックされたＡＣＫの例示的な送信を示す。図１５では、局Ａがポーリングメッセージ１５０２を受信した後で、局Ａはデータ１５０４を局Ｂに送信する。次いで、局Ｂは、ＡＣＫと共にデータフレーム１５０６を局Ａに送信する。次いで、局Ａは、ＡＣＫと共にデータフレーム１５０８を送信する。肯定応答をデータとピギーバックする際、局はデータフレームが、使用されている複数のチャネル上で等しく分散されることを保証する。あるチャネルは、別のチャネルが肯定応答およびデータの両方を送信しているとき、ＡＣＫのみを送信しなくてもよい。
【０１０３】
残りのＴＸＯＰ時間が、いずれかの対応する肯定応答に加えて、データおよび肯定応答フレーム送信に対応する場合、そのフレームが送信されてもよい。非代理局の場合、残りのＴＸＯＰ時間が肯定応答に対応することができ、およびその局が依然として送信すべきペンディングＭＳＤＵを有する場合、その非代理局は肯定応答フレームと共にキュー情報を送信してもよい。代理局の場合、残りのＴＸＯＰ時間が肯定応答に対応することができる場合、その代理局はＴＸＯＰの終了に先行してその肯定応答を送信してもよい。
【０１０４】
すべてのフレーム送信および予測される肯定応答は、ＴＸＯＰ内で終了されてもよい。ＡＰに宛てられたＮＵＬＬフレームの使用を通じて、ＴＸＯＰは代理局によって終了してもよい。ＴＸＯＰにおける最後の送信からのＳＩＦＳを待機した後で、このＮＵＬＬフレームが代理局によって送信される。ＴＸＯＰがペンディングＭＳＤＵを伴って終了された場合（代理局または非代理局のいずれかに関して）、代理局は、ペンディングＭＳＤＵを送信するために必要とされるキューサイズに関する追加の情報と共に、新たなＴＸＯＰを要求するＮＵＬＬフレームがＡＰに送信されてもよい。ＡＰは、代理局および非代理局の両方からのキューサイズ情報を、ＮＵＬＬフレームに含まれた速度情報と組み合わせて、ダイレクトリンクのニーズを満たすために割り振られる必要がある、要求されたＴＸＯＰを計算してもよい。次いで、ＡＰは、新たなポーリングメッセージを送信することによって（それぞれのダイレクトリンクに関するＤＳＭエンジンからの時間割振ルールを通じて）、現在のＣＡＰを延長するか、または現在のＣＡＰを終了して、制御をＤＳＭリンクに戻すかを判定してもよい。
【０１０５】
加えて、ＤＳＭリンク上で送信される必要がある、いずれかの優先度の高いペンディング制御メッセージが、ＴＸＯＰに続いて、および新たなＴＸＯＰをそのダイレクトリンクに割り振るのに先行して送信されてもよい。これは、短いＴＸＯＰを割り振り、およびダイレクトリンクが追加のＴＸＯＰを要求し、かつＤＳＭリンクトラフィックが必要とされないたびにＣＡＰを拡張することによって、ＤＳＭエンジンがＤＳＭリンクに関するロバスト性を維持することを可能にする（例えば、チャネル障害のイベントにおいて）。
【０１０６】
ＴＸＯＰの間、代理局または非代理局のいずれかによって送信されるべきデータが存在しない場合、代理局は、０を示すキューサイズを有するＮＵＬＬフレームを送信することによって、ＴＸＯＰを終了してもよい。ＤＳＭエンジンは、次いで、残りの時間を別のダイレクトリンクに割り振ってもよく（ポーリングメッセージを送信することによって）、またはＤＳＭリンクメッセージに対するチャネルを使用してもよい。ＤＳＭエンジンは、そのＴＸＯＰが即時に終了したダイレクトリンクにＴＸＯＰを割り振る次の時間を待機してもよい。
【０１０７】
ＴＸＯＰの終了の後に、ＡＰがチャネルを再利用しないとき（すなわち、新たなポーリングメッセージを送信することによって）、ＣＡＰは終了する。この場合、局は、ＤＳＭエンジンがＤＳＭリンク上で何らかのペンディング制御メッセージを送信することを可能にするために、先のＴＸＯＰの最後の送信に続いて新たなＴＸＯＰを開始しなくてもよい。結果として、それぞれのＴＸＯＰの後で、ＡＰは、ポーリングメッセージを送信して、新たなＴＸＯＰを割り当ててもよく（したがって、ＣＡＰを継続する）、または、何らかの他のメッセージを送信することによって、もしくは、ＴＸＯＰに続いてＰＩＦＳを待機することによって、そのチャネルをＤＳＭリンクに戻してもよい。
【０１０８】
ダイレクトリンク送信に関して制御され、および確保された期間を使用する代替として、アグリゲートされたチャネルはＤＳＭリンクおよびダイレクトリンクの全域で分割されてもよい。物理チャネルのうちの１つまたは複数は、制御チャネルとして使用されてもよい。これらの物理チャネルは、ＤＳＭリンクの一部であってもよい。残りのチャネルはダイレクトリンクに関して使用されてもよく、またはＤＳＭリンクの容量を増大させるために使用されてもよい。制御チャネルを取得するために、いつＤＳＭリンクをリスンするかについての情報がクライアントデバイスに提供されてもよい。ＣＡＰの代替として、一次チャネルＣＳＭＡが修正されて、他のチャネルがダイレクトリンクに関して使用される間に、制御チャネルを一次チャネル上でアクティブにしてもよい。ＡＰはダイレクトリンクトラフィックをリスンする必要がないため、ＡＰがダイレクトリンクに関与していない局にフレームを送信する場合、ＡＰにおいて同時送受信の問題は発生しないことになる。
【０１０９】
図１６は、アグリゲートされたチャネル共有に関する例示的なメッセージフローを示す。一次チャネル上でＣＳＭＡを使用するダイレクトリンクを使用して、二次チャネルから四次チャネルが局によってアクセスされる。アクセスが取得されると、ダイレクトリンクに参加している局以外の局にフレームを送信するために、一次チャネルが局によって使用されてもよい。一次チャネル上でデータを送信することを要求する他の局はまた、それを使用してもよい。ＡＰはダイレクトリンク上でプライマリーＣＳＭＡを実行することによって、任意の時点でダイレクトリンクを中断してもよい（それがすべてのチャネルに適用されることを示す特別のフィールドを送信リクエスト（ＲＴＳ）パケットに設定して）。
【０１１０】
ダイレクトリンク送信用の二次チャネルから四次チャネルは、ＤＳＭリンク用の二次チャネルから四次チャネルとは異なってもよい。これは、アグリゲートされたダイレクトリンクおよびＤＳＭリンク送信が互いに干渉せずに同時に発生することを保証する。ダイレクトリンクおよびＤＳＭリンクは両方とも、一次チャネルを使用して、図１７に示されるように媒体を確保する。
【０１１１】
図１７は、ダイレクトリンクおよびＤＳＭリンクが両方とも一次チャネルを使用して媒体を確保する、例示的なＤＳＭリンクおよびダイレクトリンクの動作を示す。図１７では、チャネル１は一次チャネルであり、チャネル２〜４はＤＳＭリンクに関して使用され、チャネル５〜７はダイレクトリンクに関して使用される。この一次チャネルは、制御チャネルのように動作する。すべての制御情報および管理情報は、チャネル１上でＳＴＡに送信される。ビーコンはまた、一次チャネル上で送信される。ビーコンをリスンするために、ダイレクトリンクデバイス（この例では、クライアントＢおよびクライアントＣ）は、ＴＢＴＴの間にそれらの送信を停止する。送信は、ＴＢＴＴの後で再開する。サイレント期間がダイレクトリンクチャネル上でスケジュールされている場合、それはビーコンにおいて通知されるべきである。デバイスは、ビーコンにおいて示されるようなサイレント期間存続期間の間、トラフィックを中断し、およびＡＰに送信されるために必要とされる測定を実行する。ＡＰが、ビーコン間隔の間に、任意の他のブロードキャストメッセージを送信する場合、そのメッセージはＡＰによってバッファリングされてもよく、およびＡＰにおいて待機している、バッファリングされたブロードキャストメッセージが存在するというインジケーションが次のビーコンにおいて送信されてもよい。それぞれのビーコン送信の後で、これらのメッセージがデバイスによってポーリングされてもよい。ＡＰが高い優先度の制御／管理メッセージをダイレクトリンクにおいて任意のデバイスに配信する必要がある場合、ＡＰは、ＰＩＦＳによって一次チャネルにアクセスしてもよく、および高い優先度のメッセージを一次チャネル上でダイレクトリンクＳＴＡに送信してもよい。
【０１１２】
ダイレクトリンクＳＴＡ（クライアントＢまたはクライアントＣ）がダイレクトリンクチャネル（すなわち、図１７のチャネル５〜７）にアクセスする必要があるときに、ＳＴＡは、ＲＴＳパケットを一次チャネル上でＡＰに送信してもよく、または、一次チャネル上でＣＳＭＡを実行し、およびＳＴＡが指定された存続期間に、ダイレクトリンクチャネルを使用することになることを通知するスモールメッセージをＡＰに送信してもよい。
【０１１３】
図１８は、一次チャネル上でＣＳＭＡを実装する、ＤＳＭリンク上およびダイレクトリンク上の例示的な送信を示す。一次チャネルは、ＤＳＭリンクチャネルおよびダイレクトリンクチャネルの両方に関するチャネル確保に関して使用される。ＳＴＡは、チャネルセットにアクセスする前に、一次チャネルを含めて、ＤＳＭリンクまたはダイレクトリンクに関するすべてのチャネルをセンシングする。ある期間（例えば、ＡＩＦＳおよびバックオフ時間）の間に、チャネル上に何のアクティビティも存在しない場合、ＳＴＡは、ＤＳＭリンク上またはダイレクトリンク上で、チャネルアクセスメッセージを一次チャネル上で送信し、およびＰＤＵを二次チャネルから四次チャネル上で送信する。図１８では、ＡＩＦＳ＋バックオフ期間１８０２の間に、ＤＳＭチャネル上で何のアクティビティも検出されなかった後で、ＳＴＡは、チャネルアクセスメッセージ１８０４を一次チャネル上で送信し、およびＰＤＵ１８０６をＤＳＭリンクの二次チャネルから四次チャネル上で送信する。ＡＩＦＳ＋バックオフ期間１８０８の間にダイレクトリンクの一次チャネル上、および二次チャネルから四次チャネル上で何のアクティビティも検出されなかった後で、別のＳＴＡ（ダイレクトリンクＳＴＡ）は、チャネルアクセスメッセージ１８１０を一次チャネル上で送信し、およびＰＤＵ１８１２を二次チャネルから四次チャネル上で送信する。
【０１１４】
別の実施形態では、ＤＳＭリンクおよびダイレクトリンクに関して別個の一次チャネルが使用されてもよい。この場合、ダイレクトリンクＣＳＭＡはＤＳＭリンク一次チャネルによって競合されないため、ＡＰがダイレクトリンクに関与していないＳＴＡにフレームを送信する場合、ＡＰにおいて同時送受信の問題は発生しない。同様に、ＳＴＡがＤＳＭリンクに関与していない他のＳＴＡにフレームを送信する場合、ＳＴＡにおいて同時送受信の問題は発生しない。
【０１１５】
ダイレクトリンクおよびＤＳＭリンクはそのそれぞれの一次チャネルを使用して、媒体を確保する。ダイレクトリンク一次チャネルを含むダイレクトリンクチャネルは、ダイレクトリンク一次チャネル上でＣＳＭＡを行うことによって、ダイレクトリンクを使用している局によってアクセスされる。ダイレクトリンクチャネルは、ＤＳＭリンクチャネルと異なってもよい。これは、アグリゲートされたダイレクトリンクおよびＤＳＭリンク送信が、互いに干渉せずに、同時に発生することを保証する。
【０１１６】
図１９は、別個の一次チャネルを使用する、ＤＳＭリンク上およびダイレクトリンク上の例示的な送信を示す。図１９では、チャネル１はＤＳＭリンク一次チャネルであり、およびチャネル５はダイレクトリンク一次チャネルである。ＤＳＭリンク一次チャネルは制御チャネルを伝送する。チャネル１〜４はＤＳＭリンクチャネルであり、およびチャネル５〜７はダイレクトリンクチャネルである。ダイレクトリンク局（クライアントＢおよびクライアントＣ）は、ダイレクトリンク送信を受信するときにはまた、ＤＳＭリンク一次チャネル（チャネル１）をリスンする。ビーコンを含めて、すべての制御情報および管理情報がＤＳＭリンク一次チャネル（チャネル１）上でＳＴＡに送信されてもよい。ダイレクトリンク局はまた、ＤＳＭリンク一次チャネルをリスンするため、ＴＢＴＴの間に進行中のダイレクトリンク送信が存在する場合、２つのダイレクトリンクＳＴＡのうちの１つはＴＢＴＴの間にビーコン送信を受信することになる。ＴＢＴＴの間にダイレクトリンク送信が存在しない場合、ダイレクトリンクに関与する両方のＳＴＡはビーコンを受信することになる。ＳＴＡが、ダイレクトリンクチャネル（チャネル５〜７）上でダイレクトリンクデータを受信すると同時に、ＤＳＭリンク一次チャネル（チャネル１）上でビーコンを受信する場合、そのＳＴＡは、ダイレクトリンクチャネルを使用して、ＤＳＭリンク一次チャネル上で受信された制御データまたは管理データをダイレクトリンクに関与するピアＳＴＡに中継してもよい。
【０１１７】
別の実施形態では、ＤＳＭリンクおよびダイレクトリンクは、時間多重されてもよい。ＤＳＭシステムは、いくつかの局間で同時に発生している複数のダイレクトリンクをサポートおよび管理することが可能であると仮定される。ダイレクトリンク、ならびにダイレクトリンクとＤＳＭリンクとの間の調整に関して利用されるＴＶＷＳチャネルは、ダイレクトリンクによって使用されているオペレーションのモードに依存する場合がある。下記で詳細に説明される２つのオペレーションモード、すなわち、モードＩおよびモードＩＩがサポートされる。
【０１１８】
ＤＳＭクライアントのペアの間でダイレクトリンクがサポートされてもよく、したがって、それぞれのダイレクトリンクが局／クライアントのペアと関連付けられてもよい。加えて、ＤＳＭクライアントは、異なるＤＳＭクライアントと同時に複数のダイレクトリンクをサポートしてもよい。例えば、クライアントＢは、クライアントＡおよびクライアントＣとの別個のアクティブなダイレクトリンクを同時に有してもよい。
【０１１９】
モードＩとモードＩＩとの間のオペレーションの選択は、チャネルの可用性ならびにＱｏＳ要件に基づいてもよい。この決定は、ＡＰによってなされてもよく、またはＡＰ上に常駐し、もしくはＡＰの外部にあり、およびネットワーク内のすべてのダイレクトリンクを管理することを担当する論理エンティティによってなされてもよい。そのエンティティは、ダイレクトリンク管理エンティティ（ＤＬＭＥ）と呼ばれる。図２０は、ＤＳＭエンジン２０１０を含む、例示的なＤＳＭシステムアーキテクチャを示す。ＤＳＭシステムは、ＤＳＭエンジン２０１０、および複数のＤＳＭクライアント２０２０を含む。ＤＳＭエンジン２０１０は、ＤＬＭＥ２０１２のサーババージョンを含み、およびＤＳＭクライアント２０２０は、ＤＬＭＥ２０２２のクライアントバージョンを備える。ＤＳＭエンジンはまた、帯域幅割振制御（ＢＡＣ）エンティティ２０１４を備える。ＤＬＭＥ２０１２は、ダイレクトリンク用のチャネルの割当てなど、ダイレクトリンクオペレーションに関して、ＢＡＣ２０１４に対して、かつＡＰ２０１６に対してインターフェース接続をする。ＤＬＭＥ２０１２とＢＡＣ２０１４とＡＰ２０１６との間のインターフェースは、下記図５１を参照して詳細に説明される。
【０１２０】
ＤＬＭＥ２０１２は、ＤＳＭエンジン２０１０内のソフトウェアコンポーネントとして実装される別個の機能、または局管理エンティティ（ＳＭＥ）において動作しているＡＰ２０１６のサブ機能、もしくはハードウェアおよび／もしくはソフトウェアの組合せを通じて機能性を実装している別個の物理エンティティであってもよい。ＤＬＭＥ２０１２は、通信機構を局に提供するＡＰ２０１６に対するインターフェース、ならびにダイレクトリンクにおいて使用するためのＤＬＭＥ２０１２にチャネルを割り振る担当であるＢＡＣ２０１４機能性に対するインターフェースを有する。ＢＡＣ２０１４は、割り当てられた物理チャネルに関する測定を実行し、およびこれらのチャネルの連続的な可用性をモニタリングするために、センシングエンティティ２０１８に依存してもよい。ＢＡＣ機能性は、利用可能な物理チャネルのリストを維持してもよく、またはＴＶＷＳデータベースなど、外部チャネル使用データベース２０３０からそのようなリストを取得してもよい。局２０２０（ＤＳＭクライアント）は、ＤＬＭＥ２０１２のサーババージョンからのリクエストに応答する、ＤＬＭＥ２０２２のクライアントバージョンを有する。
【０１２１】
少数のチャネルが利用可能なときに、ＤＳＭリンクおよびダイレクトリンクは、物理チャネルの同一のセットを使用してもよい。ダイレクトリンクは、ダイレクトリンクおよびＤＳＭリンクの両方が利用可能な限定されたチャネル上に存在することを可能にするために、モードＩオペレーションを使用するように構成されてもよい。他方で、より多くの利用可能なチャネルが存在するとき、およびダイレクトリンクのＱｏＳ要件がそのダイレクトリンク用のチャネルの別個のセットの使用を保証するとＤＬＭＥが判定したとき、モードＩＩを使用してもよい。このオペレーションモードにおいて、クライアントデバイスは、ＤＳＭリンク物理チャネルとダイレクトリンク物理チャネルとの間で時間多重してもよい。ＤＳＭリンクは制御チャネルを伝送するため、ＤＳＭリンクは、ダイレクトリンクより優先され、ＤＳＭリンク通信を優先して、クライアントデバイスに対しダイレクトリンク通信を一時停止させてもよい。例えば、ＤＳＭエンジンもしくはＡＰから制御情報（例えば、物理チャネル変更命令、サイレント期間構成など）を受信するため、または制御情報（例えば、クライアントデバイスにおいて取得した測定結果）をＤＳＭエンジンもしくはＡＰに送信するために、ＤＬＭＥは利用可能なチャネルの認識を有し、ダイレクトリンクに関してどのモードを使用するかを決定する。
【０１２２】
図２１は、モードＩを使用するダイレクトリンクの例示的なオペレーションを示す。モードＩオペレーションでは、ＤＳＭリンクおよびダイレクトリンクによって使用される物理チャネルは同一である。それぞれのリンクは、物理チャネルに対するアクセスを得るために、プライマリーＣＳＭＡを使用してもよい。局またはＡＰによってアクセスが得られると、その局がそのＴＸＯＰの終了において、そのリンクに対するアクセスを解放するまで、そのリンクに関してすべて（この例では４つ）の物理チャネルが使用される。次いで、それらのチャネルは、ダイレクトリンクおよびＤＳＭリンクの両方を使用している局によって再度競合される。モードＩにおけるダイレクトリンクとＤＳＭリンクとの間の差は、ダイレクトリンクでは、フレームが、最初にＡＰを介してルーティングされるのではなく、発信局から宛先局に直接送信されることである。ダイレクトリンククライアントは、ＤＳＭリンク上で使用される８０２．１１ｅ拡張型分散チャネルアクセス（ＥＤＣＡ）ＴＸＯＰプロシージャおよびブロックＡＣＫプロシージャを使用してもよい。加えて、ダイレクトリンククライアントは、送信リクエスト（ＲＴＳ）／送信可（ＣＴＳ：clear-to-send）を使用して、他のクライアント（特に、ダイレクトリンクを維持している他のクライアント）がダイレクトリンク送信に干渉する確率を低減させることができる。それぞれのアクセスカテゴリーにおいてデフォルトＥＤＣＡパラメータが使用されてもよく、非一次チャネルがビジーである場合、ｄｅｆｅｒ／５／１０／１５／２０プロシージャ（defer/5/10/15/20 procedure）が使用されてもよい。
【０１２３】
ＣＳＭＡはダイレクトリンク上で採用されているため、複数のダイレクトリンクはモードＩにおいて同時にサポートされてもよい。この場合、ダイレクトリンクに関与するすべてのデバイスペアは、ＣＳＭＡを使用して、同一の物理チャネルに対するアクセスを競合する。チャネルに関するこの競合は、ＤＳＭリンクに対してアクセスを試みている局も含む。
【０１２４】
ダイレクトリンクとＤＳＭリンクとの間のＱｏＳを管理するために、ＤＬＭＥは、ダイレクトリンクまたはＤＳＭリンクを対象としてトラフィックに関して異なる媒体アクセス遅延（すなわち、バックオフ期間）を実施してもよい。ＤＬＭＥは、それぞれのダイレクトリンクに関するＱｏＳ要件およびトラフィックタイプに基づいて決定してもよい。この情報は、それぞれのダイレクトリンクに関連する制御メッセージ（すなわち、ＭＡＣ層管理フレーム）を通じて局に送信されてもよい。
【０１２５】
ＴＶＷＳにおける追加のチャネルが利用可能であるとき、ダイレクトリンクが物理チャネルの異なるセットにオフロードされ得るモードＩＩが構成されてもよい（ＤＬＭＥの裁量で）。図２２は、モードＩＩを使用するダイレクトリンクの例示的なオペレーションを示す。モードＩＩのオペレーションにおいては、ダイレクトリンクは、ＤＳＭリンクに関する物理チャネルとは異なる物理チャネルを使用する。プライマリーＣＳＭＡは、ＤＳＭリンクおよびダイレクトリンクの両方に関して使用される。ダイレクトリンクに関してプライマリーＣＳＭＡを使用することによって、ＤＬＭＥは、複数のダイレクトリンクを同一の物理チャネル上に割り振り、およびこれらのダイレクトリンク間でその媒体を競合させてもよい。それぞれのダイレクトリンクのＱｏＳ要件を満たすために、それぞれのダイレクトリンクの媒体アクセス遅延がＤＬＭＥによって動的に修正されてもよい。媒体アクセス遅延の値がそれぞれのダイレクトリンクに関連する制御メッセージ（すなわち、ＭＡＣ層管理フレーム）上で送信されてもよい。
【０１２６】
一般に、ダイレクトリンクを管理するＤＬＭＥは、ダイレクトリンクの利用可能なチャネルの数およびＱｏＳ要件に基づいて、いつモードＩまたはモードＩＩが使用されるかを決定してもよい。それぞれのモードにおいては、チャネルの数は、動的ベースで変化する場合があり、および図２１および２２に示されるように、それぞれのリンクに関して４つのチャネルに限定されなくてもよい。ＤＳＭリンクおよびダイレクトリンクに関して使用されるチャネルの数ならびにチャネル周波数に関する更新は、例えば、ビーコンを使用して、ＡＰによってそれぞれの局に送信されてもよい。
【０１２７】
モードＩＩのオペレーションは、物理チャネルの２つのセットを仮定するので、クライアントが単一の無線を使用しており、かつＤＳＭリンクまたはダイレクトリンクのいずれかに割り当てることができるチャネルの数が任意の所与の時点でＭＡＣ／ＰＨＹによって処理可能なチャネルの数に至る可能性があると仮定して、ＤＳＭリンクとダイレクトリンクとの間の局のオペレーションが時間多重されてもよい。
【０１２８】
図２３は、モードＩＩのダイレクトリンクにおける例示的な時間多重オペレーションを示す。期間（図２３で影が付けられた期間）の間、ＳＴＡはＤＳＭリンクチャネル上でリスンまたは送信しており、および期間（図２３で影が付けられていない期間）の間、ＳＴＡはダイレクトリンクチャネル上で送信および受信している。モードＩＩにおいてアクティブなダイレクトリンクを有する局は、ダイレクトリンク上およびＤＳＭリンク上で送信オペレーションおよび受信オペレーションを時間多重してもよい。加えて、ＡＰはダイレクトリンクをアクティブにした局が、ＤＳＭリンク上でＡＰからフレームをいつ受信できることになるかを把握してもよい。そうするために、ＡＰは、アクティブなダイレクトリンクを有する局を、８０２．１１標準において電力節約モードにある局と同一のように扱ってもよい。このようにして、ＡＰは、ＳＴＡがＤＳＭリンクをリスンしていることが知られている所定の時点でフレームをＳＴＡに送信してもよい。ＤＳＭリンク上のＡＰとＳＴＡとの間の通信に関する期間は、ＡＰまたはＳＴＡのいずれかによって開始されてもよい。
【０１２９】
２つの局（ＳＴＡ  ＡおよびＳＴＡ  Ｂ）がそれらの間でアクティブであるモードＩＩにおけるダイレクトリンクを有するとき、これらの局は、フレームをほとんど常にダイレクトリンクチャネル上で送信および受信してもよい。ある状況において、これらの局は、ＡＰに対しフレームを送信し、およびＡＰからフレームを受信するために、ＤＳＭリンクチャネルに移動してもよい。ＳＴＡは、それぞれのターゲットビーコン送信時間（ＴＢＴＴ）においてＤＳＭリンクチャネルに移動してもよい。すべてのＳＴＡは、ＡＰからビーコンを受信するために、ビーコン期間の間、ＤＳＭリンクをリスンする。加えて、ＳＴＡは、そのビーコンにおいて送信された情報に基づいて、ＤＳＭリンクチャネルに移動してもよい。ＡＰは、ビーコン間隔に続いて、ＡＰがＤＳＭリンク上でユニキャストフレームを局に送信することになることを示してもよい。この場合、その局は、ダイレクトリンクチャネルに戻り、およびそのピア局とのそのダイレクトリンク通信を継続することに先行して、その局に宛てられたユニキャストフレームに関してそのＤＳＭリンクをリスンすることになる。加えて、ＡＰがＳＴＡを含む局のセットに送信すべきマルチキャストフレーム／ブロードキャストフレームを有するとき、ＳＴＡはＤＳＭリンクチャネルに移動してもよい。ＡＰは、マルチキャストフレーム／ブロードキャストフレームの存在が局に示されるビーコンの直後に、それらのフレームを送信してもよい。この場合、影響を受けるＳＴＡは、ＤＳＭリンク上でこれらのフレームをリスンしてもよい。加えて、ＳＴＡがフレームをＤＳＭリンク上でＡＰに送信する必要があるとき、ＳＴＡはまたＤＳＭリンクチャネルに移動してもよい。この場合、ＳＴＡがそのメッセージをＡＰに成功裏に送信するまで、ダイレクトリンクは瞬間的に中断されることになる。上記の状況におけるダイレクトリンクオペレーションに関する実施形態が以下で開示される。
【０１３０】
局がモードＩＩにおけるアクティブなダイレクトリンクを有するとき、その局は、ＡＰからビーコンを受信するために、ＴＢＴＴごとにＤＳＭリンクに切替え復帰してもよい。ビーコンが受信されるときに、局はダイレクトリンクオペレーションを再開してもよい。ビーコンは、ＤＳＭリンクおよびダイレクトリンクに関するチャネル切替え情報ならびにサイレント期間情報を含んでもよい。ビーコンはまた、上記説明したように、ＳＴＡがＤＳＭリンクをリスンし得る他の期間を同期するための手段としてサービスしてもよい。
【０１３１】
進行中の通信がＴＢＴＴに先行して終了されることを保証するために、ＳＴＡは、ＴＢＴＴに先行して、ＤＳＭリンクへの切替えに適用されるルールのセットに従ってもよい。図２４（Ａ）および２４（Ｂ）は、ＴＢＴＴにおけるＳＴＡの例示的なオペレーションを示す。
【０１３２】
図２４（Ａ）において、クライアントＡは、ＴＢＴＴに先行して、フレームをダイレクトリンク上でクライアントＢに送信することを望む。クライアントＡが、プライマリーＣＳＭＡを使用して、アグリゲートされたチャネルに対するアクセスを得るとき、クライアントＡは、概算のフレーム送信およびＡＣＫ受信時間を推定する。ＴＢＴＴに先行して、所望のフレームを送信することができ、およびＡＣＫを受信することができる場合、クライアントＡは送信を開始する。そうでない場合、ダイレクトリンク上のフレーム送信は、ビーコン送信の後まで遅延され、およびクライアントＡはそのチャネルにアクセスしなくてもよい。その際に、クライアントＡは、再送信の必要を回避して、およびアクティブなダイレクトリンクを有し、および要求される送信がより短い他の局によってそのチャネルが使用されることを可能にする。
【０１３３】
図２４（Ｂ）において、クライアントＡはデータパケット２４１２をクライアントＢに送信するが、ＴＢＴＴに先行して、そのデータパケットに関する肯定応答を受信しない。これは、図２４（Ｂ）に示すように、クライアントＢがＴＢＴＴに先行してＡＣＫを送信することができないことに起因する場合がある。この場合、クライアントＡは、パケット２４１２がクライアントＢによって一度も受信されなかったと仮定してもよく、およびビーコンに続いてデータパケット２４１４を再送信してもよい（初期の送信に関して使用されたのと同一のＣＳＭＡルールを適用することによって）。
【０１３４】
単一のチャネルオペレーションとは対照的に、ＡＰによるビーコン送信およびＳＴＡによるデータ送信は完全に独立しているため、上記のルールが必要とされる。ＡＰ送信および局送信は同一のチャネル上で発生しているため、単一のチャネルオペレーションにおいてビーコンを送信することによる問題は生じず、およびＡＰは、ＡＰがそのチャネルを取得するまで、ビーコンの送信を単に遅延させることになり、その場合、その期間の間、誰も送信していないことになる。
【０１３５】
図２４（Ａ）および２４（Ｂ）に示したルールに加えて、局は、ＭＡＣ層においてフラグメンテーションを使用することによって、ダイレクトリンクの使用を最適化してもよく、それによってＴＢＴＴに先行して、ダイレクトリンクが使用されていない、または使用可能でない時間を削減する。ＴＢＴＴに先行する「デッドタイム」を削減するために、フレームがサイズの点で適合されてもよい。いかなるＰＨＹ切替え時間も議論されていないが、関連するすべてのタイムラインにおいてＰＨＹ切替え時間を考慮する必要がある点に留意されたい。物理層がダイレクトリンクとＤＳＭリンクとの間で切り替えるために無視できない時間量を必要とする場合、ＴＢＴＴに先行して送信を進行し、または送信を延期させるかを判定する際に、その時間を局によって考慮されてもよい。
【０１３６】
局がダイレクトリンク内でアクティブな時間の間、ＡＰはそのＳＴＡに宛てられた、ＤＳＭリンク上で送信される必要があるトラフィック（データまたは制御）を有することができる（例えば、その局のダイレクトリンクピアではない、ネットワーク内の別の局がデータをその局に送信するとき）。加えて、ＡＰはビーコンを介して送信することができない（センシング構成メッセージなど）制御メッセージを局に送信することが必要な場合がある。そのような場合、ＡＰは、ＡＰが、ＳＴＡがそのメッセージを受信することになるのを知ることになる特定の時間にデータまたは制御をＳＴＡに送信する能力を必要とする場合がある。
【０１３７】
一実施形態では、ＳＴＡはＡＰによって電力節約（ＰＳ）モードの局として扱われてもよい。ＡＰがＰＳモードにあるＳＴＡに送信すべきフレームを有するとき、ＡＰはそれらのフレームを一時的にバッファリングし、およびバッファリングされたフレームの存在を、次のビーコンにおけるトラフィックインジケーションマッピング（ＴＩＭ）においてＳＴＡに対して示す。局は、ＴＩＭを受信し、および解釈することによって、それに関してフレームがバッファリングされていることを判定する。次いで、その局は、ショートＰＳポーリングフレームをＡＰに送信し、ＡＰは対応するバッファリングされたフレームにより速やかに応答し、またはＰＳポーリングを確認して、後の時点で対応するフレームにより応答する。
【０１３８】
図２５は、ＤＳＭリンク上のＡＰからＳＴＡへのユニキャストフレームの例示的な送信を示す。図２５において、ＳＴＡ  ＡおよびＳＴＡ  Ｂはダイレクトリンクチャネル（この例では、チャネル５〜８）上にダイレクトリンクを有し、ＳＴＡ  ＣおよびＳＴＡ  Ｄはダイレクトリンクチャネル上にダイレクトリンクを有する。ＡＰはＤＳＭチャネル（この例では、チャネル１〜４）上でＳＴＡ  ＡおよびＳＴＡ  Ｂに送信すべきデータを有する。ＡＰはそのデータをバッファリングし、およびそれを次のビーコンにおけるＴＩＭ２５０２において示す。ＳＴＡ  Ａは、ＤＳＭチャネルに対するアクセスを取得し、およびＰＳポーリング２５０４をＤＳＭチャネル上でＡＰに送信する。ＳＴＡ  Ａに関するデータ２５０６はＳＴＡ  Ａに送信され、ＳＴＡ  Ａは２５０８を確認する。ＳＴＡ  Ｂは、ＤＳＭチャネルに対するアクセスを取得し、およびＰＳポーリング２５１０をＤＳＭチャネル上でＡＰに送信する。ＳＴＡ  Ｂに関するデータ２５１２はＳＴＡ  Ｂに送信され、ＳＴＡ  Ｂは２５１４を確認する。
【０１３９】
ＳＴＡがＡＰからユニキャストフレームを待機している時間またはそのユニキャストフレームを受信する時間の間、それがそのピア局を有するダイレクトリンクは一時的に停止される。したがって、ＳＴＡは、それ自体の関連性識別（ＡＩＤ）およびピア局のＡＩＤの両方に関して、ＴＩＭにおける部分的な仮想ビットマップをスキャンしてもよい。ピア局がＤＳＭリンク上でフレームを受信することがスケジュールされている場合、そのＳＴＡはいずれのパケットもダイレクトリンクチャネル上でそのピアに送信しなくてもよい。しかし、モードＩＩのダイレクトリンクチャネルは、ＴＩＭにおいてアナウンスされたトラフィックによって影響を受けていない局によって使用されてもよい。これは図２５に示されており、ここで、ＳＴＡ  ＣおよびＳＴＡ  Ｄはチャネル５〜８上で互いの間に有するダイレクトリンク通信を継続すると同時に、ＳＴＡ  ＡおよびＳＴＡ  Ｂは、両方ともＡＰ内でそれらに宛てられた、バッファリングされたフレームを有するため、ＳＴＡ  ＡおよびＳＴＡ  Ｂはそれらの間のダイレクトリンクを中断してもよい。
【０１４０】
ＡＰにおいてバッファリングされたフレームを有するＳＴＡは、ＰＳポーリングを送信するために、そのチャネルを競合する場合がある。この競合は、やはりＡＰにおいてバッファリングされたフレームを有するＰＳモードの非ダイレクトリンクＳＴＡによって発生する場合がある。ＡＰは、ＰＳポーリングの直後にデータを局に送信し、または肯定応答を送信し、およびそのデータを後で送信するかを決定してもよい。ダイレクトリンクが最小期間の間、一時停止されるように、ダイレクトリンクＳＴＡからのＰＳポーリングに速やかに応答することによって、ダイレクトリンクＳＴＡに送信されるべきトラフィックはＡＰによって優先付けされてもよい（ＰＳモードの非ダイレクトリンクＳＴＡに宛てられたトラフィックと比較して）。
【０１４１】
あるいは、ＡＰは、ダイレクトリンクの一時停止が最小であることを保証するために、ＰＳポーリングまたはＤＳＭリンク上でのダイレクトリンクＳＴＡからの先のＡＣＫに続いて、ショートフレーム間スペーシング（ＳＩＦＳ）を待機した後で、トラフィックをダイレクトリンクＳＴＡに送信してもよい。ダイレクトリンクのＱｏＳ要件、およびＡＰからＳＴＡに送信されるべきメッセージの優先度に応じて、ＡＰは、所与のビーコン期間に続いて、バッファリングされたフレームのサブセットを送信し、および次のビーコン期間に続いてその残りを送信してもよい。トラフィックタイプに応じて、指定された時間量を超えて、ダイレクトリンクが一時停止されないことを保証するために、これが行われてもよい。
【０１４２】
ユニキャストフレームがＡＰから受信された後で、ダイレクトリンクが再度確立される必要がある。これら２つの局は、データの損失またはリンクの終了を伴わずに、ダイレクトリンクに戻る必要がある。以下の実施形態では、ある例として、ＳＴＡ  ＡおよびＳＴＡ  Ｂは両方とも、ユニキャストフレームの形式でＡＰからデータを予測すると仮定する。しかし、これらの局のうちの１つはユニキャストフレームを受信することが必要とされる場合があり、以下の実施形態はそれらの事例にも適用可能である点に留意されたい。
【０１４３】
一実施形態では、ＳＴＡ  ＡおよびＳＴＡ  Ｂは、ＡＰと他の局との間の通信をリスンすることによって、ダイレクトリンクをいつ再スタートするかを把握してもよい。このようにして、それ自体のユニキャストフレームが受信され、およびその他の局のユニキャストフレームがすべて受信されるまで、ＳＴＡ  Ａ  およびＳＴＡ  Ｂは両方ともＤＳＭリンク上に留まってもよい。ＡＰは、そのフレームに続いてそれ以上のデータフレームが送信されないことを示す（例えば、最後のデータフレームにおいて）。
【０１４４】
図２６は、ＤＳＭチャネル上のユニキャスト送信の後でダイレクトリンクを再確立する例示的なシグナリングフローを示す。ＡＰは、ＴＩＭをＳＴＡ  ＡおよびＳＴＡ  Ｂに送信する（２６０２）。ＳＴＡ  ＡおよびＳＴＡ  Ｂは、ＰＳポーリングを送信するために、ＤＳＭチャネルへのアクセスを競合する（２６０４）。ＳＴＡ  Ａがその競合を得て、およびＳＴＡ  ＡがＰＳポーリングをＡＰに送信すると仮定する（２６０６）。データがＳＴＡ  Ａに送信される（２６０８）。最後のデータを確認した後で（２６１０）、ＳＴＡ  Ａは、ＤＳＭチャネル上で後続のＡＰ−ＳＴＡ  Ｂ通信をリスンし続ける（２６１２）。ＳＴＡ  Ｂは、ポーリングメッセージをＡＰに送信する（２６１４）。データがＳＴＡ  Ｂに送信され、そのデータが確認される（２６１６、２６１８）。最後のデータパケットは、それ以上のデータパケットがＳＴＡ  Ｂに送信されないことを示し、それもやはり確認される（２６２０、２６２２）。ＳＴＡ  ＡおよびＳＴＡ  Ｂは最後のデータに対するＡＣＫの後でダイレクトリンクチャネルに戻る（２６２４）。ＳＴＡ  ＡとＳＴＡ  Ｂとの間でポーリングメッセージおよびダイレクトリンクトラフィックが交換される（２６２６、２６２８）。
【０１４５】
別の実施形態では、ＳＴＡ  ＡおよびＳＴＡ  Ｂが、それら自体のユニキャストフレームを取得した直後に、ＳＴＡ  ＡおよびＳＴＡ  Ｂはダイレクトリンクに戻ってもよい（他方の局のユニキャストフレームが受信されているかどうかにかかわらず）。図２７は、ＤＳＭチャネル上のユニキャスト送信の後でダイレクトリンクを再確立する例示的なシグナリングフローを示す。ＡＰはＴＩＭをＳＴＡ  ＡおよびＳＴＡ  Ｂに送信する（２７０２）。ＳＴＡ  ＡおよびＳＴＡ  Ｂは、ＰＳポーリングを送信するためにＤＳＭチャネルに対するアクセスを競合する（２７０４）。ＳＴＡ  Ａがその競合を得て、およびＳＴＡ  ＡがＰＳポーリングをＡＰに送信すると仮定する（２７０６）。データがＳＴＡ  Ａに送信される（２７０８）。最後のデータを確認した後で（２７１０）、ＳＴＡ  Ａはダイレクトリンクチャネルに戻り、タイマをトリガしてもよい（２７１２）。ＳＴＡ  ＢはポーリングメッセージをＡＰに送信する（２７１４）。データがＳＴＡ  Ｂに送信され、そのデータは確認される（２７１６、２７１８）。最後のデータパケットはそれ以上のデータパケットがＳＴＡ  Ｂに送信されないことを示し、これもやはり確認される（２７２０、２７２２）。最後のデータに対するＡＣＫの後で、ＳＴＡ  Ｂはダイレクトリンクチャネルに戻り（２７２４）、ＳＴＡ  ＡとＳＴＡ  Ｂとの間でダイレクトリンクトラフィックが転送される（２７２６）。
【０１４６】
ダイレクトリンクチャネルに戻る第１の局は、他方の局を待機してもよい。待機期間は、ビーコン間隔の長さに関連して適切に設定され得る、それぞれの局によって別個に維持されたタイマによって、または上位層によって設定されてもよい。タイマが満了するまで、ダイレクトリンクチャネルに最初に戻る局は、ダイレクトリンクは現在依然としてアクティブであるが、他の局がＤＳＭリンクトラフィックを受信しているため、一時停止されると仮定する。タイマが満了するとき、ダイレクトリンクはティアダウンされてもよい。局が他方の局を待機する間、その局は他の局と別のダイレクトリンク通信を有してもよい。その局が他の局に関してペンディングしているフレームを有する場合、その局は、他の局が戻ったかをチェックするために、これらのフレームをダイレクトリンク上で周期的に送信し、またはＰＯＬＬが他の局からのデータによって確認されるまで、もしくはタイマが満了するまで、ＰＯＬＬメッセージをダイレクトリンク上で周期的に送信してもよい。
【０１４７】
別の実施形態では、ＳＴＡ  ＡおよびＳＴＡ  Ｂがダイレクトリンクに戻る順序に関する知識が使用されて、ダイレクトリンクを再確立してもよい。ＡＰが先着順にＰＯＬＬを対処することを課すことによって、これが行われてもよい。それぞれのＳＴＡは、ＰＯＬＬを競合しながら、他の局によってＡＰに送信されたＰＯＬＬをリスンする。このようにして、それはＳＴＡ  ＡおよびＳＴＡ  Ｂがそのユニキャストフレームを受信することになる順序（したがって、ＳＴＡ  ＡおよびＳＴＡ  Ｂがダイレクトリンク周波数に戻る順序）を関知することになる。ダイレクトリンクに最後に戻る局は、ダイレクトリンクを再確立することを担当してもよい（ＰＯＬＬを送信すること、またはデータを送信することのいずれかによって）。この機構を簡素化するために、ＰＯＬＬメッセージは（ＡＰだけにではなく）すべてのＳＴＡに送信されるブロードキャストフレームであってもよい。あるいは、ＳＴＡがＡＰによってサービス提供される順序は、ＡＰによって事前に判定されてもよく、およびＴＩＭメッセージと共に送信されてもよい。この場合、ＰＯＬＬメッセージは、他のＳＴＡによって解釈される必要がない場合がある。この場合、ユニキャストフレームの配信の順序は既に事前判定されているので、ＰＯＬＬメッセージは、送信されても、送信されなくてもよい。
【０１４８】
さらに別の実施形態では、ダイレクトリンクチャネルに移動するのに先行して、ＤＳＭリンク上でＳＴＡ  ＡとＳＴＡ  Ｂとの間でハンドシェークが実行されてもよい。このハンドシェークは、ＡＰを通じてルーティングされた正規の８０２．１１メッセージにより行われてもよく、および２つのＳＴＡが、ユニキャストフレームの受信をいつ完了したかを知ることを可能にしてもよい。ハンドシェークは、ダイレクトリンク内の両方のＳＴＡがＡＰからユニキャストフレームを予測している場合に必要となる場合がある。
【０１４９】
図２８は、局間でハンドシェークを使用するダイレクトリンク再確立に関する例示的なシグナリングフローを示す。ＡＰはＴＩＭをＳＴＡ  ＡおよびＳＴＡ  Ｂに送信する（２８０２）。ＳＴＡ  ＡおよびＳＴＡ  Ｂは、ＰＳポーリングを送信するためにＤＳＭチャネルへのアクセスを競合する（２８０４）。ＳＴＡ  Ａがその競合を得て、およびＳＴＡ  ＡがＰＳポーリングをＡＰに送信すると仮定する（２８０６）。データがＳＴＡ  Ａに送信される（２８０８）。最後のデータを確認した後で（２８１０）、ＳＴＡ  Ａはユニキャスト完了リクエストをＳＴＡ  Ｂに送信する（２８１２）。次いで、ＳＴＡ  Ｂはユニキャスト完了レスポンスをＳＴＡ  Ａに送信し（２８１４）、ポーリングメッセージをＡＰに送信する（２８１６）。ユニキャスト完了レスポンスは、ＳＴＡ  ＢがＡＰから受信すべきデータを有することを示し、ＳＴＡ  Ａはハンドシェークが完了するのをＤＳＭリンクチャネル上で待機する。データはＳＴＡ  Ｂに送信されて、そのデータが確認される（２８１８、２８２０）。最後のデータパケットは、それ以上のデータパケットがＳＴＡ  Ｂに送信されないことを示し、それもやはり確認される（２８２２、２８２４）。ＳＴＡ  Ｂはユニキャスト完了リクエストをＳＴＡ  Ａに送信し、ＳＴＡ  Ａはユニキャスト完了レスポンスを用いて応答する（２８２６、２８２８）。ＳＴＡ  ＡおよびＳＴＡ  Ｂは両方とも、次いで、ダイレクトリンクチャネルに戻り（２８３０）、ＳＴＡ  ＡとＳＴＡ  Ｂとの間でダイレクトリンクトラフィックが転送される（２８３２）。
【０１５０】
上記の実施形態が独立して使用され、またはこれらの実施形態の特定の態様が組み合わされて、それぞれのＳＴＡの振舞い、およびダイレクトリンクを再確立するためのそれらの間のメッセージングに関するルールをセットアップしてもよい。ダイレクトリンクが一時停止された後で、再確立される必要がある他のシナリオに上記の実施形態が適用されてもよい。
【０１５１】
ＡＰがマルチキャストフレームまたはブロードキャストフレームを、ＢＳＳにおけるいくつかの局に送信することが必要な場合がある。一部の局がモードＩＩを使用するダイレクトリンクに関与する場合、これらの局がその時点でＤＳＭリンクをリスンすることができるように、これらの局はＡＰから入って来るマルチキャストトラフィック／ブロードキャストフレームの存在を認識する必要がある。モードＩＩのダイレクトリンクにおいて、ＡＰは配信トラフィックインジケーションマッピング（ＤＴＩＭ）を送信して、ブロードキャストフレームまたはマルチキャストフレームの送信を示してもよい。ＤＴＩＭに続いて、すべてのブロードキャストフレーム／マルチキャストフレームがＡＰによって送信されるまで、すべてのダイレクトリンクＳＴＡはＤＳＭリンク上に残ってもよい。ＤＴＩＭがまた、特定の局に宛てられたユニキャストフレームの存在を示す場合、上記述べた実施形態が実装されてもよい。
【０１５２】
図２９は、ＤＳＭリンク上のＡＰからダイレクトリンクＳＴＡへのブロードキャストフレーム／マルチキャストフレームの例示的な送信を示す。図２９では、ＡＰはビーコンを周期的に送信し、およびビーコン期間の間、ダイレクトリンク局（この例では、ＳＴＡ  Ａ）はＤＳＭチャネルをリスンする。ＳＴＡ  ＡがＤＴＩＭ２９０２を受信した場合、ＳＴＡ  Ａは、ＤＳＭチャネル上に残り、ＡＰからブロードキャストフレーム／マルチキャストフレームを受信する（２９０４）。ブロードキャスト期間／マルチキャスト期間の終了に続いて、ＳＴＡ  Ａはダイレクトリンクチャネルに戻る。
【０１５３】
ＳＴＡがマルチキャストグループの一部でない、マルチキャストフレームが送信された場合（すなわち、ＤＴＩＭ２９０６）、その局またはそのダイレクトリンクピアに関するユニキャストトラフィックがアナウンスされなければ、ＳＴＡはＤＴＩＭ２９０６の受信直後にダイレクトリンクを再開してもよい。
【０１５４】
ダイレクトリンクＳＴＡは、ＤＳＭリンクを通じてＭＳＤＵをＡＰまたは他の局に送信することが必要な場合がある（例えば、ＤＬ−ＳＴＡが（ＡＰを通じて）ＤＳＭエンジンに送信されるべき測定をセンシングしたとき）。この場合、ＤＬ−ＳＴＡは、ＤＳＭリンク上のアップリンク送信の間にダイレクトリンクチャネルをもはやリスンしていない場合があるため、送信されるべきアップリンクＭＳＤＵを有するＤＬ−ＳＴＡとそのダイレクトリンクピアとの間で特別なハンドシェークが実行されてもよい。
【０１５５】
図３０は、ＡＰに対するＤＬ−ＳＴＡ送信に関する例示的なハンドシェークを示す。図３０では、ＳＴＡ  ＡはＳＴＡ  Ｂとのダイレクトリンクを有し、ＳＴＡ  ＢはＳＴＡ  Ｃと別のダイレクトリンクを有し、ＳＴＡ  ＡはＤＳＭリンク上でＡＰに送信すべきデータを有する。ＳＴＡ  Ａは、ダイレクトリンク中断リクエストメッセージ（ＤＬＩＲＭ）３００２をダイレクトリンク上でＳＴＡ  Ｂに送信する。従来の８０２．１１管理フレームを使用して、ＤＬＩＲＭメッセージ３００２が実施されてもよい。例えば、転送に関して判定されていない時間を示すために、存続期間フィールドを０に設定したＲＴＳメッセージがＤＬＩＲＭメッセージとして使用されてもよい。ＳＴＡ  Ｂは、ＳＴＡ  Ａによるダイレクトリンクの中断を示すＤＬＩＲＭメッセージ３００２を受信する。ＳＴＡ  Ｂは、ダイレクトリンク上でダイレクトリンク中断確認メッセージ（ＤＬＩＣＭ）３００４により確認する。ＣＴＳパケットなど、従来の８０２．１１管理フレームを使用してＤＬＩＣＭメッセージ３００４が実施されてもよい。
【０１５６】
ＳＴＡ  ＡがＤＬＩＣＭメッセージ３００４を受信するとき、ＳＴＡ  Ａは、ダイレクトリンクが成功裏に中断されたことを知り、そのＰＨＹをＤＳＭリンクに移動させ、そこで、ＳＴＡ  Ａはチャネルアクセスを競合する。ＳＴＡ  ＡがＤＳＭリンクに関する競合を得たとき、ＳＴＡ  ＡはＭＳＤＵ３００６をＤＳＭリンク上でＡＰまたは宛先局に送信する。ＳＴＡ  Ａがダイレクトリンクを再開することを決定する前に、複数フレームが送信されてもよい。
【０１５７】
ＳＴＡ  ＡがＤＳＭリンク上でそのＭＳＤＵ送信を完了したとき、ＳＴＡ  Ａは、そのＰＨＹをダイレクトリンクチャネルに移動させて、およびＰＳポーリングメッセージ３００８、またはそのピア局に宛てられたデータフレームのいずれかを送信することによって、ダイレクトリンクを再開する（ＳＴＡ  Ａがダイレクトリンク上で送信すべきものを何も有さない場合）。これはダイレクトリンクを効果的に再スタートさせる。
【０１５８】
ダイレクトリンクが中断される時間の間、ＳＴＡ  ＢはＳＴＡ  Ａに宛てられたすべてのデータをダイレクトリンク上でバッファリングしてもよいが、他のダイレクトリンクは、これらの周波数上でアクティブな状態に留まり続けてもよい。
【０１５９】
ダイレクトリンクがチャネルのセット上で中断されている間に、他のダイレクトリンクはアクティブな状態に留まり続けてもよい。例えば、ＳＴＡ  ＡとＳＴＡ  Ｂとの間のダイレクトリンクが中断されているにもかかわらず、ＳＴＡ  Ｂは、ダイレクトリンク上でＳＴＡ  ＢとＳＴＡ  Ｃの間でＭＳＤＵをＳＴＡ  Ｃと交換し続けてもよい。加えて、２つのピアＤＬ−ＳＴＡのうちの１つは、ダイレクトリンクを中断し、およびメッセージをＤＳＭリンク上で送信してもよい。これはＤＬＩＲＭメッセージを最初に送信すべき局である。ダイレクトリンクが再開されるまで、ピア局はＤＳＭリンクとやり取りしなくてもよい。結果として、ピア局（この例では、ＳＴＡ  Ｂ）は、ダイレクトリンクチャネルをリスンし、およびＳＴＡ  Ａからのフレームがこのリンク上で再度受信されたときはいつでも、ダイレクトリンクが再開されたことを知ることができる。その時点で、ＳＴＡ  Ｂは、そうする必要がある場合、ダイレクトリンクを自由に中断してもよい。
【０１６０】
従来、ダイレクトリンクは、ＡＰをバイパスしながら、２つの局間における直接通信のために確保されている。これは、複数の局が関与する、特定のアプリケーションを実装するよりも効率的な方法を有するために、これが拡張されて、複数の局との通信を有してもよい。図３１は、スペースリンクの例を示す。図３１は、あるスペースリンクがグループゲームアプリケーションに関して使用され、および別のスペースリンクがデバイス間の仮想チャットルームに関して使用されることを示す。
【０１６１】
スペースリンクを実装するために、上記説明されたダイレクトリンク実施形態のうちのいずれかが使用されてもよい。例えば、６０ＧＨｚにおいては、特定のサービス期間またはサービス期間のセットがスペースリンクの使用の専用となってもよい。複数の無線ＴＶＷＳシナリオにおいては、チャネルのセットがスペースリンクに対して割り振られてもよい（それ自体の一次チャネルを備えた）。
【０１６２】
スペースリンクに関与する局は、ユニキャストメッセージまたはマルチキャストメッセージのいずれかを通じて互いに直接通信する（問題のアプリケーションに応じて）。グループゲームアプリケーションの場合、スペースリンクは、ＡＰを通じてトラフィックをルーティングする必要なしに、高トラフィックスループットを可能にする（これにより、ネットワークの残りの部分が輻輳しないことを保証する）。仮想チャットルームの場合、ユニキャスト特徴およびマルチキャスト特徴が使用されて、メッセージのＭＡＣレベルのセキュリティ、したがって、「プライベートメッセージ」特徴を保証してもよい。
【０１６３】
以下で、局／クライアントがその局／クライアントとポイントツーポイントリンク上で直接通信することができる局／クライアントを知るための実施形態が開示される。局が、ダイレクトリンクから利益を得ることになる、ＤＳＭシステムが提供するサービスおよびアプリケーションを知ることを可能にするための実施形態も開示される。例えば、これらの実施形態により、スマートフォンは、ＤＳＭシステム内のローカルパーソナルコンピュータ（ＰＣ）がデジタルミュージックファイルサーバをホスティングし、またはプリンタサーバとして動作しているかなどを知ることができる場合がある。複数のダイレクトリンクがＤＳＭシステムにおいて同時にセットアップされてもよく、および進行中のＤＳＭシステム送信と共存してもよい実施形態も開示される。ダイレクトリンク通信に関する送信パラメータ（例えば、変調、符号化、アンテナ指向性など）に関する実施形態も開示される。
【０１６４】
ネットワーク接続性は、高スループットデータリンクを維持する重要な要因である。予測される接続性の詳細なマッピングは、ネットワークにおいて適切なダイレクトリンクをセットアップする際にＤＳＭエンジンまたは中央エンティティ（例えば、ＡＰもしくはネットワークエンティティ）をガイドし、およびこれは信号強度とスループットの関係を理解するのを助けるため、ネットワークのスループット全体を改善するのを補助することができる。
【０１６５】
図３２は、端末ツー端末（terminal-to-terminal）ダイレクトリンク管理に関する、中央ノード３２１０および複数の端末デバイス３２２０を含む、例示的なネットワークアキテクチャを示す。中央ノード３２１０は端末デバイス３２２０を接続して、キャピラリーネットワーク（capillary network）を形成する。このアーキテクチャにおいては、すべての端末デバイス３２２０は、中央ノード３２１０を介して通信してもよい。ＷＬＡＮまたはフェムトセルなど、屋内ネットワークでは、中央ノード３２１０は、ＷＬＡＮ  ＡＰ、ホームＮｏｄｅＢ、ホーム発展型ＮｏｄｅＢなどに対応する。セルラネットワークなど、屋外ネットワークでは、中央ノード３２１０は、ＮｏｄｅＢまたは発展型ＮｏｄｅＢであってもよい。
【０１６６】
端末ツー端末ダイレクトリンク管理エンティティ（ＤＬＭＥ）３２３０は、端末デバイス３２２０間のダイレクトリンクを管理する。ＤＬＭＥ３２３０は、デバイス間でダイレクトリンク（図３２のＤＬ１乃至ＤＬ５）をセットアップしてもよい。図３２に示すように、ＤＬＭＥ３２３０は外部エンティティ３２４０に配置されてもよい。しかし、ＤＬＭＥ３２３０は、中央ノード３２１０、またはネットワークのいずれのエンティティに配置されてもよい。ネットワーク端末デバイス３２２０は、ダイレクトリンク管理プロシージャ（例えば、ダイレクトリンクセットアップ、ティアダウン、測定制御、レポートなど）をサポートするために、クライアントＤＬＭＥエンティティ（図示せず）を含んでもよい。
【０１６７】
一実施形態では、ネットワークにおけるデバイスに関するエンドツーエンド無線接続状態およびダイレクトリンク管理に関して、接続性マッピング、サービスマッピング、および／または機能マッピングが確立されてもよい。以下の実施形態は接続性マッピングを参照して説明されるが、これらの実施形態は、サービスマッピングおよび機能マッピングにも適用可能であり、および端末ツー端末ダイレクトリンク管理のために任意のその他のコンプリメンタリー情報マッピング（complimentary information maps）を使用することができる点に留意されたい。接続性マッピング、サービスマッピング、および機能マッピングが集中化されて、ＤＬＭＥエンティティと共同配置されてもよい。
【０１６８】
接続性マッピングは、キャピラリーネットワークにおける端末のすべてのペアの間の無線リンクを特徴付ける情報収集を備える。例えば、端末間のリンクの無線特性は、信号対雑音比であってもよく、または２つの端末間の経路損失特性に対応する、リンクの他の端末送信の受信電力であってもよい。接続性マッピングは、キャピラリーネットワークにおける端末のすべてのペアの間の、例えば、経路損失の観点での接続性を表す。
【０１６９】
サービスマッピングは、キャピラリーネットワークにおける端末デバイス毎の利用可能なサービスを特徴付ける情報収集を備える。利用可能なサービスは、サービス名、それらの状態（すなわち、使用可能にされている、または使用不能にされている）、必要とされるＱｏＳ（例えば、最低レート）、サービスに関して使用可能なＲＡＴ、動作しているＲＡＴ情報またはチャネル情報などを含むが、これらに限定されない。
【０１７０】
機能マッピングは、キャピラリーネットワークにおけるすべての端末デバイスの機能を特徴付ける情報収集を備える。これらの機能は、利用可能なＲＡＴ、利用可能なＲＡＴの状態（すなわち、使用可能にされている、または使用不能にされている）、すべてのＲＡＴにおける最大送信電力、ダイレクトリンク機能、センシング機能などを含むが、これらに限定されない。
【０１７１】
一実施形態では、接続性情報は、アソシエーションの時点で、またはアソシエーションの直後に収集されてもよい。アソシエーションされたばかりの端末デバイスがクエリされて、特定の信号を特定の送信電力ですべてのネットワークノードにブロードキャストしてもよい。すべてのネットワークノードは、次いで、その信号の受信電力を測定して、特定の送信電力により別の信号によりその端末に応答する。次いで、端末は他のノードからの信号の受信電力を測定する。すべてのこれらの測定結果をＤＬＭＥエンティティに送信して、すべてのネットワークノード間の経路損失の収集を構築する。これらの経路損失は、ネットワークノード間の接続性を特徴付ける。
【０１７２】
図３３は、アソシエーション後の接続性情報収集に関する例示的なシグナリングフローを示す。図３３で、ある例として、端末アソシエーション（３３０２）の後で、機能情報およびサービス情報がＤＬＭＥに通信されることが示されるが、この情報はアソシエーションの間に通信されてもよい。
【０１７３】
アソシエーションされた端末デバイスはＤＬＭＥにクライアントアタッチ（attach）メッセージを送信する（３３０４）。クライアントアタッチメッセージは、機能情報（例えば、最大送信電力）、サービス情報、および／または位置情報を含んでもよい。ＤＬＭＥはこの情報を機能マッピングおよびサービスマッピングに記憶する。ＤＬＭＥは、クエリをトリガして、接続性クエリアナウンスメッセージを中央ノードに送信する（３３０６）。接続性クエリアナウンスメッセージは、表１内の情報要素のうちのいくつかまたはすべてを含んでもよい。
【０１７４】
【表１】
2015111877.tif 000003
【０１７５】
中央ノードがＤＬＭＥエンティティから接続性クエリアナウンスメッセージを受信した後で、中央ノードは、接続性クエリアナウンスメッセージをネットワークオペレーティングチャネル上ですべてのネットワークノードにブロードキャストする（３３０８）。中央ノードを含めて、クライアントは接続性クエリアナウンスメッセージからの情報要素を解釈する。
【０１７６】
相反期間（Reciprocity Period）の間、端末Ａは（Ｒｅｃｉｐｒｏｃｉｔｙ＿ｄｅｖｉｃｅ＿ｌｉｓｔにおいてリスト化された）、ブロードキャストとして接続性クエリメッセージをネットワークオペレーティングチャネル上で送信してもよい（３３１０）。端末Ａは、それ自体の最大送信電力を使用してもよい。中央ノードを含めて、すべての他のネットワークノードは（Ｓｅｎｓｉｎg＿ｄｅｖｉｃｅ＿ｌｉｓｔにおいてリスト化された）、端末Ａからの接続性クエリメッセージの受信電力をセンシングおよび測定してもよい。
【０１７７】
相反期間時間の終了の後で、Ｓｅｎｓｉｎｇ＿ｄｅｖｉｃｅ＿ｌｉｓｔにおいてリスト化されたノードは、端末Ａを除いて、ブロードキャストメッセージとして接続性クエリメッセージをオペレーティングチャネル上で送信してもよい（３３１２ａ）。ＡＰもまた、オペレーティングチャネル上でブロードキャストメッセージとして接続性クエリメッセージを送信する（３３１２ｂ）。ノードは、それ自体の最大送信電力でメッセージを送信してもよい。この接続性クエリメッセージは、端末Ａからの接続性クエリメッセージの受信電力の測定結果を含んでもよい。
【０１７８】
端末Ａは（Ｒｅｐｏｒｔｉｎｇ＿ｄｅｖｉｃｅ＿ｌｉｓｔにおいてリスト化された）、ＡＰを含めて、他のネットワークノードからの接続性クエリメッセージの電力を測定する。端末Ａはまた、他のネットワークノードから受信された接続性クエリメッセージからの測定情報を抽出する。端末Ａは、次いで、それ自体の測定結果および抽出された測定結果を含む測定レポートを生成する。接続性期間の終わりに、端末Ａは、接続性レポートメッセージをＤＬＭＥに送信する（３３１４）。接続性レポートメッセージは、他のネットワークノードからのすべての接続性クエリメッセージの端末Ａにおける受信電力、ならびに端末Ａによって送信された接続性クエリメッセージのすべての他のネットワークノードにおける受信電力を含む。
【０１７９】
ＤＬＭＥが接続性レポートメッセージを受信すると、ＤＬＭＥは接続性マッピングを更新する（３３１６）。ＤＬＭＥは、中央ノードを通じてサービスおよび接続性メッセージを端末Ａに送信してもよい（３３１８）。サービスおよび接続性メッセージは、それを使用して端末Ａが通信することができるネットワークノード識別子、ならびに対応する経路損失、およびネットワークデバイス内の利用可能なサービスを含んでもよい。
【０１８０】
別の実施形態では、接続性情報が周期的に収集されてもよい。すべてのネットワークノードがクエリされて、特定の信号を特定の送信電力ですべてのネットワークノードにブロードキャストしてもよい。すべてのネットワークノードは、次いで、その信号の受信電力を測定し、およびその測定結果をＤＬＭＥにレポートして、ＤＬＭＥはすべてのネットワークノード間の経路損失の収集を構築してもよい。これらの経路損失はネットワークノード間の接続性を特徴付ける。
【０１８１】
図３４は、周期的な接続性情報更新に関する例示的なシグナリングフローを示す。ＣｏｎｎｅｃｔｉｖｉｔｙＵｐｄａｔｅ＿Ｔｉｍｅｒが満了した後で、ＤＬＭＥはクエリをトリガし、および表１における情報要素のうちの一部またはすべてを備えた接続性クエリアナウンスメッセージを中央ノードに送信してもよい（３４０２）。Ｒｅｃｉｐｒｏｃｉｔｙ＿ｄｅｖｉｃｅ＿ｌｉｓｔはＮＵＬＬであってよく、相反期間はゼロに等しくてもよい。中央ノードがＤＬＭＥエンティティから接続性クエリアナウンスメッセージを受信した後で、中央ノードは、接続性クエリアナウンスメッセージをネットワークオペレーティングチャネル上ですべてのネットワークノードにブロードキャストしてもよい（３４０４）。このメッセージは、ＤＬＭＥからの接続性クエリアナウンスメッセージからの情報要素を含んでもよい。中央ノードを含めて、クライアントは接続性クエリアナウンスメッセージからの情報要素を解釈する。
【０１８２】
接続性クエリアナウンスメッセージの受信後に、ＡＰを含むすべてのノードは（Ｓｅｎｓｉｎｇ＿ｄｅｖｉｃｅ＿ｌｉｓｔにおいてリスト化された）、ブロードキャストメッセージとして接続性クエリメッセージをオペレーティングチャネル上で送信してもよい（３４０６ａ、３４０６ｂ、３４０６ｃ）。すべてのノードはそれ自体の最大送信電力で送信してもよい。
【０１８３】
すべてのネットワークノードは（Ｒｅｐｏｒｔｉｎｇ＿ｄｅｖｉｃｅ＿ｌｉｓｔにおいてリスト化された）、他のノードによって送信された接続性クエリメッセージの電力を測定し、および接続性期間の終わりに、センシングされた測定結果をＤＬＭＥに送信してもよい（３４０８ａ、３４０８ｂ、３４０８ｃ）。すべてのノードからの接続性レポートは、他のネットワークノードによって送信されたすべての接続性クエリメッセージのそのノードにおける受信電力を含む。新たに活性化および／または非活性化されたサービス、新たに使用可能およびまたは使用不能にされているＲＡＴなど、サービスおよび機能情報更新をこれらの接続性レポートに含めてもよい。
【０１８４】
ＤＬＭＥが接続性レポートメッセージを受信すると、ＤＬＭＥは接続性マッピングを更新してもよい（３４１０）。ＤＬＭＥは、サービスおよび接続性メッセージを中央ノードに送信してもよい（３４１２）。中央ノードは、次いで、接続性更新タイマを設定し、およびそれをすべてのネットワークノードにブロードキャストしてもよい（３４１４）。
【０１８５】
別の実施形態では、接続性情報をオンデマンドで収集してもよい。接続性測定が同一のネットワークオペレーティングチャネル上で異なるノードによって実行されてもよい。２つのノード間のダイレクトリンクの実際のセットアップは、（例えば、オペレーションチャネルがＩＳＭ帯域上のＷＬＡＮチャネルであり、ダイレクトリンク用のチャネルが６０ＧＨｚ帯域上にあるとき、またはＢｌｕｅｔｏｏｔｈ技術もしくは他の技術に関するとき）異なる帯域上および／または異なるＲＡＴ上であってもよい。外部エンティティがダイレクトンリンクに関してチャネル、帯域、およびＲＡＴを決定すると仮定する。ダイレクトリンク用のチャネル、帯域およびＲＡＴを選択するために、外部エンティティはそのＤＬＭＥエンティティをトリガして、オンデマンド接続性情報収集を実行してもよい。
【０１８６】
図３５は、例示的なオンデマンド接続性情報収集を示す。外部ノードからのトリガ時に（３５０２）、ＤＬＭＥは、表１内の情報要素のうちの一部またはすべてを備えた接続性クエリアナウンスメッセージを中央ノードに送信する（３５０４）。測定を実行するためのターゲットとされるノードはネットワークノードのサブセットである。このサブセットは（例えば、ＴＶおよびＤＶＤプレイヤが６０ＧＨｚ上で接続される）２つだけのノードであってよく、または、より多くのノードであってもよい（いくつかのスマートフォンがＢｌｕｅｔｏｏｔｈに接続されて、ゲームまたはテキストアプリケーションを行う）。
【０１８７】
中央ノードは、接続性クエリアナウンスメッセージをネットワークオペレーティングチャネル上でノードのすべてのサブセットにブロードキャストする（３５０６）。このメッセージは、接続性クエリアナウンスメッセージからの情報要素を含んでもよい。中央ノードを含めて、クライアントは接続性クエリアナウンスメッセージからの情報要素を解釈してもよい。
【０１８８】
相反期間時間は、ゼロに設定されてもよい。接続性クエリアナウンスメッセージを受信した後で、ノードのサブセットは（Ｓｅｎｓｉｎｇ＿ｄｅｖｉｃｅ＿ｌｉｓｔにおいてリスト化された）、ブロードキャストメッセージとして接続性クエリメッセージを特定のチャネル上、帯域上、およびＲＡＴ上で送信してもよい（３５０８ａ、３５０８ｂ）。すべてのノードは、それ自体の最大送信電力で送信されてもよい。
【０１８９】
ノードのサブセットは（Ｒｅｐｏｒｔｉｎｇ＿ｄｅｖｉｃｅ＿ｌｉｓｔにおいてリスト化された）、接続性クエリメッセージの電力を測定し、およびセンシングされた測定結果を、中央ノードを通じてＤＬＭＥに通信してもよい（３５１０ａ、３５１０ｂ）。すべてのノードからの接続性レポートは、ノードのサブセットによって送信されたすべての接続性クエリメッセージのそのノードにおける受信電力を含む。
【０１９０】
ＤＬＭＥが接続性レポートメッセージを受信すると、ＤＬＭＥは接続性マッピングを更新する（３５１２）。ＤＬＭＥはサービスおよび接続性メッセージを中央ノードに送信してもよい（３５１４）。中央ノードはそのメッセージをすべてのネットワークノードにブロードキャストしてもよい（３５１６）。
【０１９１】
ダイレクトリンクをセットアップするのに先行して、局は、利用可能であり、または提供されているサービスを認識する必要がある。サービスは、ネットワーク関係のサービス（例えば、印刷サービス、ファイル記憶サービスなど）であってよく、またはアプリケーション関係のサービス（例えば、ゲームサービス、チャットサービスなど）であってもよい。ＤＬＭＥがサービスマッピングを有すると、その情報は、ダイレクトリンクの作成をトリガするためにクライアントによって使用されてもよい。
【０１９２】
ＤＬＭＥは、サービスの完全リストまたは部分リストを含むアプリケーションメッセージをブロードキャストしてもよい。これらは、すべての局に送信するためのキャピラリーネットワークのブロードキャスト機能に依存する場合がある。中央ノードによって制御されるキャピラリーネットワークが制御に関するブロードキャスト機構（例えば、ビーコン）を有する場合、制御メッセージに包含するために（例えば、ビーコンの一部として）サービスマッピング情報がＤＬＭＥから中央ノードに転送されてもよい。
【０１９３】
ＤＬＭＥに対するデバイスアタッチメント（attachment）において、ＤＬＭＥはアタッチメントレスポンスメッセージにおいてサービスのリストを提供することができる。あるいは、マッピングが中央ノードに提供されてもよく、およびこれが中央ノードからのアソシエーションレスポンスに含まれてもよい。あるいは、アソシエーションメッセージまたはアタッチメントメッセージにおいて、デバイスはそのデバイスが探索しているサービスのタイプのインジケーションを提供してもよく、およびアソシエーションレスポンスまたはアタッチメントレスポンスは（端末からのリクエストに基づいて）ターゲットとされるサービスのセットを含んでもよい。
【０１９４】
中央ノードにアソシエーションされ、またはＤＬＭＥにアタッチされたデバイスの数およびタイプに基づいて、サービスマッピングのブロードキャストが制御されてもよい。例えば、端末ツー端末機能を備えたデバイスがアタッチされていない場合、ＤＬＭＥはサービスマッピングをブロードキャストすることを行わないようにしてもよい。
【０１９５】
あるいは、アソシエーションされ、またはアタッチされたデバイスのタイプに基づいて、マッピングが適合されてもよい。例えば、印刷サーバがアタッチしている場合、そのようなサービスを探索しているデバイスの到着時に、ブロードキャストサービスマッピングを送信してもよい。
【０１９６】
あるいは、中央ノードによって認知されたシステム負荷（または、何らかの類似のパラメータ）に基づいて、マッピングが適合されてもよい。例えば、中央ノードは、別のチャネルまたは別の帯域においてダイレクトリンクの確立を促して、何らかの負荷バランシングを達成することを望む場合がある。これはＤＬＭＥがサービスマッピングをブロードキャストするのをトリガさせてもよい。
【０１９７】
図３６は、接続性および機能マッピングを使用したダイレクトリンクセットアップに関する例示的なシグナリングフローを示す。中央ノードは８０２．１１ＡＰとして示され、およびＤＬＭＥはＡＰにおいて実装されると仮定する。ＳＴＡ  Ａは、ダイレクトリンクセットアップリクエストをＡＰに送信して、ＳＴＡ  Ｂとのダイレクトリンクをセットアップする（３６０２）。これはサービスマッピングの前の受信に基づいてもよい。ＡＰはそのリクエストを審査し、および機能および接続性マッピングを使用して、ダイレクトリンクオペレーションにとって適切なチャネルおよび帯域を見出す（３６０４）。ダイレクトリンクセットアップは、要求された帯域幅に基づいてもよい。ＤＬＭＥは、接続性マッピングを使用して、ダイレクトリンクに関する最善の送信パラメータ（例えば、最小送信電力、変調、符号化、アンテナ指向性など）を判定してもよい。ＡＰは、次いで、ダイレクトリンクセットアップレスポンスをそれぞれＳＴＡ  ＡおよびＳＴＡ  Ｂに送信する（３６０６、３６０８）。次いで、ＳＴＡ  ＡとＳＴＡ  Ｂとの間でダイレクトリンク送信がスタートする（３６１０）。
【０１９８】
ＳＴＡ  Ｃは、（ＳＴＡ  ＡとＳＴＡ  Ｂとの間のダイレクトリンクが依然として続いている間に）ＳＴＡ  Ｄとのダイレクトリンクをセットアップするためのダイレクトリンクセットアップリクエストを送信する（３６１２）。ＡＰは、このダイレクトリンクのオペレーションに関するチャネルおよび帯域を判定し、ならびに接続性チェックを実行する（３６１４）。
【０１９９】
図３７は、接続性チェックに関するプロセスの例示的なフローチャートである。ＡＰは、ＳＴＡ  Ａ−ＳＴＡ  Ｂダイレクトリンクによって使用されている同一のチャネル上でＳＴＡ  ＣおよびＳＴＡ  Ｄ用のダイレクトリンク接続性が可能であるかどうかをチェックし、および可能である場合、このダイレクトリンクを同一の周波数チャネル上で動作させることの影響を評価する。ＡＰは、ＳＴＡ  Ｃ−ＳＴＡ  Ｄダイレクトリンクに関する最小可能送信電力を割り当ててもよい。ＡＰは、ＳＴＡ  ＣおよびＳＴＡ  ＤがＳＴＡ  Ａ−ＳＴＡ  Ｂリンクをリスンすることができるかどうかをチェックする（３７０２）。ＡＰは、接続性マッピングを使用して、ＳＴＡ  Ａ−ＳＴＡ  Ｂ送信がＳＴＡ  Ｃ−ＳＴＡ  Ｄ送信に影響を与えることになるかどうかを判定してもよい。ＡＰは、ＳＴＡ  ＡおよびＳＴＡ  ＢがＳＴＡ  Ｃ−ＳＴＡ  Ｄリンクをリスンすることができるかどうかをさらに判定する（３７０４）。ＡＰは、接続性マッピングを使用して、提案される送信電力、変調、符号化、アンテナ指向性などにおいて、ＳＴＡ  Ｃ−ＳＴＡ  Ｄ送信がＳＴＡ  Ａ−ＳＴＡ  Ｂ送信に影響を与えることになるかどうかを判定してもよい。３７０２および３７０４での両方の判定が否定的である場合、ダイレクトリンクがセットアップされる（３７０６）。３７０２および３７０４での判定のうちいずれか１つが肯定的である場合、ダイレクトリンクはセットアップされない（３７０８）。あるいは、ＤＬＭＥは、（可能な場合）代替のチャネルおよび帯域を見出すか、または両方のダイレクトリンクが割り当てられたチャネルおよび帯域を共有してもよい（これは、潜在的に、結果として性能劣化をもたらす）かを決定してもよい。
【０２００】
図３６を再び参照すると、ＡＰが新たなＳＴＡ  Ｃ−ＳＴＡ  Ｄダイレクトリンクをセットアップすることを判定する場合、ＡＰはダイレクトリンクセットアップレスポンスをそれぞれＳＴＡ  ＣおよびＳＴＡ  Ｄに送信する（３６１６、３６１８）。
【０２０１】
ダイレクトリンクは、クライアントＤＬＭＥとサーバＤＬＭＥとの間で動作する一連のプロシージャ、ならびにＡＰと局との間のプロシージャを通じて管理および調整される。ダイレクトリンクモニタリングプロシージャが実行されて、ピア局間でダイレクトリンクが必要とされるかどうかを評価する。ダイレクトリンクモニタリング構成プロシージャが実行されて、ダイレクトリンクモニタリングアルゴリズムおよびダイレクトリンクモニタリングパラメータをセットアップする。ダイレクトリンク活性化プロシージャが実行されて、ダイレクトリンクを活性化またはセットアップする。ＤＬＭＥによる何らかの指示に基づいて、ピア局によってこれがトリガされてもよい。ダイレクトリンク非活性化プロシージャが実行されて、ダイレクトリンクを非活性化またはティアダウンする。ピア局によってまたはＤＬＭＥによって、これがトリガされてもよい。このプロシージャは、ＤＬＭＥによって提供される指示によってバイアスがかけられてもよい。ダイレクトリンク再構成決定プロシージャが実行されて、ダイレクトリンク再構成が必要かどうかを評価する。ダイレクトリンク再構成プロシージャが実行されて、ダイレクトリンクに割り当てられた構成チャネル（チャネルセット）を変更する。それは、ダイレクトリンク再構成決定の結果である場合がある。ダイレクトリンクサイレント期間構成プロシージャが実行されて、ＴＶＷＳ帯域および他の帯域において測定を実行するためのサイレント期間をダイレクトリンク送信において構成する。ダイレクトリンクサービスブロードキャストプロシージャが実行されて、ＡＰによってサービス情報をブロードキャストする。ＤＳＭリンク保守プロシージャが実行されて、ダイレクトリンクから物理チャネルを取り出し、およびそれらの物理チャネルをＤＳＭリンクに再度割り当てる。ＤＳＭリンク障害プロシージャが実行されて、非ダイレクトリンクが障害となったときに、局が動作するのを可能にする。接続性マッピングプロシージャが実行されて、ノードのペアの間の接続性を判定する。これらのプロシージャの詳細は下で説明される。
【０２０２】
ＤＳＭアタッチプロシージャが使用されて、局の機能についてＤＳＭエンジンに通知することを可能にしてもよい。このプロシージャは、局がＡＰとアソシエーションするとき、または専用ＤＳＭメッセージにおけるアソシエーションに続いて、このプロシージャが実行されてもよい。以下の実施形態では、後者が仮定される。
【０２０３】
アタッチメントおよび接続性更新プロシージャが、図３３のプロシージャの一部として示される。したがって、ＤＳＭアタッチプロシージャは、図３３を参照して説明される。ＡＰとアソシエーションした後で（３３０２）、クライアントＡはクライアントアタッチメッセージをＤＬＭＥに送信する（３３０４）。クライアントアタッチメッセージは、クライアントＡの機能情報を示してもよく、および識別、物理的機能、位置情報、サービス情報、ＴＶＷＳ機能、既知の接続性情報などに関する情報を含んでもよい。この識別は、クライアントのＭＡＣアドレスと同一であってよく、または何らかのローカルＤＳＭアドレス識別であってもよい。これらの物理的機能は、サポートされる無線の数、サポートされる無線アクセス技術（ＲＡＴ）、これらが同時に動作可能であるかどうか、センシング機能などを含む。位置情報は、クライアントＡの全地球測位システム（ＧＰＳ）機能に基づいてもよい。サービス情報は、クライアントＡによって提供されるサービスのタイプ（印刷、ファイル記憶、ゲームホストなど）を含んでもよい。ＴＶＷＳ機能は、そのデバイスがモデルＩであるか、モデルＩＩであるか、またはセンシング専用デバイスであるかを示す。既知の接続性情報は、クライアントＡと直接的に通信することができるクライアントを示す。すべての受信フレームにおけるアドレスリストをモニタリングすることによって、接続性情報が維持されてもよい。一実施形態では、クライアントＡが処理に関するフレームを受信するたびに、クライアントＡは接続性マッピングを更新してもよく、これは下記で詳細に説明される。
【０２０４】
ＤＬＭＥは、情報をクライアントデータベースに記憶し、およびクライアントアタッチ確認メッセージ（図示せず）により応答してもよい。クライアントＡは新たなクライアントであるため、ＤＬＭＥは、すべての他の潜在的なクライアントとの完全な接続性マッピングを確立することを決定してもよい。クライアントＡに対し、すべての他のクライアントにブロードキャストメッセージを送信させ、すべての他のクライアントおよびＡＰに対し、ブロードキャストメッセージを測定させ、およびクライアントＡに対し、測定メッセージを送信させることによって（３３０８〜３３２０）、完全な接続性マッピングが取得されてもよい。
【０２０５】
ＤＬＭＥが完全な機能、サービスおよび接続性マッピングを構築すると、ＤＬＭＥは、サービスおよび接続性メッセージを送信し、およびクライアントＡの機能についてすべてのクライアントに通知することをＡＰに求めてもよい。あるいは、ＤＬＭＥは、サービスおよび接続性情報をＡＰに送信し、およびこの情報をＡＰにブロードキャストさせてもよい（例えば、正規のビーコン送信の一部として、またはブロードキャストマルチキャストユーザプレーントラフィックの一部として）。
【０２０６】
ＤＬＭＥは、ダイレクトリンクモニタリング構成プロシージャを実行して、ダイレクトリンクモニタリング構成アルゴリズムおよびダイレクトリンクモニタリング構成パラメータをセットアップしてもよい。ＤＳＭアタッチプロシージャの間に、またはＤＬＭＥとクライアント／局との間の明示的なシグナリングを使用して、これが実行されてもよい。ＤＬＭＥは、ダイレクトリンクを可能にするか否かを継続的に評価してもよい。複数の基準に基づいてこの評価が実行されてもよい。例えば、この評価は利用可能な物理チャネルに基づいてもよい。限定された利用可能なチャネルが存在する場合、ＤＬＭＥはダイレクトリンクを可能にしないことを決定してもよい。対照的に、多くの利用可能なチャネルが存在する場合、ＤＬＭＥはダイレクトリンク作成を促す。アタッチされたクライアントの機能に基づいて、この評価が実行されてもよい。ダイレクトリンク機能を有する少数のアタッチされたクライアントが存在する場合、ＤＬＭＥは、ダイレクトリンクを可能にしないことを決定してもよい。総システム負荷に基づいて、この評価が実行されてもよい。ＤＳＭリンク（ＡＰリンク）上の負荷が高い場合、ＤＬＭＥはダイレクトリンクの作成を支持してもよい。
【０２０７】
これらの基準に基づいて、ＤＬＭＥは、局がダイレクトリンクの活性化／非活性化をトリガするために使用することができるアルゴリズム、ならびにそれらのアルゴリズムに関するパラメータを確立してもよい。ＤＳＭアタッチ確認メッセージの一部として、または新たなＤＬＭＥメッセージの一部として、この情報が局にシグナリングされてもよい。クライアント局は、要求された構成に基づいて、それらのダイレクトリンクモニタリングプロシージャを構成する。これらの基準は、特定の宛先に対するキューサイズ、特定の宛先に対するスループットなどを含んでもよい。加えて、アルゴリズムは、そのトラフィックのアクセスクラス、そのトラフィックのサービス品質、またはトラフィックタイプ（例えば、リアルタイム対遅延耐性、音声対ビデオ対データなど）、上位層（例えば、アプリケーション層またはトランスポート層）からのインジケーションに依存してもよい。例えば、アプリケーションはそのアプリケーションがダイレクトリンクをセットアップすることを望むというインジケーションを提供してもよく、またはアプリケーションはそのアプリケーションが要求しているセッションのタイプ（例えば、サイズＸのファイルを転送するためのファイル転送プロトコル（ＦＴＰ）セッション）に関するインジケーションを提供してもよい。アルゴリズムはデバイスの近接性に依存してもよい（例えば、２つのデバイスが非常に近接しており、およびわずかな電力で通信することができる場合、これらのデバイスをダイレクトリンクにプッシュする利点が存在する場合がある）。
【０２０８】
ＳＴＡは、ダイレクトリンクモニタリングプロシージャを実行して、ダイレクトリンクが必要とされているかどうかを評価してもよい。これは、上記開示されたダイレクトリンクモニタリング構成プロシージャを通じてモニタリングするように構成されている局において実行される。ダイレクトリンクの活性化またはティアダウンを行うように構成された基準は異なってもよい。
【０２０９】
図３８Ａおよび３８Ｂは、例示的なダイレクトリンクモニタリングプロシージャを示す。ＳＴＡは、ダイレクトリンクがアクティブかどうかを判定する（３８０２）。ダイレクトリンクが既にアクティブである場合、ＳＴＡは、基準（Ｂ）がダイレクトリンクティアダウンをトリガするかどうかを判定する（３８０４）。そうである場合、ダイレクトリンクティアダウンがトリガされる（３８０６）。そうでない場合、ＳＴＡがダイレクトリンクをティアダウンするためのリクエストを受信するかどうかが判定される（３８０８）。受信しない場合、ダイレクトリンクが維持される。受信する場合、基準（Ｄ）がダイレクトリンクティアダウンをトリガするかどうかがさらに判定される（３８１０）。そうである場合、ダイレクトリンクティアダウンがトリガされる（３８０６）。そうでない場合、ダイレクトリンクが維持される。
【０２１０】
ダイレクトリンクがアクティブでないと判定された場合（３８０２）、ＳＴＡは、基準（Ａ）がダイレクトリンクセットアップをトリガするかどうかを判定する（３８１２）。そうである場合、ダイレクトリンクセットアップがトリガされる（３８１４）。そうでない場合、ＳＴＡがダイレクトリンクをセットアップするためのリクエストを受信するかどうかが判定される（３８１６）。そうでない場合、ダイレクトリンクはセットアップされない。「Ｙｅｓ」である場合、基準（Ｃ）がダイレクトリンクセットアップをトリガするかどうかがさらに判定される（３８１８）。そうである場合、ダイレクトリンクセットアップがトリガされる（３８１４）。そうでない場合、ダイレクトリンクがセットアップされない。
【０２１１】
ＳＴＡは、ダイレクトリンクのティアダウンおよびセットアップに関して、異なる基準、すなわち、基準（Ａ）から基準（Ｄ）を使用してもよい。このプロシージャの結果は、ダイレクトリンクの活性化または非活性化を進めるかどうかに関するインジケーションである。基準がそのアクションをトリガすると、ＳＴＡはダイレクトリンクをセットアップし、またはティアダウンするかを決定してもよい。ＳＴＡは、別の局からもしくはＤＳＭエンジンからセットアップ（または、ティアダウン）に関するリクエストを受信してもよく、その場合、ＳＴＡは、異なる基準を使用して、ダイレクトリンクをセットアップするかまたはティアダウンするかを判定してもよい。
【０２１２】
図３９Ａ乃至３９Ｃは、一実施形態に準じたダイレクトリンクのセットアップまたはダイレクトリンク活性化に関するプロシージャの例示的なフローチャートである。図３９Ａ乃至３９Ｃで、ＳＴＡ１は、ＳＴＡ２に対するダイレクトリンクを開始する。このプロシージャが使用されて、ダイレクトリンクを活性化またはセットアップしてもよい。ダイレクトリンクモニタリング構成プロシージャを介して構成されたアルゴリズムおよびパラメータに基づいて、局によってこれがトリガされてもよい。ＤＬＭＥは、ダイレクトリンク用のチャネルを見出すように局を構成してもよい。利用可能なチャネルが存在しない場合、ダイレクトリンクはＤＳＭリンク用に使用されるチャネル上で活性化されてもよい。この場合、ＤＳＭリンクおよびダイレクトリンク時間はこれらのチャネルを共有する。
【０２１３】
ＳＴＡ１およびＳＴＡ２は、ＤＳＭリンク上で通信し、およびダイレクトリンクモニタリングプロシージャを実行する（３９０２、３９０４）。ＳＴＡ１が、ダイレクトリンクが必要とされると判定した場合（３９０６）、ＳＴＡ１はダイレクトリンクセットアップリクエストをＡＰに送信し、およびＡＰはそのリクエストをＳＴＡ２に転送する（３９０８、３９１０）。ダイレクトリンクセットアップリクエストメッセージは、ダイレクトリンクの帯域幅要件（例えば、チャネルの数またはビットレートの点で）、および局がダイレクトリンクを通じて要求しているサービスのタイプなどに関するインジケーションを含んでもよい。
【０２１４】
ＳＴＡ２は、ダイレクトリンクモニタリングプロシージャを実行して、これらの基準を評価する（３９１２）。ＳＴＡ２が、ダイレクトリンクが必要とされないと判定した場合（３９１４）、ＳＴＡ２はダイレクトリンクセットアップを拒否して、障害メッセージをＡＰおよびＳＴＡ１に送信する（３９１６、３９１８）。ＳＴＡ２が、ダイレクトリンクが必要とされると判定した場合（３９１４）、ＳＴＡ２はＡＰに対するセットアップを確認し（３９２０）、およびダイレクトリンクセットアップメッセージをＤＬＭＥに送信する（３９２２）。
【０２１５】
ＤＬＭＥは現在の動作帯域（すなわち、ＤＳＭリンクの帯域）におけるＳＴＡ１とＳＴＡ２との間の接続性をチェックする（３９２４）。接続性が可能でないと判定された場合（３９２６）、ＤＬＭＥは障害メッセージをＡＰに送信し、ならびにＡＰはその障害メッセージをＳＴＡ１およびＳＴＡ２に転送する（３９２８、３９３０）。接続性が可能であると判定された場合（３９２６）、ＤＬＭＥは、ダイレクトリンク要件のセットと共に、リクエストをＢＡＣに送信する（３９３２）。
【０２１６】
ＢＡＣはその要件を満たすためのチャネルを探索する（３９３４）。利用可能なチャネルが存在しないことが判定された場合（３９３６）、ＢＡＣは障害メッセージをＤＬＭＥに送信する（３９３８）。ＤＬＭＥは、ＤＳＭリンクを共有することが容認可能であるかどうかを評価する（３９４０）。ＤＬＭＥがダイレクトリンクとＤＳＭリンクを共有しないと判定する場合（３９４２）、ＤＬＭＥは障害メッセージをＡＰおよび局に送信する（３９４４、３９４６）。ＤＬＭＥがダイレクトリンクとＤＳＭリンクを共有すると判定する場合（３９４２）、ＤＬＭＥは、ＤＳＭリンクに関して使用された同一のチャネルセットにより構成メッセージをＡＰに送信する（３９４８）。ＡＰは、次いで、構成メッセージをＳＴＡ１およびＳＴＡ２に転送し（３９５０）、ならびにＳＴＡ１およびＳＴＡ２はＤＳＭリンクチャネルセット上でダイレクトリンクを使用して通信する（３９５２）。
【０２１７】
利用可能なチャネルが存在すると判定された場合（３９３６）、そのチャネルはＤＳＭチャネルセットと同一の帯域上にあるかどうかがさらに判定される（３９５４）。「Ｎｏ」である場合、ＤＬＭＥは接続性マッピングを使用して、割り当てられたチャネル上で接続性検出を実行する（３９５６）。接続性が可能でない場合（３９５８）、プロセスはステップ３９４０に進む。接続性が可能である場合（３９５８）、またはそれらのチャネルがＤＳＭチャネルセットと同一の帯域上にある場合（３９５４）、ＢＡＣはダイレクトリンクチャネルセット情報をＤＬＭＥに送信する（３９６０）。ＤＬＭＥは、チャネルセットＡと共に構成情報をＡＰに送信する（３９６２）。次いで、ＡＰは、構成メッセージをＳＴＡ１およびＳＴＡ２に転送し（３９６４）、ならびにＳＴＡ１およびＳＴＡ２は、チャネルセットＡ上でそのダイレクトリンクを使用して通信する（３９６６）。
【０２１８】
別の実施形態では、ＤＳＭエンジンは、ピアクライアント（この例では、局２）の状態をチェックするのに先行して、ダイレクトリンクを構成してもよい。この実施形態では、ＡＰおよびＤＬＭＥがダイレクトリンクパラメータを構成した後で、ＡＰはダイレクトリンクセットアップリクエストをＳＴＡ２に転送する。そうでない場合、障害メッセージが開始局に送信される。
【０２１９】
図４０Ａ乃至４０Ｄは、別の実施形態に準じたダイレクトリンクセットアップまたはダイレクトリンク活性化プロシージャの例示的なフローチャートである。図４０Ａ乃至４０Ｄでは、ＳＴＡ１はＳＴＡ２に対するダイレクトリンクを開始する。ＳＴＡ１およびＳＴＡ２は、ＤＳＭリンク上で通信し、ならびにダイレクトリンクモニタリングプロシージャを実行する（４００２、４００４）。ＳＴＡ１が、ダイレクトリンクが必要であると判定する場合（４００６）、ＳＴＡ１はダイレクトリンクセットアップリクエストをＡＰに送信する（４００８）。
【０２２０】
ＡＰはダイレクトリンクセットアップメッセージをＤＬＭＥに送信する（４０１０）。ＤＬＭＥは、現在動作している帯域（すなわち、ＤＳＭリンクの帯域）においてＳＴＡ１とＳＴＡ２との間の接続性をチェックする（４０１２）。接続性が可能でないことが判定された場合（４０１４）、ＤＬＭＥは障害メッセージをＡＰに送信し、ならびにＡＰはその障害メッセージをＳＴＡ１およびＳＴＡ２に転送する（４０１６、４０１８）。接続性が可能であることが判定された場合（４０１４）、ＤＬＭＥはダイレクトリンク要件のセットと共にリクエストをＢＡＣに送信する（４０２０）。
【０２２１】
ＢＡＣはそれらの要件を満たすためのチャネルを探索する（４０２２）。利用可能なチャネルが存在しないと判定された場合（４０２４）、ＢＡＣは障害メッセージをＤＬＭＥに送信する（４０２６）。ＤＬＭＥはＤＳＭリンクを共有することが容認可能であるかどうかを評価する（４０２８）。ＤＬＭＥが、ＤＳＭリンクをダイレクトリンクと共有しないことを判定した場合（４０３０）、ＤＬＭＥは障害メッセージをＡＰに送信し、ならびにＡＰはその障害メッセージを局に転送する（４０３２、４０３４）。ＤＬＭＥがＤＳＭリンクをダイレクトリンクと共有することを判定した場合（４０３０）、ＤＬＭＥは、ＤＳＭリンクに関して使用された同一のチャネルセットにより構成メッセージをＡＰに送信する（４０３６）。次いで、ＡＰは構成メッセージをＳＴＡ２に転送する（４０３８）。
【０２２２】
ＳＴＡ２はダイレクトリンクモニタリングプロシージャを実行して、ＳＴＡ２がダイレクトリンクをセットアップすることを望むかどうかを判定する（４０４０）。ＳＴＡ２が、ダイレクトリンクが必要とされないと判定した場合（４０４２）、ＳＴＡ２はダイレクトリンクセットアップを拒否し、ならびに障害メッセージをＡＰに送信する（４０４４）。ＡＰは、障害メッセージをＳＴＡ１に転送し、ならびにそのダイレクトリンクが拒否されていることをＤＬＭＥに通知する（４０４６）。ＤＬＭＥは、次いで、チャネルセット情報を更新し、ならびに解放されたチャネルをＢＡＣに戻す（４０４８）。ＳＴＡ２が、ダイレクトリンクが必要とされると判定した場合（４０４２）、ＳＴＡ２は、そのセットアップを確認し、ならびに成功インジケーションをＡＰに送信する（４０５０）。次いで、ＡＰはその成功メッセージをＳＴＡ１に転送する（４０５２）。ＳＴＡ１およびＳＴＡ２は、割り当てられたチャネルセット上でそのダイレクトリンクを使用して通信する（４０５４）。
【０２２３】
利用可能なチャネルが存在すると判定された場合（４０２４）、そのチャネルがＤＳＭチャネルセットと同一の帯域上にあるかどうかがさらに判定される（４０５６）。「Ｎｏ」である場合、ＤＬＭＥは、接続性マッピングを使用して、割り当てられたチャネル上で接続性検出を実行する（４０５８）。接続性が可能でない場合（４０６０）、プロセスはステップ４０２８に進む。接続性が可能である場合（４０６０）、またはチャネルがＤＳＭチャネルセットと同一の帯域上にある場合（４０５６）、ＢＡＣはダイレクトリンクチャネルセット情報をＤＬＭＥに送信する（４０６２）。ＤＬＭＥは、チャネルセットＡにより構成情報をＡＰに送信する（４０６４）。次いで、ＡＰは、構成メッセージをＳＴＡ２に転送し（４０６６）、およびプロセスはステップ４０４０に進む。
【０２２４】
上記の両方の実施形態では、ダイレクトリンクセットアップメッセージを受信すると、局はそのダイレクトリンクメッセージを認識することができる。あるいは、局は肯定応答メッセージを送信しなくてもよく、およびＤＬＭＥは割り当てられたダイレクトリンクチャネル上のアクティビティをモニタリングして、それらのチャネルが使用されているかどうかを確認してもよい。何のアクティビティも観測されない場合、そのチャネルはＤＳＭリンクまたは他のダイレクトリンクに対する考えられる今後の割当てのためにＢＡＣに戻ってもよい。
【０２２５】
２つのピア局の間の接続性は、接続性マッピングに基づいてＤＬＭＥによって判定されてもよい。あるいは、それらのピア局は、接続性を評価し、およびその接続性が成功した場合、ダイレクトリンクセットアップを開始してもよい。例えば、開始局（例えば、局１）は、その局がフレーム（他の局に宛てられたフレームですら）を受信するたびに、接続性テーブルを定期的に更新してもよい。ピア局（例えば、局２）がこのリスト上にない場合、局１はダミーパケットを（ＡＰ上で）局２に送信し、および局２からの、結果として生じるＡＣＫフレームをリスンする。局１がこのフレームを偶然にリスンした（overhear）場合、局１はその接続性テーブルを更新し、およびダイレクトリンクセットアップを開始してもよい。そうでない場合、局１はダイレクトリンクセットアップを試みることができない。
【０２２６】
図４１に示されるように、発信局と、ＤＳＭエンジンと、宛先ＳＴＡとの間で４つのメッセージを交換することに続いて、ダイレクトリンクセットアッププロシージャが発信局によって開始されてもよい。
【０２２７】
図４１は、ダイレクトリンクセットアップに関する例示的なメッセージ交換を示す。メッセージ４１０２はダイレクトリンクセットアップリクエストメッセージである。ＤＳＭエンジンがＳＴＡ１からリクエストを受信するとき、ＤＳＭエンジンはダイレクトリンク用の新たなチャネルを探索する。チャネルの可用性および使用されているチャネル選択アルゴリズムに応じて、ＢＡＣはそのダイレクトリンク用のチャネルおよびチャネルＩＤ（グループＩＤ）を割り当てる。チャネルＩＤはチャネル（例えば、ＤＳＭリンクチャネル、ダイレクトリンクチャネルなど）のセットに割り当てられる。ＤＳＭリンクチャネルは、割り当てられたチャネルＩＤ０であってもよい。チャネル情報および割り当てられたチャネルＩＤはメッセージ４１０４においてＳＴＡ２に送信される。メッセージ４１０６は、ＳＴＡ２によってＤＳＭエンジンに送信されたダイレクトリンクセットアップレスポンスである。このレスポンスは、次いで、ＤＳＭエンジンによってメッセージ４１０８を介してチャネル情報およびチャネルＩＤと共にＳＴＡ１に転送される。
【０２２８】
図４２は、ダイレクトリンクセットアップに関するダイレクトリンク局とＤＳＭエンジンとの間の例示的なシグナリングフローを示す。ＡＰがＳＴＡ１からダイレクトリンクセットアップリクエストを受信するとき（４２０２）、ＡＰはＢＡリクエストをＤＬＭＥ／ＢＡＣに送信する（４２０４）。このリクエストを受信すると、ＢＡＣは、新たなチャネルを探索し、チャネルＩＤを割り当て（４２０６、４２０８）、およびＢＡ再構成メッセージを介して、この情報をＡＰに返信する（４２１０）。次いで、ＡＰは、そのリクエストをＳＴＡ２（宛先局）に転送する（４２１２）。ＳＴＡ２は、ダイレクトリンクセットアップレスポンスをＡＰに送信し（４２１４）、およびＡＰは、チャネルＩＤおよびチャネル情報を含むそのダイレクトリンクセットアップレスポンスをＳＴＡ１に転送する（４２１６）。
【０２２９】
ダイレクトリンクを非活性化またはティアダウンするために、ダイレクトリンク非活性化が使用される。それらの局によって提供された測定結果、またはそれぞれのダイレクトリンクもしくはいくつかの他の基準に関してモニタリングされたトラフィックアクティビティに応じて、ピア局によってまたはＤＬＭＥによってこれがトリガされてもよい。
【０２３０】
ＤＬＭＥはダイレクトリンクが必要であるかどうかを継続的にモニタリングする。ＤＬＭＥがダイレクトリンクをティアダウンすることを決定する場合、ＤＬＭＥはダイレクトリンクティアダウンメッセージをＡＰに送信する。次いで、ＡＰは、このメッセージをそれぞれのピア局に転送する。この局は、次いで、ダイレクトリンクを非活性化し、および確認メッセージをＡＰに返信する。次いで、ＡＰは、この確認メッセージをＤＬＭＥに渡す。ＡＰからこの確認を受信すると、ＤＬＭＥはチャネルセット情報を更新し、および解放されたチャネルをＢＡＣに戻す。
【０２３１】
図４３は、ダイレクトリンク再構成決定を行うプロセスの例示的なフローチャートを示す。ＤＬＭＥは、ダイレクトリンク再構成が必要とされるかどうかを評価する。ＢＡＣによってＤＬＭＥに提供されたチャネルが割り振り解除される必要があるとき、ダイレクトリンク再構成プロシージャが起動されてもよい。ＤＬＭＥは、影響を受けたチャネルセットを判定し、およびそのチャネルセット上で送信している局にダイレクトリンクサティスファクトリ（satisfactory）クエリメッセージを送信する（４３０２）。
【０２３２】
局がこのメッセージを受信するとき、その局は、低減されたチャネルがＱｏＳ要件を満たすことができるかどうかを評価し（例えば、必要とされるスループットが利用可能なスループットを超えるかどうかをチェックすることによって）、およびダイレクトリンクサティスファクトリクエリレスポンスをＤＬＭＥに送信する（４３０４）。ＤＬＭＥはそれぞれのチャネルセットに関してそれらのレスポンスを評価する（４３０６）。ＤＬＭＥは、次いで、ＤＬＭＥが受信するレスポンスに基づいて、適切な措置をとることができる。
【０２３３】
ＤＬＭＥは、すべての関連する局がチャネルセット低減を容認することを望んでいるかどうかを判定する（４３０８）。「Ｎｏ」である場合、ＤＬＭＥは、チャネルセットを使用して、すべてのダイレクトリンクに対してダイレクトリンク再構成を実行してもよい（４３１０）。「Ｙｅｓ」である場合、ＤＬＭＥは、割り振り解除されているチャネルがチャネルセットにおける一次チャネルであるかどうかをさらに判定する（４３１２）。そうでない場合、ＤＬＭＥはダイレクトリンク再構成を実行しなくてもよい（４３１４）。そうである場合、ＤＬＭＥは、ダイレクトリンク再構成を実行してもよく（４３１６）、これは下記でより詳細に説明される。
【０２３４】
図４４は、ダイレクトリンクチャネルセット再構成に関する例示的なプロセスのフローチャートである。ダイレクトリンク再構成プロシージャが実行されて、ダイレクトリンクに割り当てられた構成チャネル（チャネルセット）を変更する。
【０２３５】
局はダイレクトリンク（チャネルセットＡ）上で通信する（４４０２）。オペレーションの間、ＢＡＣ／センシングツールボックスはすべてのダイレクトリンクおよびＤＳＭリンクチャネルセットを（継続的に）評価する（４４０４）。これは、それらの局によって提供される測定レポートに基づいてもよい。ＢＡＣ／センシングツールボックスがダイレクトリンクチャネルに関する問題を検出するとき（４４０６）、ＢＡＣ／センシングツールボックスは上記で開示された再構成決定プロシージャを実行することをＤＬＭＥに求める（４４０８）。ＤＬＭＥはダイレクトリンク再構成が必要であるかどうかを評価する（４４１０）。その決定がチャネルセットを再構成するとした場合、ＤＬＭＥは交換チャネルを提供するためのリクエストをＢＡＣに送信する（４４１２）。ＢＡＣが利用可能なチャネルを有する場合（４４１４）、ＢＡＣは新たなチャネルについてＤＬＭＥに通知する（４４１６）。次いで、ＤＬＭＥは、ダイレクトリンクチャネルセットからのチャネルを交換し、および局のダイレクトリンクを再構成するための再構成コマンドを局に送信する（４４１８）。この局は再構成コマンドに基づいて振舞い、および再構成されたチャネルセット上で動作する（４４２２、４４２４）。
【０２３６】
他方で、ＢＡＣに利用可能なチャネルが存在しない場合（４４１４）またはＤＬＭＥがチャネルセットＡを再構成しないことを決定した場合（４４１０）、ＤＬＭＥはダイレクトリンクチャネルセットからそのチャネルを除去し、解放されたチャネルをＢＡＣに戻し、およびその除去について局に通知するための再構成コマンドを送信する（４４２４）。局は、再構成コマンドに基づいて振舞ってもよく、次いで、低減されたチャネルセット上で動作してもよい（４４２６、４４２８）。
【０２３７】
あるいは、局は、例えば、キューサイズ、スループット、バックオフ時間、フレーム誤り率など、チャネル関連のパラメータに基づいて、ダイレクトリンクチャネルに関する問題を検出してもよい。局は、再構成が必要とされるかどうかを評価する。再構成が必要とされる場合、局は、ダイレクトリンクチャネルを再構成することをＤＬＭＥに求めてもよい。
【０２３８】
図４５Ａおよび４５Ｂは、ＳＴＡによって開始されたダイレクトリンクチャネルセット再構成に関する例示的なプロセスのフローチャートである。局はダイレクトリンク（チャネルセットＡ）上で通信する（４５０２）。オペレーションの間、局は、ダイレクトリンクチャネルセットおよびＤＳＭリンクチャネルセットを（継続的に）評価する（４５０４）。これは、キューサイズ、スループット、バックオフ時間、フレーム誤り率など、任意のチャネル関連のパラメータに基づいてもよい。局がダイレクトリンクチャネルに関する問題を検出するとき（４５０６）、局は、再構成が必要であるかどうか（例えば、低減されたチャネルセットがＱｏＳを満たすことができるかどうか）を評価する（４５０８）。
【０２３９】
局が、再構成が必要であると判定した場合（４５１０）、局はダイレクトリンクチャネルを再構成することをＤＬＭＥに求める（４５１１）。ＤＬＭＥは交換チャネルを提供するためのリクエストをＢＡＣに送信する（４５１２）。ＢＡＣが利用可能なチャネルを有する場合（４５１４）、ＢＡＣは新たなチャネルついて通知する（４５１６）。次いで、ＤＬＭＥはダイレクトリンクチャネルセットからのチャネルを交換し、および局のダイレクトリンクを再構成するための再構成コマンドを局に送信する（４５１８）。局は、その再構成コマンドに基づいて振舞い、および再構成されたチャネルセット（チャネルセットＣ）上で動作する（４５２０、４５２２）。
【０２４０】
ＢＡＣにおいて利用可能なチャネルが存在しない場合（４５１４）、ＤＬＭＥは、ダイレクトリンクチャネルセットからそのチャネルを除去し、解放されたチャネルをＢＡＣに戻し、およびその除去について局に通知するための再構成コマンドを送信してもよい（４５２４）。局は、再構成コマンドに基づいて振舞ってもよく、次いで、低減されたチャネルセット（チャネルセットＢ）上で動作してもよい（４５２６、４５２８）。
【０２４１】
局が、再構成は必要でないと判定した場合（４５１０）、局はチャネルセットＡからそのチャネルを除去することをＤＬＭＥに求めることができる（４５３０）。ＤＬＭＥは、ダイレクトリンクチャネルセットからそのチャネルを除去し、解放されたチャネルをＢＡＣに戻し、およびその除去についてそれらの局に通知するための再構成コマンドを送信してもよい（４５３２）。局は、再構成コマンドに基づいて振舞ってもよく、次いで、低減されたチャネルセット（チャネルセットＤ）上で動作してもよい（４５３４、４５３６）。
【０２４２】
ダイレクトリンクチャネルセットを再構成するためのチャネル切替えメッセージが送信されてもよい。ビーコンにおける情報要素として、または別個のアクションフレームとして、チャネル切替えメッセージが送信されてもよい。ダイレクトリンク局がビーコンをリスンするとき、ダイレクトリンク局はチャネル切替えアナウンスを受信してもよい。チャネル切替えメッセージが別個のアクションフレームとして局に送信されてもよい。ダイレクトリンク局が異なるチャネル上で動作している場合、別個のアクションフレームがＴＩＭまたはＤＴＩＭにおいてアナウンスされてもよい。
【０２４３】
図４６は、例示的なチャネル切替えメッセージを示す。フィールド「チャネルＩＤ」は、このメッセージが向けられているチャネルのセットを示す。ＤＳＭリンクチャネルは、チャネルＩＤゼロを有してもよい。ダイレクトリンクチャネルのそれぞれのセットは、それらの一意のチャネルＩＤを有してもよい。チャネル切替えメッセージがダイレクトリンク局のチャネルＩＤを示す場合、ダイレクトリンク局は、それに応じて、それらのチャネルを変更する。
【０２４４】
サイレント期間が構成されて（例えば、周期的に）、ＤＳＭエンジンが（ダイレクトリンクおよびＤＳＭリンクの両方に対して）割り振られたチャネルに関して測定することを可能にしてもよい。サイレント期間情報を伝送するビーコンメッセージを介してサイレント期間がＤＳＭクライアントに示されてもよい。８０２．１１ビーコンは、その間に、現在のチャネルにおいて何の送信も発生すべきではない時間間隔を定義する「クワイアット（quiet）要素」フィールドを包含する。ダイレクトリンク局がクワイアット要素を包含するビーコンを受信するとき、局は、そのクワイアット要素に存在する情報に準じて、それらのサイレント期間を構成する。
【０２４５】
ダイレクトリンクおよびＤＳＭリンクが同一のチャネルセット上に共存する場合、サイレント期間構成はそれらのダイレクトリンク局に関して同一であってもよい。局は、ビーコンからそれぞれのＤＳＭチャネルに関する構成パラメータ（例えば、存続期間、オフセットなど）を受信してもよい。ダイレクトリンク局は、アクティブなサイレント期間が存在するチャネル上でそれらのトラフィックを一時停止してもよい。これは、サイレント期間はすべてのチャネル上で同時に発生できないためである。
【０２４６】
ダイレクトリンクおよびＤＳＭリンクが異なるチャネルを使用する場合、図４７に示されるように、新たなタイプの「クワイアット要素」がビーコンに含まれてもよい。図４７は、例示的なアグリゲートされたクワイアット要素を示す。これは、すべてのチャネルに関する情報を１つのクワイアット要素フレームに包含させるアグリゲートされたクワイアット要素である。これはこのクワイアット要素が、チャネルのどのセットに対応するかを示す「チャネルＩＤ」フィールドを含む。例えば、チャネルＩＤ１を有するダイレクトリンクチャネルの１つのセットが存在する場合、ビーコンは、ＤＳＭリンクチャネル（例えば、チャネルＩＤ０）用に１つ、およびダイレクトリンクチャネル（例えば、チャネルＩＤ１）用に１つの、２つのアグリゲートされたクワイアット要素をブロードキャストする。アグリゲートされたチャネルの異なるセット上に複数のダイレクトリンクが存在する場合、チャネルのそれぞれのセットに関して、アグリゲートされたクワイアット要素が含まれてもよい。
【０２４７】
図４８Ａおよび４８Ｂは、ＤＳＭリンクメンテナンスに関する例示的なプロセスのフローチャートである。局はダイレクトリンク（チャネルセットＡ）上で通信する（４８０２）。オペレーションの間、ＢＡＣ／センシングツールボックスはすべてのダイレクトリンクチャネルセットおよびＤＳＭリンクチャネルセットを（継続的に）評価する（４８０４）。これは、局によって提供される測定レポートに基づいてもよい。あるいは、または加えて、局は、ダイレクトリンクチャネルセットＡおよびＤＳＭチャネルセットを評価してもよい（４８０６）。これは、キューサイズ、スループット、バックオフ時間、フレーム誤り率など、任意のチャネルに関係するパラメータに基づいてもよい。
【０２４８】
ＢＡＣ／センシングツールボックスまたは局が、ＤＳＭリンク上のチャネルに関する問題を検出するとき（４８０８）、ＢＡＣは影響を受けたＤＳＭチャネルを交換することを試みてもよい。ＢＡＣは、システムチャネルが限定されているかどうか（すなわち、任意の自由なチャネルが利用可能であるかどうか）を判定する（４８１０）。システムチャネルが限定されていない場合、ＢＡＣは、代替チャネルを見出して、ＤＳＭチャネルを再構成してもよい（４８２２）。
【０２４９】
システムチャネルが限定されている場合、ＢＡＣは（いくつかのチャネルがダイレクトリンクに割り当てられていると仮定して）ダイレクトリンクチャネルセットにおける１つまたは複数のチャネルを戻すことをＤＬＭＥに要求することができる（４８１２）。次いで、ＤＬＭＥはどのダイレクトリンクが再構成またはティアダウンされてもよいかを評価してもよい（４８１４）。これは、（例えば、スループット、キューサイズなど）局によって提供される測定レポートに基づいてもよく、またはそれ自体のＤＬモニタリングに基づいてもよい。ＤＬＭＥは、それぞれのダイレクトリンクに関するトラフィックアクティビティをモニタリングしてもよい。ＤＬＭＥはダイレクトリンクティアダウンまたはダイレクトリンク再構成が必要とされるかどうかを判定する（４８１６）。ＤＬＭＥの決定に応じて、ダイレクトリンクティアダウンまたはダイレクトリンク再構成のいずれかが実行されてもよい（４８１８、４８２０）。次いで、ＢＡＣは、代替チャネルを見出し、およびＤＳＭリンクを再構成する（４８２２）。
【０２５０】
図４９Ａ乃至４９Ｃは、ＤＳＭリンク障害に関する例示的なプロセスのフローチャートである。局はダイレクトリンク（チャネルセットＡ）上で通信する（４９０２）。局はダイレクトリンクモニタリングプロシージャ（例えば、同期チャネルのモニタリング）を実行する（４９０４）。ダイレクトリンクモニタリングの間に、ダイレクトリンク障害モニタリングも実行される。局は、モニタリングを行って、ダイレクトリンク局のうちのいずれか１つがＤＳＭエンジンに対する接続性を失ったことを見出す（４９０６）。局１が接続性を失ったことが判定された場合、局１は、そのＤＳＭリンクのための中継器として動作することを他のピア局（局２）に要求してもよい（４９０８）。あるいは、局１は、部分的なＤＳＭリンク接続性によりダイレクトリンクを動作させ続けてもよい。局２は、次いで、局１がそのＤＳＭリンクを失ったことをＤＬＭＥに通知してもよく、および「キープアライブ」メッセージをＤＬＭＥに送信する（４９１０）。ＤＬＭＥは、中継器として局２を介して局１にすべてのトラフィックを送信することをＡＰに通知してもよく、およびＤＬＭＥはまた、「キープアライブ」メッセージをモニタリングする（４９１２）。局２は、局１とＡＰとの間の中継器として振舞い、およびＡＰから受信された（ビーコンを含む）すべてのブロードキャストトラフィックを局１に転送してもよい（４９１４）。局１が転送されたビーコンを受信することを確実にするために、局１は、そのＴＢＴＴのサイズを増大させるか、または予測されるＴＢＴＴ前後の観測ウインドウを増大させてもよい（４９１６）。局２がビーコンを局１に転送するとき、局２はビーコンにおけるのタイムスタンプを更新してもよく、およびビーコンによって示唆された任意の振舞いを実行する前に、そのビーコンを可能な限り早急に送信することを試みてもよい（例えば、チャネル交換、サイレント化など）（４９１８）。
【０２５１】
この期間の間、局は部分的なＤＳＭ接続性によりダイレクトリンク上で通信する（４９２０）。局１はＤＳＭエンジンに再接続することを試み、および局はＤＳＭチャネルセットを評価する（４９２２）。局１がＤＳＭリンクを再獲得した場合（４９２４）、局１はＤＳＭトラフィックの中継を終了することを局２に要求する（４９２６）。局１または局２は、局１がそのＤＳＭリンクを再獲得したことをＤＬＭＥに通知し、および局２は「キープアライブ」メッセージをＤＬＭＥに送信するのを停止する（４９２８）。ＤＬＭＥは中継がもはや必要とされないことをＡＰに通知し、およびキープアライブメッセージをモニタリングするのを停止する（４９３０）。局２は、ブロードキャストメッセージを局１に転送するのを停止する（４９３２）。
【０２５２】
局１はＤＳＭリンクを獲得していない（４９２４）が、局２もそのＤＳＭリンクを失った（４９３４）と判定された場合、局２は、ダイレクトリンクがティアダウンされるべきかどうかを判定するためのタイマをスタートし、同様にタイマをスタートさせるように局１に通知してもよい（４９３６）。あるいは、両方の局はＤＳＭ接続性なしにダイレクトリンクを動作させてもよい。
【０２５３】
この期間の間、局はＤＳＭ接続性なしにダイレクトリンク上で通信する（４９３８）。局１および局２は両方とも、タイマが満了する前に、ＤＳＭエンジンへの再接続を試み、および局はＤＳＭチャネルセットを評価する（４９４０）。ＤＬＭＥは、「キープアライブ」メッセージを継続的にモニタリングする（４９４２）。
【０２５４】
局１または局２がＤＳＭリンクを獲得したどうかが判定される（４９４４）。局１または局２のうちのいずれか１つがＤＳＭリンクを獲得した場合、局はタイマを停止してもよく、およびタイマを停止するように他の局に通知してもよい（４９５２）。プロセスは、これらの局が、部分的なＤＳＭ接続性を有するモードに戻るようにステップ４９２０に進み、および両方の局がＤＳＭエンジンに再接続するまで、プロシージャは継続する。
【０２５５】
どの局もＤＳＭリンクを再獲得しておらず、およびタイマが満了していない場合（４９４８）、プロセスはステップ４９３８に戻る。どの局もＤＳＭリンクを再獲得しておらず、ならびにタイマが満了している場合（４９４８）、局１および局２はダイレクトリンクティアダウンプロシージャを実行する（４９５０）。ＤＬＭＥは、ダイレクトリンクチャネルセットからそのチャネルを除去してもよく、および解放されたチャネルをＢＡＣに戻してもよい（４９５２）。このとき、これらの局は直接的に通信することができず、およびスキャニングモードまたは検出モードに戻ってもよい（４９５４）。
【０２５６】
ダイレクトリンククライアントの両方がＤＳＭエンジンに対する接続を失うとき（すなわち、ＤＳＭリンクがダウンしたとき）、クライアントはＤＳＭエンジンへの再接続／再アソシエーションを可能な限り早急に試みてもよい。高速再アソシエーションの場合、クライアントはダイレクトリンクを活用して、戦略的なチャネルスキャニングプロシージャをネゴシエーションしてもよい。クライアントが複数の無線を有する場合、１つまたは複数の無線は、新たなネットワーク同期チャネル用のスキャニング専用であってもよい。しかし、クライアントが単一の無線を有する場合、スキャンするための同期チャネルのセットがダイレクトリンクピア局間で分割されてもよく、およびそれぞれの局は部分的な操作チャネルリスト上でスキャンを実行してもよい。スキャニングは部分的な時間、または進行中のダイレクトリンクトラフィックに割り振られた時間の比率にわたって実行されてもよい。
【０２５７】
図５０は、あるスキャニングの例を示す。この例では、Ｃｈ１、Ｃｈ２、Ｃｈ３およびＣｈ４がスキャンされるべきチャネルであると仮定する。所定数のデータフレームの後で、局は、図５０に示されるように、Ｃｈ１をスキャンし、次いで、Ｃｈ２をスキャンし、以下同様であり、局がネットワークチャネルを見出すまで繰り返す。
【０２５８】
クライアントは、スキャニングの前に、データフレームに対するスキャニングフレームの比率を決定およびネゴシエーションしてもよい。この比率は、現在のデータ転送速度およびターゲットＱｏＳを考慮することによって判定されてもよい。例えば、８０２．１１  ＩＢＳＳの場合、ＩＢＳＳにおけるクライアントはＭ個のビーコン間隔の間、データを送信してもよく、次いで、スキャニングのために２つのビーコン間隔が使用されてもよい。Ｍの値は、ダイレクトリンクのサービス品質に依存してもよい。高いデータ転送速度リンク（例えば、ＨＤビデオストリーミング）の場合、この値は、進行中のデータトラフィックを変更しないように高くてよく、および低い速度のリンクの場合、この値は低くてもよい。Ｍの値は可変であってよく、データトラフィック変化に関して自ら適応してもよい。この値は、ＱｏＳを維持するためのダイレクトリンク上のデータ送信のタイプに応じて、増大してよく、または減少してもよい。
【０２５９】
あるいは、ダイレクトリンクにおける１つのクライアントが２つのダイレクトリンク方向の非同期送信においてスキャニングを実行してもよい。例えば、セットトップボックス（ＳＴＢ）とＴＶとの間のダイレクトリンクにおいては、ＴＶの受信機は、データを受信するのにビジーである場合があり、ＳＴＢの送信機はＨＤビデオトラフィックを送信するのにビジーである場合がある。この場合、ＳＴＢはすべてのチャネルに関してスキャンしてもよく（その受信機はほとんど常にアイドルであるため）、およびＴＶはスキャニングのためにいずれのフレームも割り振らなくてもよい。この代替形態は、クライアントの無線受信機が無線送信機とは異なるチャネルに切り替える機能を有することを仮定する。
【０２６０】
ダイレクトリンク局のうちの１つが同期チャネルを見出すとすぐに、局はそのダイレクトリンクを活用してもよく、および見出されたチャネル情報をピア局に送信してもよい。他方の局は、次いで、チャネルスキャンを停止し、および他方のダイレクトリンク局から受信されたチャネル情報を使用して、ＤＳＭエンジンに再アソシエーションしてもよい。
【０２６１】
ＤＬＭＥは、ＢＡＣおよびＡＰに対するインターフェースを有する。図５１は、ＤＬＭＥ５１１２、ならびにＡＰ５１２０およびＢＡＣ５１１４に対するインターフェースを含むＤＳＭエンジン５１１０の例示的な構造を示す。ＡＰ５１２０は、ダイレクトリンクオペレーションに関するチャネルおよび他のパラメータを取得するためにＤＬＭＥ５１１２とやりとりする。ＢＡＣ５１１４によるチャネルの割当ては、ＤＬＭＥ５１１２を介してＡＰ５１２０に送信される。
【０２６２】
ダイレクトリンクに現在割り振られているチャネルが（例えば、局によってレポートされた）不良なチャネル条件を有する場合、ＤＬＭＥ５１１２は、そのダイレクトリンクに関する交換チャネルを見出すことをＢＡＣ５１１４に求めてもよい。ＤＬＭＥ５１１２は、次いで、ピア局に転送するために、ダイレクトリンクチャネル再割当てをＡＰ５１２０に送信してもよい。そのネットワークに現在割り振られているチャネルがセンシングツールボックス５１１６またはＴＶＷＳデータベース５１３０によってレポートされたように利用不可能になったとき、ＢＡＣ５１１４は、交換チャネルを見出してもよい。ＢＡＣ５１１４は、チャネル再割当てをＤＬＭＥ５１１２に送信してもよい。
【０２６３】
ＡＰ５１２０は、チャネルのセットが新たなダイレクトリンクに割り当てられることを求めるＤＬ＿Ｉｎｉｔｉａｌ＿ＢＡ＿ＲｅｑｕｅｓｔをＤＬＭＥ５１１２に送信する。これは、ＱｏＳ要件または他の類似の要件に関してもよく、ＤＬＭＥ５１１２はこの要件を多くの要求されるチャネルに変換する。ＤＬ＿Ｉｎｉｔｉａｌ＿ＢＡ＿Ｒｅｑｕｅｓｔメッセージは、ＡＰのデバイス情報（例えば、センシング機能など）、ＡＰの位置などを含んでもよい。ＤＬＭＥ５１１２は、ＤＬ＿Ｉｎｉｔｉａｌ＿ＢＡ＿Ｒｅｑｕｅｓｔメッセージの肯定応答においてＤＬ＿Ｉｎｉｔｉａｌ＿ＢＡ＿Ｒｅｑｕｅｓｔ＿ＡＣＫにより応答する。
【０２６４】
デバイス（局）上のＭＡＣ層統計が、あるダイレクトリンクチャネルがダウンしていることを示すとき、ＡＰ５１２０は、ＤＬ＿Ｃｈａｎｎｅｌ＿Ｓｔａｔｕｓ＿ＩｎｄｉｃａｔｉｏｎメッセージをＤＬＭＥ５１１２に送信してもよい。このメッセージを受信すると、ＤＬＭＥ５１１２は、ＢＡＣに交換チャネルを求めてもよい。ＤＬ＿Ｃｈａｎｎｅｌ＿Ｓｔａｔｕｓ＿Ｉｎｄｉｃａｔｉｏｎメッセージは、チャネルＩＤ、チャネル定義（低周波数と高周波数との間の周波数範囲）、ＭＡＣ層統計タイプ（例えば、ＡＣＫ割合、平均配信時間など）、ＭＡＣ層統計などを含む、パラメータのセットを含んでもよい。ＤＬＭＥ５１１２は、ＤＬ＿Ｃｈａｎｎｅｌ＿Ｓｔａｔｕｓ＿Ｉｎｄｉｃａｔｉｏｎメッセージの肯定応答においてＤＬ＿Ｃｈａｎｎｅｌ＿Ｓｔａｔｕｓ＿Ｉｎｄｉｃａｔｉｏｎ＿ＡＣＫにより応答する。
【０２６５】
ＤＬＭＥ５１１２はＤＬ＿ＢＡ＿Ｒｅｃｏｎｆｉｇｕａｔｉｏｎメッセージを終了して、ダイレクトリンク用のチャネルを割り当て、または既存のチャネルを再構成するようにＡＰ５１２０に伝える。このメッセージは、ダイレクトリンク用のチャネルセット情報を含む。ＤＬ＿ＢＡ＿Ｒｅｃｏｎｆｉｇｕｒａｔｉｏｎメッセージは、古いチャネルＩＤ、古いチャネル定義（低周波数と高周波数との間の周波数範囲）、新たなチャネルＩＤ、新たなチャネル定義（低周波数と高周波数との間の周波数範囲）、新たなチャネルＥＩＲＰ、一次チャネルインジケータ、および任意の追加のチャネル詳細を含むパラメータのセットを含んでもよい。ＡＰ５１２０は、ＤＬ＿ＢＡ＿Ｒｅｃｏｎｆｉｇｕｒａｔｉｏｎメッセージの肯定応答においてＤＬ＿ＢＡ＿Ｒｅｃｏｎｆｉｇｕｒａｔｉｏｎ＿ＡＣＫにより応答する。
【０２６６】
ＡＰ５１２０はＤＬ＿Ｃｈａｎｎｅｌ＿Ｓｅｔ＿Ｒｅｌｅａｓｅ＿ＩｎｄｉｃａｔｉｏｎメッセージをＤＬＭＥ５１１２に送信して、ダイレクトリンクチャネルがもはや使用されていないこと（すなわち、すべてのダイレクトリンクがティアダウンされていること）を伝える。ＤＬ＿Ｃｈａｎｎｅｌ＿Ｓｅｔ＿Ｒｅｌｅａｓｅ＿Ｉｎｄｉｃａｔｉｏｎメッセージは、チャネルＩＤなどを含んでもよい。
【０２６７】
ダイレクトリンクオペレーションの場合、ＢＡＣ５１１４はＤＬＭＥ５１１２とやりとりする。ＤＬＭＥ５１１２は、ダイレクトリンク用の新たなチャネルを提供することをＢＡＣ５１１４に求め、およびチャネルがもはや必要とされないとき、これらのチャネルはＢＡＣ５１１４に解放される。
【０２６８】
ＤＬＭＥ５１１２はＢＡ＿ＲｅｑｕｅｓｔメッセージをＢＡＣ５１１４に送信して、ＢＡＣ５１１４から利用可能なチャネルを要求する。このメッセージは、ＤＬＭＥ５１１２がＡＰ５１２０からＤＬ＿Ｉｎｉｔｉａｌ＿ＢＡ＿ＲｅｑｕｅｓｔまたはＤＬ＿Ｃｈａｎｎｅｌ＿Ｓｔａｔｕｓ＿Ｉｎｄｉｃａｔｉｏｎメッセージを受信するとき、ＤＬＭＥ５１１２によって生成されてもよい。ＢＡ＿Ｒｅｑｕｅｓｔメッセージは、ＤＬＭＥ５１１２によって必要とされるチャネルの数を含んでもよい。ＢＡＣ５１１４は、ＢＡ＿Ｒｅｑｕｅｓｔメッセージに応答して、ＢＡ＿Ｒｅｓｐｏｎｓｅを送信する。ＢＡ＿Ｒｅｓｐｏｎｓｅメッセージは、ＢＡＣ５１１４によって見出されたチャネルの数、割り当てられたチャネルの周波数／チャネル数などを含んでもよい。
【０２６９】
ＤＬＭＥ５１１２は、ＢＡ＿Ｒｅｌｅａｓｅ＿Ｉｎｄｉｃａｔｉｏｎメッセージを送信して、ダイレクトリンクチャネルがもはや使用されていないことをＢＡＣ５１１４に示す。ＢＡ＿Ｒｅｌｅａｓｅ＿Ｉｎｄｉｃａｔｉｏｎメッセージは、もはや必要とされないチャネルの周波数／チャネル数を含んでもよい。
【０２７０】
ＢＡＣ５１１４は、ＢＡ＿Ｒｅｃｏｎｆｉｇｕｒａｔｉｏｎメッセージを送信して、ダイレクトリンク用のチャネルを割り当て、または既存のチャネルを再構成するようにＤＬＭＥ５１１２に伝える。ＢＡ＿Ｒｅｃｏｎｆｉｇｕｒａｔｉｏｎメッセージは、ダイレクトリンク用のチャネルセット情報を含む。ＢＡ＿Ｒｅｃｏｎｆｉｇｕｒａｔｉｏｎメッセージは、古いチャネルＩＤ、古いチャネル定義（低周波数と高周波数との間の周波数範囲）、新たなチャネルＩＤ、新たなチャネル定義（低周波数と高周波数との間の周波数範囲）、新たなチャネルＥＩＲＰ、一次チャネルインジケータ、および任意の追加のチャネル詳細を含めて、パラメータのセットを含んでもよい。ＤＬＭＥ５１１２は、ＢＡ＿Ｒｅｃｏｎｆｉｇｕｒａｔｉｏｎメッセージの肯定応答においてＢＡ＿Ｒｃｏｎｆｉｇｕｒａｔｉｏｎ＿ＡＣＫを送信する。
【０２７１】
図５１において、ＤＬＭＥ５１１２は別個の論理エンティティとして示されているが、ＤＬＭＥ機能性はＢＡＣ５１１４またはＡＰ５１２０のいずれかに含まれてもよい（または、それら２つの間で共有すること）。ＤＬＭＥ５１１２がＢＡＣ５１１４の一部である場合、ＡＰ５１２０とＤＬＭＥ５１１２との間のインターフェースが使用されて、エンティティ間で通信してもよい。他方で、ＤＬＭＥ５１１２がＡＰ５１２０の一部である場合、ＤＬＭＥ５１１２とＢＡＣ５１１４との間のインターフェースが使用されて、これらのエンティティ間で通信してもよい。
【０２７２】
受動態
実施形態
１．複数の局および中央エンティティを含む無線通信ネットワークにおける無線ダイレクトリンクオペレーションに関する方法。
【０２７３】
２．複数の異なる無線アクセス技術がネットワークにおいて展開され、および中央エンティティがネットワークにおける無線通信を調整および管理することを特徴とする実施形態１に記載の方法。
【０２７４】
３．ダイレクトリンク局がチャネルの第１のセット上でＡＰからビーコンメッセージを周期的に受信するステップを備えることを特徴とする実施形態１または２に記載の方法。
【０２７５】
４．ダイレクトリンク局がチャネルの第２のセット上でピアダイレクトリンク局と通信するためのダイレクトリンクを有することを特徴とする実施形態３に記載の方法。
【０２７６】
５．ビーコンメッセージが、ＴＢＴＴに基づいて、第１のチャネル上で受信され、チャネルの第１のセットおよびチャネルの第２のセットが、それぞれ、少なくとも１つのチャネルを備えることを特徴とする実施形態３または４に記載の方法。
【０２７７】
６．ダイレクトリンク局がチャネルの第１のセットのうちの少なくとも１つの上でＡＰからダイレクトリンク同期メッセージを受信するステップをさらに備えることを特徴とする実施形態３から５のいずれか１つに記載の方法。
【０２７８】
７．ダイレクトリンク同期メッセージが、後続のＴＢＴＴがＳＴＢＴＴであることを示し、ダイレクトリンク局がＳＴＢＴＴの間にチャネルの第２のセットをサイレントにすることを特徴とする実施形態６に記載の方法。
【０２７９】
８．ダイレクトリンク局が、ＳＴＢＴＴの間にまたはＳＴＢＴＴに続いて、ダイレクトリンクに関する制御メッセージを受信するステップをさらに備えることを特徴とする実施形態７に記載の方法。
【０２８０】
９．ダイレクトリンク局が、ＳＴＢＴＴに先行して、ダイレクトリンク上でピアダイレクトリンク局に対するすべての送信を終えることを特徴とする実施形態７または８に記載の方法。
【０２８１】
１０．ダイレクトリンク局が、ピアダイレクトリンク局に対する送信またはその送信に対する肯定応答をＳＴＢＴＴに先行して完了できない限り、その送信を、ダイレクトリンク上で開始しないことを特徴とする実施形態７から９のいずれか１つに記載の方法。
【０２８２】
１１．制御メッセージが、ダイレクトリンクに関するチャネルを切り替えること、または新たなチャネルをダイレクトリンクに追加することに関することを特徴とする実施形態８から１０のいずれか１つに記載の方法。
【０２８３】
１２．ダイレクトリンク同期メッセージが、第１のチャネル上で、ＤＴＩＭと共に、またはＤＴＩＭの直後に受信されることを特徴とする実施形態６から１１のいずれか１つに記載の方法。
【０２８４】
１３．ダイレクトリンク局がピアダイレクトリンク局とのダイレクトリンクをセットアップするステップであって、チャネルの第１のセットがダイレクトリンクに関して割り当てられ、チャネルの第２のセットが中央エンティティに対するリンクに関して割り当てられている、ステップを備えることを特徴とする実施形態１または２に記載の方法。
【０２８５】
１４．ダイレクトリンク局がダイレクトリンクの一次チャネル上でＣＳＭＡを実行するステップをさらに備えることを特徴とする実施形態１３に記載の方法。
【０２８６】
１５．送信機会がダイレクトリンクの一次チャネル上で実行されたＣＳＭＡを介して取得されることを条件に、ダイレクトリンク局がパケットをチャネルの第１のセット上でピアダイレクトリンク局に送信するステップをさらに備えることを特徴とする実施形態１４に記載の方法。
【０２８７】
１６．ダイレクトリンク局が、ＲＦをチャネルの第２のセットに切り替えて、ＴＢＴＴに従って、ＡＰからビーコンメセージを周期的に受信するステップをさらに備えることを特徴とする実施形態１４または１５に記載の方法。
【０２８８】
１７．ダイレクトリンク局が、ピアダイレクトリンク局に対する送信またはその送信に対する肯定応答をＴＢＴＴに先行して完了できない限り、その送信をダイレクトリンクを上で開始しないことを特徴とする実施形態１６に記載の方法。
【０２８９】
１８．ダイレクトリンク局がビーコンメッセージにおいてトラフィックインジケーションを受信するステップをさらに備えることを特徴とする実施形態１４から１７のいずれか１つに記載の方法。
【０２９０】
１９．トラフィックインジケーションが、ＡＰがダイレクトリンク局に関するデータを有することを示すことを条件に、ダイレクトリンク局がポーリングメッセージをチャネルの第２のセット上でＡＰに送信するステップを備えることを特徴とする実施形態１８に記載の方法。
【０２９１】
２０．ダイレクトリンク局がチャネルの第２のセット上でＡＰからデータを受信するステップを備えることを特徴とする実施形態１９に記載の方法。
【０２９２】
２１．ダイレクトリンク局がダイレクトリンク中断リクエストをチャネルの第１のセット上でピアダイレクトリンク局に送信するステップをさらに備えることを特徴とする実施形態１３から２０のいずれか１つに記載の方法。
【０２９３】
２２．ダイレクトリンク局がチャネルの第１のセット上でピアダイレクトリンク局からダイレクトリンク中断確認メッセージを受信するステップをさらに備えることを特徴とする実施形態２１に記載の方法。
【０２９４】
２３．ダイレクトリンク局が、ＲＦをチャネルの第２のセットに切り替えて、メッセージをチャネルの第２のセット上でＡＰに送信するステップをさらに備えることを特徴とする実施形態２２に記載の方法。
【０２９５】
２４．ダイレクトリンク局がＲＦをチャネルの第１のセットに切り替えるステップをさらに備えることを特徴とする実施形態２３に記載の方法。
【０２９６】
２５．局が接続性クエリアナウンスメッセージを受信するステップを備えることを特徴とする実施形態１または２に記載の方法。
【０２９７】
２６．局が接続性クエリメッセージをネットワークにおいてブロードキャストするステップをさらに備えることを特徴とする実施形態２５に記載の方法。
【０２９８】
２７．局が他の局および中央エンティティから接続性クエリレスポンスメッセージを受信するステップをさらに備えることを特徴とする実施形態２６に記載の方法。
【０２９９】
２８．接続性クエリレスポンスメッセージが、接続性クエリメッセージに関して測定された、他の局および中央エンティティにおけるそれぞれの測定結果を含むことを特徴とする実施形態２７に記載の方法。
【０３００】
２９．局が他の局および中央エンティティからの接続性クエリレスポンスメッセージに関する測定を実行するステップをさらに備えることを特徴とする実施形態２７または２８に記載の方法。
【０３０１】
３０．局が、接続性クエリレスポンスメッセージに含まれた測定結果および局によって生成された測定結果を含むレポートを生成するステップをさらに備えることを特徴とする実施形態２９に記載の方法。
【０３０２】
３１．局が、マッピングを更新するために、レポートを中央エンティティに送信するステップをさらに備えることを特徴とする実施形態３０に記載の方法。
【０３０３】
３２．局が中央エンティティからマッピングを受信するステップであって、マッピングがネットワークにおける局および中央エンティティの間の無線リンクを特徴付ける情報収集を備える、ステップをさらに備えることを特徴とする実施形態３１に記載の方法。
【０３０４】
３３．マッピングが局の機能および／または局によって提供されるサービスに関する情報を含むことを特徴とする実施形態３１または３２に記載の方法。
【０３０５】
３４．マッピングが、局のアタッチメントにおいて周期的にまたはオンデマンドでのいずれかで更新されることを特徴とする実施形態３１から３３のいずれか１つに記載の方法。
【０３０６】
３５．ダイレクトリンク局がピアダイレクトリンク局とのダイレクトリンクをセットアップするステップを備えることを特徴とする実施形態１または２に記載の方法。
【０３０７】
３６．チャネルの第１のセットがダイレクトリンクに関して割り当てられ、チャネルの第２のセットが中央エンティティに対するリンクに関して割り当てられることを特徴とする実施形態３５に記載の方法。
【０３０８】
３７．ダイレクトリンク局が中央エンティティに対する接続性をモニタリングするステップをさらに備えることを特徴とする実施形態３５または３６に記載の方法。
【０３０９】
３８．ダイレクトリンク局が中央エンティティに対する接続性を失ったことを条件に、ダイレクトリンク局が中央エンティティに対するリンクのための中継器として動作することをピアダイレクトリンク局に要求するステップをさらに備えることを特徴とする実施形態３５から３７のいずれか１つに記載の方法。
【０３１０】
３９．ダイレクトリンク局が、中央エンティティへのリンクのための中継器として動作するためのリクエストをピアダイレクトリンク局から受信するステップをさらに備えることを特徴とする実施形態３５から３８のいずれか１つに記載の方法。
【０３１１】
４０．ダイレクトリンク局が、キープアライブメッセージを中央エンティティに送信して、ダイレクトリンク局がピアダイレクトリンク局のための中継器として動作することを示すステップをさらに備えることを特徴とする実施形態３９に記載の方法。
【０３１２】
４１．ダイレクトリンク局が、ＡＰから受信されたメッセージをダイレクトリンク上でピアダイレクトリンク局に転送するステップをさらに備えることを特徴とする実施形態３９から４０のいずれか１つに記載の方法。
【０３１３】
４２．ダイレクトリンク局が中央エンティティへの接続性を再獲得することを条件に、ダイレクトリンク局が中継を終了するためのリクエストをピアダイレクトリンク局に送信するステップをさらに備えることを特徴とする実施形態３８から４１のいずれか１つに記載の方法。
【０３１４】
４３．複数の局および中央エンティティを含む無線通信ネットワークにおける無線ダイレクトリンクオペレーションに関する無線通信デバイス。
【０３１５】
４４．複数の異なる無線アクセス技術がネットワークにおいて展開され、中央エンティティがネットワークにおいて無線通信を調整および管理することを特徴とする実施形態４３に記載のデバイス。
【０３１６】
４５．ピアダイレクトリンク局とのダイレクトリンクをセットアップするように構成されたプロセッサであって、チャネルの第１のセットがダイレクトリンクに関して割り当てられ、チャネルの第２のセットが中央エンティティに対するリンクに関して割り当てられているプロセッサを備えることを特徴とする実施形態４３または４４に記載のデバイス。
【０３１７】
４６．プロセッサが、ダイレクトリンクの一次チャネル上でＣＳＭＡを実行し、および送信機会が、ダイレクトリンクの一次チャネル上で実行されたＣＳＭＡを介して取得されることを条件に、パケットをチャネルの第１のセット上でピアダイレクトリンク局に送信するようにさらに構成されていることを特徴とする実施形態４５に記載のデバイス。
【０３１８】
４７．プロセッサが、ＲＦをチャネルの第２のセットに切り替えて、ＴＢＴＴに従って、ＡＰからビーコンメッセージを周期的に受信し、およびピアダイレクトリンク局への送信またはその送信に対する肯定応答をＴＢＴＴに先行して完了できない限り、その送信をダイレクトリンク上で開始しないようにさらに構成されていることを特徴とする実施形態４５または４６に記載のデバイス。
【０３１９】
４８．プロセッサが、ビーコンメッセージにおいてトラフィックインジケーションを受信し、トラフィックインジケーションが、ＡＰがダイレクトリンク局に関するデータを有することを示すことを条件に、ポーリングメッセージをチャネルの第２のセット上でＡＰに送信し、およびチャネルの第２のセット上でＡＰからデータを受信するように構成されていることを特徴とする実施形態４５から４７のいずれか１つに記載のデバイス。
【０３２０】
特徴および要素は上記特定の組合せで説明されているが、それぞれの特徴および要素を単独でまたは他の特徴および要素との何らかの組合せの形で使用することができることが当業者であれば理解されよう。加えて、本明細書で説明された方法は、コンピュータもしくはプロセッサによって実行するためのコンピュータ可読媒体に組み込まれたコンピュータプログラム、ソフトウェア、またはファームウェアの形で実装されてもよい。コンピュータ可読媒体の例は、（有線接続上または無線接続上で送信された）電子信号およびコンピュータ可読記憶媒体を含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび取外し可能ディスクなどの磁気媒体、光磁気媒体、ＣＤ−ＲＯＭディスク、デジタル多用途ディスク（ＤＶＤ）などの光媒体を含むが、これらに限定されない。ＷＴＲＵ、ＵＥ、端末、基地局、ＲＮＣ、またはいずれかのホストコンピュータの中で使用するための無線周波数トランシーバを実装するために、ソフトウェアと共にプロセッサを使用されてもよい。
【図１】
2015111877.tif 000004
【図２】
2015111877.tif 000005
【図３】
2015111877.tif 000006
【図４Ａ】
2015111877.tif 000007
【図４Ｂ】
2015111877.tif 000008
【図４Ｃ】
2015111877.tif 000009
【図５】
2015111877.tif 000010
【図６】
2015111877.tif 000011
【図７】
2015111877.tif 000012
【図８】
2015111877.tif 000013
【図９Ａ】
2015111877.tif 000014
【図９Ｂ】
2015111877.tif 000015
【図１０】
2015111877.tif 000016
【図１１】
2015111877.tif 000017
【図１２】
2015111877.tif 000018
【図１３】
2015111877.tif 000019
【図１４】
2015111877.tif 000020
【図１５】
2015111877.tif 000021
【図１６】
2015111877.tif 000022
【図１７】
2015111877.tif 000023
【図１８】
2015111877.tif 000024
【図１９】
2015111877.tif 000025
【図２０】
2015111877.tif 000026
【図２１】
2015111877.tif 000027
【図２２】
2015111877.tif 000028
【図２３】
2015111877.tif 000029
【図２４（Ａ）】
2015111877.tif 000030
【図２４（Ｂ）】
2015111877.tif 000031
【図２５】
2015111877.tif 000032
【図２６】
2015111877.tif 000033
【図２７】
2015111877.tif 000034
【図２８】
2015111877.tif 000035
【図２９】
2015111877.tif 000036
【図３０】
2015111877.tif 000037
【図３１】
2015111877.tif 000038
【図３２】
2015111877.tif 000039
【図３３】
2015111877.tif 000040
【図３４】
2015111877.tif 000041
【図３５】
2015111877.tif 000042
【図３６】
2015111877.tif 000043
【図３７】
2015111877.tif 000044
【図３８Ａ】
2015111877.tif 000045
【図３８Ｂ】
2015111877.tif 000046
【図３９Ａ】
2015111877.tif 000047
【図３９Ｂ】
2015111877.tif 000048
【図３９Ｃ】
2015111877.tif 000049
【図４０Ａ】
2015111877.tif 000050
【図４０Ｂ】
2015111877.tif 000051
【図４０Ｃ】
2015111877.tif 000052
【図４０Ｄ】
2015111877.tif 000053
【図４１】
2015111877.tif 000054
【図４２】
2015111877.tif 000055
【図４３】
2015111877.tif 000056
【図４４】
2015111877.tif 000057
【図４５Ａ】
2015111877.tif 000058
【図４５Ｂ】
2015111877.tif 000059
【図４６】
2015111877.tif 000060
【図４７】
2015111877.tif 000061
【図４８Ａ】
2015111877.tif 000062
【図４８Ｂ】
2015111877.tif 000063
【図４９Ａ】
2015111877.tif 000064
【図４９Ｂ】
2015111877.tif 000065
【図４９Ｃ】
2015111877.tif 000066
【図５０】
2015111877.tif 000067
【図５１】
2015111877.tif 000068
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
複数の局および中央エンティティを含む無線通信ネットワークにおける無線ダイレクトリンクオペレーションに関する方法であって、複数の異なる無線アクセス技術が前記ネットワークにおいて展開され、および前記中央エンティティが前記ネットワークにおける無線通信を調整および管理し、前記方法は、
ダイレクトリンク局がチャネルの第１のセット上でアクセスポイント（ＡＰ）からビーコンメッセージを周期的に受信するステップであって、前記ダイレクトリンク局はチャネルの第２のセット上でピアダイレクトリンク局と通信するダイレクトリンクを有し、前記ビーコンメッセージはターゲットビーコン送信時間（ＴＢＴＴ）に基づいて第１のチャネル上で受信され、前記チャネルの第１のセットおよび前記チャネルの第２のセットはそれぞれ少なくとも１つのチャネルを備える、ステップと、
前記ダイレクトリンク局が前記チャネルの第１のセットのうちの少なくとも１つの上で前記ＡＰからダイレクトリンク同期メッセージを受信するステップであって、前記ダイレクトリンク同期メッセージは後続のＴＢＴＴが同期ＴＢＴＴ（ＳＴＢＴＴ）であることを示し、前記ダイレクトリンク局は前記ＳＴＢＴＴの間に前記チャネルの第２のセットをサイレントにする、ステップと、
前記ダイレクトリンク局が、前記ＳＴＢＴＴの間にまたは前記ＳＴＢＴＴに続いて、前記ダイレクトリンクに関する制御メッセージを受信するステップと
を備えることを特徴とする方法。
【請求項２】
前記ダイレクトリンク局は、前記ＳＴＢＴＴに先行して、前記ダイレクトリンク上で前記ピアダイレクトリンク局に対するすべての送信を終えることを特徴とする請求項１に記載の方法。
【請求項３】
前記ダイレクトリンク局は、前記ピアダイレクトリンク局に対する送信または前記送信に対する肯定応答を前記ＳＴＢＴＴに先行して完了できない限り、前記送信を前記ダイレクトリンク上で開始しないことを特徴とする請求項１に記載の方法。
【請求項４】
前記制御メッセージは、前記ダイレクトリンクに関するチャネルを切り替えること、または新たなチャネルを前記ダイレクトリンクに追加することに関することを特徴とする請求項１に記載の方法。
【請求項５】
前記ダイレクトリンク同期メッセージは、前記第１のチャネル上で、配信トラフィックインジケーションメッセージ（ＤＴＩＭ）と共に、または前記ＤＴＩＭの直後に受信されることを特徴とする請求項１に記載の方法。
【請求項６】
複数の局および中央エンティティを含む無線通信ネットワークにおける無線ダイレクトリンクオペレーションに関する方法であって、複数の異なる無線アクセス技術が前記ネットワークにおいて展開され、前記中央エンティティが前記ネットワークにおける無線通信を調整および管理し、前記方法は、
ダイレクトリンク局がピアダイレクトリンク局とのダイレクトリンクをセットアップするステップであって、チャネルの第１のセットが前記ダイレクトリンクに対して割り当てられ、チャネルの第２のセットが前記中央エンティティに対するリンクに対して割り当てられる、ステップと、
前記ダイレクトリンク局が前記ダイレクトリンクの一次チャネル上で搬送波感知多重アクセス（ＣＳＭＡ）を実行するステップと、
送信機会が、前記ダイレクトリンクの前記一次チャネル上で実行された前記ＣＳＭＡを介して取得されることを条件に、前記ダイレクトリンク局がパケットをチャネルの前記第１のセット上で前記ピアダイレクトリンク局に送信するステップと
を備えることを特徴とする方法。
【請求項７】
前記ダイレクトリンク局が、無線周波数（ＲＦ）を前記チャネルの第２のセットに切り替えて、ターゲットビーコン送信時間（ＴＢＴＴ）に従って、アクセスポイント（ＡＰ）からビーコンメッセージを周期的に受信するステップ
をさらに備えることを特徴とする請求項６に記載の方法。
【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
複数の局および中央エンティティを含む無線通信ネットワークにおける無線ダイレクトリンクオペレーションに関する方法であって、複数の異なる無線アクセス技術が前記ネットワークにおいて展開され、ならびに、前記中央エンティティが前記ネットワークにおける無線通信を調整および管理し、前記方法は、
ダイレクトリンク局が、ピアダイレクトリンク局とのダイレクトリンクをセットアップするステップであって、チャネルの第１のセットが、前記ダイレクトリンクに割り当てられ、および、チャネルの第２のセットが、前記中央エンティティへのリンクに割り当てられる、ステップと、
前記ダイレクトリンク局が、前記中央エンティティへの接続性をモニタリングするステップと、
前記ダイレクトリンク局が前記中央エンティティへの接続性を失っていることを条件に、前記ダイレクトリンク局が、前記中央エンティティへの前記リンクに対する中継器として動作することを前記ピアダイレクトリンク局に要求するステップと
を備えたことを特徴とする方法。
【請求項２】
前記ダイレクトリンク局が、前記中央エンティティへの前記リンクに対する中継器として動作する要求を、前記ピアダイレクトリンク局から受信するステップと、
前記ダイレクトリンク局が、キープアライブメッセージを前記中央エンティティに送信して、前記ダイレクトリンク局が前記ピアダイレクトリンク局に対する中継器として動作していることを示すステップと、
前記ダイレクトリンク局が、アクセスポイント（ＡＰ）から受信されたメッセージを、前記ダイレクトリンク上で前記ピアダイレクトリンク局に転送するステップと
をさらに備えたことを特徴とする請求項１に記載の方法。
【請求項３】
前記ダイレクトリンク局が前記中央エンティティへの接続性を再取得したことを条件に、前記ダイレクトリンク局が、中継を終了する要求を、前記ピアダイレクトリンク局に送信するステップをさらに備えたことを特徴とする請求項１に記載の方法。
【請求項４】
無線通信ネットワークにおける無線ダイレクトリンクオペレーションのための方法であって、
局が、前記局が直接通信することができる他の局に関する接続性情報を含む、前記局の能力を示すメッセージを生成するステップと、
前記局が、前記メッセージを送信するステップと
を備えたことを特徴とする方法。
【請求項５】
前記メッセージは、アタッチ要求メッセージにおいて、または別個の専用メッセージとしてのいずれかで送信されることを特徴とする請求項４に記載の方法。
【請求項６】
無線通信ネットワークにおける無線ダイレクトリンクオペレーションのための無線通信局であって、
前記局が直接通信することができる他の局に関する接続性情報を含む、前記局の能力を示すメッセージを生成し、および、前記メッセージを送信するように構成されたプロセッサを備えたことを特徴とする無線通信局。
【請求項７】
前記プロセッサは、アタッチ要求メッセージにおいて、または別個の専用メッセージとしてのいずれかで前記メッセージを送信するように構成されていることを特徴とする請求項６に記載の無線通信局。
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
複数の局および中央エンティティを備えた無線通信ネットワークにおいてダイレクトリンクオペレーションを可能にする方法であって、
前記複数の局の第１の局から、テレビジョンホワイトスペース（ＴＶＷＳ）周波数上で、前記複数の局の第２の局とのダイレクトリンクをセットアップするダイレクトリンク要求を受信するステップと、
ＴＶＷＳデータベースに問い合わせることによって、前記ＴＶＷＳ周波数上での少なくとも１つの利用可能なチャネルを判定するステップと、
前記少なくとも１つの利用可能なチャネルから選択されたチャネルを、前記ダイレクトリンクに対して割り当てるステップと、
前記第２の局に、ダイレクトリンクインジケーションメッセージを送信するステップであって、前記ダイレクトリンクインジケーションメッセージは、前記ダイレクトリンク要求および前記割り当てるチャネルを示している、ステップと
を備えたことを特徴とする方法。
【請求項２】
前記中央エンティティが、前記ダイレクトリンクインジケーションメッセージに基づいて、前記第２の局が前記ダイレクトリンクをセットアップすることが可能であることを示す肯定応答メッセージを、前記第２の局から受信するステップと、
前記ダイレクトリンクが前記割り当てられたチャネル上で確立されたことを確認するダイレクトリンク応答メッセージを、前記第１の局に送信するステップと、
をさらに備えたことを特徴とする請求項１に記載の方法。
【請求項３】
前記ダイレクトリンクは、前記中央エンティティによって使用されるチャネルとは異なる物理チャネル上で割り当てられていることを特徴とする請求項２に記載の方法。
【請求項４】
前記第１の局と前記第２の局との間の通信とは異なる無線アクセス技術（ＲＡＴ）を使用して、前記ダイレクトリンク要求または前記ダイレクトリンクインジケーションメッセージの少なくとも１つが送信されることを特徴とする請求項１に記載の方法。
【請求項５】
前記中央エンティティが、
前記ダイレクトリンクに対する一次チャネルを判定するステップと、
搬送波感知多重アクセス（ＣＳＭＡ）を実行することによって、前記一次チャネルの前記判定を、前記一次チャネルにアクセスする前記第１の局または前記第２の局の少なくとも１つに通信するステップと
をさらに備えたことを特徴とする請求項１に記載の方法。
【請求項６】
前記中央エンティティが、ＭＡＣ層制御メッセージを前記第１の局または前記第２の局の少なくとも１つに送信して、前記割り当てられたチャネルを変更するステップをさらに備えたことを特徴とする請求項１に記載の方法。
【請求項７】
前記中央エンティティが、同期ターゲットビーコン送信時間（ＳＴＢＴＴ）の間にダイレクトリンクをサイレントにする前記ＳＴＢＴＴの前に、同期メッセージを前記第１の局または前記第２の局の少なくとも１つに送信するステップをさらに備えたことを特徴とする請求項１に記載の方法。
【請求項８】
前記中央エンティティは、アクセスポイント（ＡＰ）または動的スペクトルマネージャ（ＤＳＭ）の少なくとも１つを備えていることを特徴とする請求項１に記載の方法。
【請求項９】
前記割り当てられたチャネルは、テレビジョンホワイトスペース（ＴＶＷＳ）チャネルを備えていることを特徴とする請求項１に記載の方法。
【請求項１０】
前記無線通信ネットワークにおいて利用可能なダイレクトリンクサービスのリストをコンパイルするステップと、
前記リストを前記局の少なくとも１つに送信するステップと
をさらに備えたことを特徴とする請求項１に記載の方法。
【請求項１１】
複数の局および中央エンティティを備えた無線通信ネットワークにおいてダイレクトリンクオペレーションを可能にする中央エンティティであって、前記中央エンティティは、
前記複数の局の第１の局から、テレビジョンホワイトスペース（ＴＶＷＳ）周波数上で、前記複数の局の第２の局とのダイレクトリンクをセットアップするダイレクトリンク要求を受信し、
ＴＶＷＳデータベースに問い合わせることによって、前記ＴＶＷＳ周波数上での少なくとも１つの利用可能なチャネルを判定し、
前記少なくとも１つの利用可能なチャネルから選択されたチャネルを、前記ダイレクトリンクに対して割り当て、ならびに、
前記第２の局に、ダイレクトリンクインジケーションメッセージを送信し、前記ダイレクトリンクインジケーションメッセージは、前記ダイレクトリンク要求および前記割り当てるチャネルを示している
ように構成されたプロセッサを備えたことを特徴とする中央エンティティ。
【請求項１２】
前記プロセッサは、前記ダイレクトリンクインジケーションメッセージに基づいて、前記第２の局が前記ダイレクトリンクをセットアップすることが可能であることを示す肯定応答メッセージを、前記第２の局から受信し、および、
前記ダイレクトリンクが前記割り当てられたチャネル上で確立されたことを確認するダイレクトリンク応答メッセージを、前記第１の局に送信する
ようにさらに構成されていることを特徴とする請求項１１に記載の中央エンティティ。
【請求項１３】
前記ダイレクトリンクは、前記中央エンティティによって使用されるチャネルとは異なる物理チャネル上で割り当てられていることを特徴とする請求項１１に記載の中央エンティティ。
【請求項１４】
前記第１の局と前記第２の局との間の通信とは異なる無線アクセス技術（ＲＡＴ）を使用して、前記ダイレクトリンク要求または前記ダイレクトリンクインジケーションメッセージの少なくとも１つが送信されることを特徴とする請求項１１に記載の中央エンティティ。
【請求項１５】
前記プロセッサは、
前記ダイレクトリンクに対する一次チャネルを判定し、および、
搬送波感知多重アクセス（ＣＳＭＡ）を実行することによって、前記一次チャネルの前記判定を、前記一次チャネルにアクセスする前記第１の局または前記第２の局の少なくとも１つに通信する
ようにさらに構成されていることを特徴とする請求項１１に記載の中央エンティティ。
【請求項１６】
前記プロセッサは、ＭＡＣ層制御メッセージを前記第１の局または前記第２の局の少なくとも１つに送信して、前記割り当てられたチャネルを変更するようにさらに構成されていることを特徴とする請求項１１に記載の中央エンティティ。
【請求項１７】
前記プロセッサは、同期ターゲットビーコン送信時間（ＳＴＢＴＴ）の間にダイレクトリンクをサイレントにする前記ＳＴＢＴＴの前に、同期メッセージを前記第１の局または前記第２の局の少なくとも１つに送信するようにさらに構成されていることを特徴とする請求項１１に記載の中央エンティティ。
【請求項１８】
前記中央エンティティは、アクセスポイント（ＡＰ）または動的スペクトルマネージャ（ＤＳＭ）の少なくとも１つを備えていることを特徴とする請求項１１に記載の中央エンティティ。
【請求項１９】
前記割り当てられたチャネルは、テレビジョンホワイトスペース（ＴＶＷＳ）チャネルを備えていることを特徴とする請求項１１に記載の中央エンティティ。
【請求項２０】
前記プロセッサは、
前記無線通信ネットワークにおいて利用可能なダイレクトリンクサービスのリストをコンパイルし、および、
前記リストを前記局の少なくとも１つに送信する
ようにさらに構成されていることを特徴とする請求項１１に記載の中央エンティティ。
【外国語明細書】
2015111877000001.pdf